(57)【特許請求の範囲】
【請求項１】
冊子体に印刷するための機器であって、プリンタシステムおよび前記冊子体を搬送するための搬送システムを備え、
前記搬送システムが、前記冊子体を搬送するときに、前記冊子体の一端だけに沿って前記冊子体を固定するように動作可能であり、
前記搬送システムが固定フレームを備え、前記固定フレームが上部クランプ板および下部クランプ板を備え、前記下部クランプ板が、前記上部クランプ板と前記下部クランプ板との間で前記冊子体の前縁の固定をもたらし、搬送フレームを長手方向に移動させるために、垂直方向に移動可能であり、
前記搬送システムが、ストッパゲートを越えた前記冊子体の長手方向の移動を抑制するための前記ストッパゲートをさらに備え、前記冊子体が前記ストッパゲートに近接すると、前記機器が、前記搬送システムに前記冊子体を固定させるように動作可能であり、
前記プリンタシステムが、冊子体をその後縁でプリンタの排出口に向かって押すように動作可能である、機器。
【請求項２】
前記プリンタシステムが前記冊子体の印刷後に前記冊子体を排出するための排出位置にあるときに、前記ストッパゲートが、下げられるように動作可能である、請求項１に記載の機器。
【請求項３】
押板をさらに備え、前記押板が、前記冊子体を後縁で排出口に向かって押すように動作可能である、請求項１または２に記載の機器。
【請求項４】
さらに前記冊子体を読み取るために、前記機器が、
前記冊子体の固有の特徴を表すデジタル署名を取得するために、前記冊子体を読み取るためのリーダシステムをさらに備え、
前記デジタル署名が前記冊子体に関連する照合用のデジタル署名と一致する場合、前記プリンタシステムが前記搬送システムを使用して前記冊子体に印刷する、請求項１又は２に記載の機器。
【請求項５】
前記デジタル署名が前記照合用のデジタル署名と一致する場合、前記プリンタシステムに前記冊子体に印刷させるように、前記デジタル署名を受け取るための、および前記プリンタシステムに信号を送信するためのプロセッサをさらに備えた、請求項４に記載の機器。
【請求項６】
前記デジタル署名が、前記冊子体に関連する材料特性の少なくとも１つのデジタル表現を含む、請求項４に記載の機器。
【請求項７】
前記材料特性が、前記冊子体の基材の特徴の特性を含む、請求項６に記載の機器。
【請求項８】
前記特徴が、前記基材のセキュリティ特徴を含む、請求項７に記載の機器。
【請求項９】
前記照合用のデジタル署名が、事前に格納されたデジタル署名を含む、請求項４〜８のいずれか一項に記載の機器。
【請求項１０】
前記デジタル署名および前記照合用のデジタル署名が、それぞれセキュリティ署名である、請求項４〜８のいずれか一項に記載の機器。
【請求項１１】
前記リーダシステムが、前記冊子体のリーダシステム画像を取り込むように動作可能であり、前記機器が、前記リーダシステム画像に応じて前記デジタル署名を生成するように動作可能である、請求項４〜８のいずれか一項に記載の機器。
【請求項１２】
前記リーダシステムが、前記デジタル署名を生成するように動作可能である、請求項４〜８のいずれか一項に記載の機器。
【請求項１３】
前記搬送システムが、前記一端から離れて前記冊子体に接触するためのローラを備える、請求項１〜２及び５〜８のいずれか一項に記載の機器。
【請求項１４】
前記搬送システムが搬送フレームおよびプラテンを備え、前記搬送フレームが上部フレーム板を備え、前記搬送システムが、前記プラテンと前記上部フレーム板との間で前記冊子体を固定し、前記ローラに対して長手方向に前記搬送フレームを移動させるように動作可能である、請求項１３に記載の機器。
【請求項１５】
前記搬送システムにヒンジ式に連結された入口フィーダを備え、前記入口フィーダが前記ローラを備え、前記機器が、前記入口フィーダと前記冊子体との間の接触を抑制するために前記入口フィーダを上げるように動作可能である、請求項１３に記載の機器。
【請求項１６】
前記入口フィーダが、前記入口フィーダをヒンジ式に連結するためのヒンジ接続部を備え、前記ローラから平行に離間した別のローラを備える、請求項１５に記載の機器。
【請求項１７】
プリンタの取り入れ口を備え、前記プリンタの取り入れ口で前記冊子体の存在を感知するように動作可能であり、前記入口フィーダが、前記冊子体が前記プリンタの取り入れ口を介して前記プリンタシステムに挿入されているときに前記冊子体をガイドするように構成され、前記プリンタシステムが、前記プリンタの取り入れ口を介して前記冊子体を排出するように構成されている、請求項１５または１６に記載の機器。
【請求項１８】
前記搬送システムが、ストッパを越える前記冊子体の長手方向の移動を抑制するための前記ストッパを備え、前記冊子体が前記ストッパに近接するときに、前記機器が、前記搬送システムに前記冊子体を固定させるように動作可能である、請求項１〜１７のいずれか一項に記載の機器。
【請求項１９】
前記冊子体が前記搬送システムによって固定されるときに前記冊子体の印刷可能領域の画像を生成するための撮像デバイスを備える、請求項１〜２、５〜８及び１４〜１６のいずれか一項に記載の機器。
【請求項２０】
ディスプレイを備え、前記ディスプレイ上に前記印刷可能領域の画像を表示することに応じて、ユーザ入力として印刷領域を受け取るように動作可能である、請求項１９に記載の機器。
【請求項２１】
前記冊子体が平面状の冊子体である、請求項１〜２、５〜８、１４〜１６及び２０のいずれか一項に記載の機器。
【請求項２２】
前記冊子体が価値アイテムである、請求項１〜２、５〜８、１４〜１６及び２０のいずれか一項に記載の機器。
【請求項２３】
前記冊子体が文書である、請求項１〜２、５〜８、１４〜１６及び２０のいずれか一項に記載の機器。
【請求項２４】
さらに冊子体のユーザが前記冊子体の認証されたユーザであるかどうかを検証するために、前記機器が、前記ユーザの生体特徴を検出し、前記生体特徴を表すデータを生成するための手段をさらに備え、前記リーダシステムが、前記認証されたユーザに関連する生体情報のデジタル表現を取得するために、前記冊子体を読み取るためのものであり、前記データが前記デジタル表現に一致する場合、前記機器が、前記プリンタシステムに前記冊子体に印刷させるように動作可能である、請求項４に記載の機器。
【請求項２５】
前記データが前記デジタル表現に一致するかどうかを判定するため、および前記データが前記デジタル表現に一致する場合、前記プリンタシステムに前記冊子体に印刷させるための、少なくとも１つのプロセッサをさらに備える、請求項２４に記載の機器。
【請求項２６】
前記リーダシステムが、前記冊子体の固有の特徴を表すデジタル署名を取得するために、前記冊子体を読み取るように動作可能であり、前記デジタル署名が前記冊子体に関連する照合用のデジタル署名と一致する場合にのみ、前記機器が、前記プリンタシステムに前記冊子体に印刷させるように動作可能である、請求項２４または２５に記載の機器。
【請求項２７】
前記機器が、前記ユーザが前記認証されたユーザであることを検証した場合に、出口をロック解除するようにさらに動作可能であり、前記出口が、出口ゲート又は出口ドアウェイの少なくとも一方である、請求項２４又は２５に記載の機器。
【請求項２８】
前記データが前記デジタル表現と一致し、かつ、前記デジタル署名が前記照合用のデジタル署名と一致する場合、前記機器が、出口をロック解除するようにさらに動作可能であり、前記出口が、出口ゲート又は出口ドアウェイの少なくとも一方である、請求項２６に記載の機器。
【請求項２９】
前記リーダシステムが、前記冊子体が前記リーダシステムによって受け入れられるときに前記冊子体の画像を生成するための撮像デバイスを備える、請求項２４又は２５に記載の機器。
【請求項３０】
前記リーダシステムが、前記画像を含む前記デジタル表現を生成するように動作可能である、請求項２９に記載の機器。
【請求項３１】
前記機器が、前記画像を含むユーザ情報を収集するように動作可能である、請求項２９に記載の機器。
【請求項３２】
マジックミラーをさらに備え、前記マジックミラーが、前記ユーザの視界から、前記生体特徴を検出するための前記手段を隠している、請求項２４〜２５、２８及び３０〜３１のいずれか一項に記載の機器。
【発明の詳細な説明】
【技術分野】
【０００１】
本発明は、文書などのオブジェクトを読み取ること、およびオブジェクトに印刷することに関するものである。
【背景技術】
【０００２】
セキュリティチェックポイントは、政府や民間企業などの当局が、特定の領域に個人を許可する前に個人の身元および個人の他の証明書を検証することを可能にする。セキュリティチェックポイントを、国境や、国および他の立入禁止区域内に制限された領域の周りの境界などの境界で見つけることができ、この境界は、例えば、空港、駅、バス停、港、および造船所などの交通機関のハブや、スタジアムおよびコンサートホールなどのイベント会場や、オフィスビル、政治機関、および研究施設などの建物およびその内部や、建設現場や、個人の身元または特定の領域にアクセスすることを個人が許可されるかどうかを確認することが望まれる他の場所にある。
【０００３】
適切な照明条件の下で、通常の反射ミラーのように第１側から出現し、さらに第１側に存在する任意の個人またはオブジェクトの第２（反対）側から表示できるように、マジックミラーは半透明である。
【０００４】
Ｊｅｎｋｉｎｓらの米国特許第７，２５３，７２７号明細書は、空港での使用に特に適したセキュリティチェックポイントを開示しており、この明細書では、セキュリティチェックポイント内の位置でチェックするレベルは、チェックイン時にチケットエージェントによって、またはセキュリティ機関のデータベースに保持された情報もしくはビデオ感知装置によって自動的に検出された疑わしい行動によって行われた観察結果を考慮することができる。ただし、Ｊｅｎｋｉｎｓらのセキュリティチェックポイントは、人間のチケットエージェントによる非自動観察に依存しており、改良され自動化されたセキュリティのためのマジックミラーを使用していない。
【０００５】
Ｂａｒｒの米国特許第７，７５５，６１１号明細書は、ホームセキュリティシステムへのユーザインタフェース機器を一緒に設けた、音響／視覚の出力および透明タッチスクリーン入力デバイスを含む装飾ミラーを開示している。Ｂａｒｒは、単なるミラーではなくセキュリティシステムやホームオートメーションシステムのインタフェースとして意図せずに明らかにされることを防ぐための、ユーザの識別のためのセキュリティ作動特徴およびユーザインタフェース機器の作動を開示している。セキュリティ作動特徴は、ユーザインタフェース機器を作動させるために、ミラーを囲むフレームの開口を通って外方に向けられた近接センサであってもよい。セキュリティ作動特徴は、タッチスクリーンパネルの特定の位置への接触と組み合わせて使用されてもよい。代替的な実施形態は、ユーザインタフェース機器に配置された、隣接する、または隠された、指紋スキャナ、網膜スキャナ、音声認識設備、もしくは他の個人識別デバイスを含むことができる。ただし、Ｂａｒｒの装飾ミラーは、自動化されたセキュリティチェックポイントに必要とされる完全なセキュリティ機能を提供していない。
【０００６】
パスポートや他の綴じられた（冊子タイプの）文書、出生証明書や他の綴じられていない文書、ＩＤカード、セキュリティバッジやライセンスを含む文書と、価値文書、製品、および製品ラベルを含む価値アイテムと、他のオブジェクトとが、所与のオブジェクトが本物であるかどうか（すなわち、改ざんされていない）を判断するための認証および検証処理を受けることが知られている。一般に、文書は、人間または機械可読テキストを文書上に有するものとして定義される。一般に、価値アイテムは、アイテムの所有者、ユーザ、所持している人物、および／または他の関連人物（複数可）への価値を有するものとして定義される。一般に、オブジェクトは、所与の時点で定義可能な形状を有するものとして定義される。
【０００７】
プリンタは、綴じられたおよび綴じられていない文書、価値アイテムならびに他のオブジェクト上の、テキスト、グラフィックシンボル、スタンプ、しるし、および他のマーキングを印刷することが知られている。
【０００８】
しかし、従来のリーダは、認証される文書、価値アイテム、または他のオブジェクトに印刷することができず、さらに、従来のプリンタは、認証および検証のために読み取ることができない。
【０００９】
既知のプリンタは、小さな間隙によって離間された一対の平行ローラを含み、この隙間を通じて、文書がローラの電動作用によって移動する。このような電動ローラは、文書の滑りを回避するためにゴムなどの高摩擦材料で作られた転動面を設ける必要がある。ただし、このような高摩擦材料は摩耗する可能性があるため、交換される必要があり、これにより、既知のプリンタのメンテナンス要件を増加させ、および／または既知のプリンタの寿命を低下させる。
【００１０】
２００７年８月８日付けの欧州特許第１５２０７１５号明細書は、電動トレイを備えたプリンタを開示しており、電動トレイがプリンタの印刷ゾーンの内外で文書を搬送しているときに、この電動トレイに本のような文書が置かれる。搬送中の電動トレイに対する文書の移動を避けるために、電動トレイは、文書の４つの縁部すべてを固定するための機構を有する。電動トレイと、文書の４つの縁部すべてを固定するための機構を、金属などの長持ちする材料で作ることができるが、電動トレイとその機構はかさばるため、印刷ゾーンの内外での文書の迅速な移動を妨げる。
【発明の概要】
【課題を解決するための手段】
【００１１】
本発明の一態様によれば、セキュリティチェックポイントは、（ａ）セキュリティチェックポイントでの人物に関するデータの自動記録を隠れて可能にするためのマジックミラー、および（ｂ）データを記録するための記録装置であって、マジックミラーによって隠されている記録装置を含んでいる。
【００１２】
記録装置は、カメラを含んでもよい。カメラは、静止画像を取り込むための静止画像カメラであってもよい。カメラは、ビデオ情報を取り込むためのビデオカメラであってもよい。カメラは、音響とビデオの情報を取り込むためのビデオカメラであってもよい。カメラは、電磁スペクトルのＩＲ（赤外線）領域内の画像を取り込むように動作可能なＩＲ（赤外線）カメラであってもよい。カメラは、電磁スペクトルのＩＲ領域内のビデオ情報を取り込むように動作可能なＩＲカメラであってもよい。カメラは、サーモグラフィカメラであってもよい。カメラは、電磁スペクトルのＵＶ（紫外線）領域内の画像を取り込むように動作可能なＵＶ（紫外線）カメラであってもよい。カメラは、電磁スペクトルのＵＶ領域内のビデオ情報を取り込むように動作可能なＵＶカメラであってもよい。カメラは、３次元画像を取り込むためのステレオカメラであってもよい。カメラは、３次元ビデオ情報を取り込むためのステレオカメラであってもよい。カメラは、３次元ビデオ情報および音響情報を取り込むためのステレオカメラであってもよい。記録装置は、同じタイプの複数のカメラを含んでもよい。記録装置は、異なるタイプの複数のカメラを含んでもよい。記録装置は、カメラのアレイを含んでもよい。記録装置は、カメラの複数のアレイを含んでもよい。
【００１３】
記録装置は、音響レコーダを含んでもよい。記録装置は、近接検出器を含んでもよい。記録装置は、熱検出器を含んでもよい。記録装置は、温度センサを含んでもよい。記録装置は、触覚センサを含んでもよい。記録装置は、振動センサを含んでもよい。記録装置は、文書スキャナを含んでもよい。記録装置は、カードスキャナを含んでもよい。記録装置は、ライン型スキャナを含んでもよい。ライン型スキャナは、カードまたはフォトダイオードのような他のオブジェクトから反射した、あるいはカードまたはフォトダイオードのような他のオブジェクトを透過した、電磁放射を検出するためのフォトダイオードを含んでもよく、このオブジェクトは互いに対して移動する。記録装置は、イメージスキャナを含んでもよい。文書スキャナは、ライン型スキャナであってもよい。文書スキャナは、イメージスキャナであってもよい。カードスキャナは、ライン型スキャナであってもよい。カードスキャナは、イメージスキャナであってもよい。記録装置は、磁気エネルギー検出器を含んでもよい。記録装置は、指紋検出器を含んでもよい。記録装置は、掌紋検出器を含んでもよい。記録装置は、マジックミラー上の情報のディスプレイを制御するためのディスプレイコントローラを含んでもよい。記録装置は、マジックミラーに適用されるタッチスクリーンのユーザ入力の受信を制御するためのタッチスクリーンコントローラを含んでもよい。
【００１４】
記録装置は、照明源を含んでもよい。記録装置は、電磁放射源を含んでもよい。記録装置は、磁気エネルギー源を含んでもよい。記録装置は、磁石を含んでもよい。記録装置は、電磁スペクトルのＩＲ領域の電磁放射源を含んでもよい。記録装置は、電磁スペクトルの可視光領域の電磁放射源を含んでもよい。記録装置は、電磁スペクトルのＵＶ領域の電磁放射源を含んでもよい。記録装置は、レーザを含んでもよい。記録装置は、発光ダイオード（ＬＥＤ）を含んでもよい。記録装置は、熱源を含んでもよい。
【００１５】
セキュリティチェックポイントは、記録装置を収容するための筐体を含んでもよい。筐体は、マジックミラーを支持してもよい。筐体は、マジックミラーを支持するためのミラーフレームを含んでもよい。ミラーフレームは、マジックミラーの周囲に延伸していてもよい。ミラーフレームは、透明材料から形成されてもよい。ミラーフレームは、半透明材料から形成されてもよい。ミラーフレームは、不透明材料から形成されてもよい。筐体はフレーム装置を含んでもよい。フレーム装置は、ミラーフレームに隣接して配置されてもよい。フレーム装置は、ミラーフレームに近接して配置されてもよい。
【００１６】
フレーム装置は、カメラを含んでもよい。フレーム装置は、同じタイプの複数のカメラを含んでもよい。フレーム装置は、異なるタイプの複数のカメラを含んでもよい。フレーム装置は、カメラのアレイを含んでもよい。フレーム装置は、カメラの複数のアレイを含んでもよい。フレーム装置は、音響レコーダを含んでもよい。フレーム装置は、近接検出器を含んでもよい。フレーム装置は、熱検出器を含んでもよい。フレーム装置は、温度センサを含んでもよい。フレーム装置は、触覚センサを含んでもよい。フレーム装置は、振動センサを含んでもよい。フレーム装置は、磁気エネルギー検出器を含んでもよい。フレーム装置は、超音波検出器を含んでもよい。フレーム装置は、超音波トランスデューサを含んでもよい。フレーム装置は、超音波送受信器を含んでもよい。フレーム装置は、動き検出器を含んでもよい。フレーム装置は、照明源を含んでもよい。フレーム装置は、電磁放射源を含んでもよい。フレーム装置は、磁気エネルギー源を含んでもよい。フレーム装置は、磁石を含んでもよい。フレーム装置は、ＩＲ（赤外線）源を含んでもよい。フレーム装置は、可視光源を含んでもよい。フレーム装置は、ＵＶ（紫外線）源を含んでもよい。フレーム装置は、レーザを含んでもよい。フレーム装置は、発光ダイオード（ＬＥＤ）を含んでもよい。フレーム装置は、熱源を含んでもよい。
【００１７】
セキュリティチェックポイントは、指紋スキャナを含んでもよい。指紋スキャナは、隠されていなくてもよい。セキュリティチェックポイントは、掌紋スキャナを含んでもよい。掌紋スキャナは、隠されていなくてもよい。セキュリティチェックポイントは、文書スキャナを含んでもよい。文書スキャナは、隠されていなくてもよい。文書スキャナは、文書を受け入れるための寸法とした入力スロットを含んでもよい。セキュリティチェックポイントは、カードスキャナを含んでもよい。カードスキャナは、隠されていなくてもよい。セキュリティチェックポイントは、ライン型スキャナを含んでもよい。ライン型スキャナは、隠されていなくてもよい。セキュリティチェックポイントは、イメージスキャナを含んでもよい。イメージスキャナは、隠されていなくてもよい。セキュリティチェックポイントは、プリンタを含んでもよい。プリンタは、隠されていなくてもよい。プリンタは、感熱プリンタであってもよい。感熱プリンタは、隠されていなくてもよい。プリンタは、インクジェットプリンタであってもよい。プリンタは、本明細書に記載したもののような他の価値アイテムまたは他のオブジェクトを認証し、これに印刷するための一体型のリーダプリンタ機器にあってもよい。セキュリティチェックポイントは、スタンプ機を含んでもよい。スタンプ機は、隠されていなくてもよい。セキュリティチェックポイントは、チェックポイントカメラを含んでもよい。チェックポイントカメラは、隠されていなくてもよい。チェックポイントカメラは、隠されていてもよい。チェックポイントカメラは、マジックミラーの背後以外に配置されてもよい。チェックポイントカメラは、マジックミラーの背後以外に隠されて配置されてもよい。セキュリティチェックポイントは、チェックポイントＬＥＤを含んでもよい。チェックポイントＬＥＤは、隠されていなくてもよい。セキュリティチェックポイントは、スピーカを含んでもよい。スピーカは、隠されていなくてもよい。セキュリティチェックポイントは、マイクを含んでもよい。マイクは、隠されていなくてもよい。セキュリティチェックポイントは、ディスプレイを含んでもよい。ディスプレイは、隠されていなくてもよい。ディスプレイは、液晶ディスプレイ（ＬＣＤ）であってもよい。セキュリティチェックポイントは、超音波検出器を含んでもよい。超音波検出器は、隠されていなくてもよい。セキュリティチェックポイントは、超音波トランスデューサを含んでもよい。超音波トランスデューサは、隠されていなくてもよい。セキュリティチェックポイントは、超音波送受信器を含んでもよい。超音波送受信器は、隠されていなくてもよい。セキュリティチェックポイントは、出口ゲートを含んでもよい。セキュリティチェックポイントは、出口ドアウェイを含んでもよい。セキュリティチェックポイントは、入口ゲートを含んでもよい。セキュリティチェックポイントは、入口ドアウェイを含んでもよい。
【００１８】
セキュリティチェックポイントは、セキュリティチェックポイントの自動動作を制御するためのコントローラを含んでもよい。コントローラは、筐体内に収容されてもよい。コントローラは、隠されていてもよい。コントローラは、隠されていなくてもよい。コントローラは、プロセッサを含んでもよい。コントローラは、メモリを含んでもよい。コントローラは、データベースを含んでもよい。コントローラは、複数のデータベースを含んでもよい。コントローラは、接続バスを含んでもよい。コントローラは、通信コントローラを含んでもよい。通信コントローラは、ネットワークとの有線通信を確立するように動作可能であってもよい。通信コントローラは、ネットワークとの無線通信を確立するように動作可能であってもよい。
【００１９】
セキュリティチェックポイントは、セキュリティコンソールを含んでもよい。セキュリティコンソールは、マジックミラーを含んでもよい。セキュリティコンソールは、記録装置を含んでもよい。セキュリティコンソールは、セキュリティコンソールのマジックミラーの背後に隠された記録装置を含んでもよい。セキュリティコンソールは、エンクロージャ内に配置されてもよい。エンクロージャは、マジックミラーを含んでもよい。セキュリティチェックポイントは、エンクロージャのマジックミラーの背後に隠された記録装置を含んでもよい。エンクロージャは、入口ドアウェイを含んでもよい。エンクロージャは、出口ドアウェイを含んでもよい。出口ドアウェイは、マジックミラーを含んでもよい。出口ドアウェイは、記録装置を含んでもよい。出口ドアウェイは、出口ドアウェイのマジックミラーの背後に隠された記録装置を含んでもよい。
【００２０】
本発明の別の態様によれば、セキュリティチェックポイントでの人物に関するデータを記録する方法が提供されている。方法は、（ａ）セキュリティチェックポイントでの人物に関するデータの自動記録をセキュリティチェックポイントのマジックミラーによって隠れて可能にするステップ、および（ｂ）記録装置がマジックミラーによって隠されている場合にセキュリティチェックポイントの記録装置によってデータを記録するステップ、を含んでいる。
【００２１】
方法は、デフォルト状態に設定するステップを含んでもよい。デフォルト状態に設定するステップは、出口ゲートをロックするステップを含んでもよい。出口ゲートをロックするステップは、出口ゲートを閉じるステップを含んでもよい。デフォルト状態に設定するステップは、頭上の照明を作動させるステップを含んでもよい。デフォルト状態に設定するステップは、床の照明を作動させるステップを含んでもよい。デフォルト状態に設定するステップは、マジックミラーのバックライトを非作動させるステップを含んでもよい。デフォルト状態に設定するステップは、マジックミラーのフレームで照明を非作動させるステップを含んでもよい。デフォルト状態に設定するステップは、ディスプレイにデフォルト画像を表示するステップを含んでもよい。デフォルト状態に設定するステップは、指紋スキャナに関連する照明を非作動させるステップを含んでもよい。デフォルト状態に設定するステップは、文書スキャナに関連する照明を非作動させるステップを含んでもよい。デフォルト状態に設定するステップは、ディスプレイに通り抜け禁止シンボルを表示するステップを含んでもよい。
【００２２】
方法は、人物がセキュリティチェックポイントに存在するかどうかを判定するステップを含んでもよい。方法は、セキュリティチェックポイントに存在する人物の数を判定するステップを含んでもよい。方法は、認証されていないオブジェクトがセキュリティチェックポイントに存在するかどうかを判定するステップを含んでもよい。方法は、セキュリティチェックポイントに存在する認証されていないオブジェクトの数を判定するステップを含んでもよい。
【００２３】
方法は、アラーム状態を発動するステップを含んでもよい。アラーム状態を発動するステップは、セキュリティステーションにメッセージを通信するステップを含んでもよい。アラーム状態を発動するステップは、ディスプレイに指示を表示するステップを含んでもよい。アラーム状態を発動するステップは、音声コマンドを発するステップを含んでもよい。アラーム状態を発動するステップは、セキュリティチェックポイントに関連する照明条件を調整するステップを含んでもよい。アラーム状態を発動するステップは、出口ゲートを閉じるステップを含んでもよい。アラーム状態を発動するステップは、出口ゲートをロックするステップを含んでもよい。アラーム状態を発動するステップは、出口ドアウェイを閉じるステップを含んでもよい。アラーム状態を発動するステップは、出口ドアウェイをロックするステップを含んでもよい。アラーム状態を発動するステップは、入口ドアウェイをロック解除するステップを含んでもよい。アラーム状態を発動するステップは、入口ドアウェイを開くステップを含んでもよい。
【００２４】
方法は、指示を表示するステップを含んでもよい。方法は、ディスプレイに指示を表示するステップを含んでもよい。方法は、次の人物がセキュリティチェックポイントに入るための指示を表示するステップを含んでもよい。方法は、音声コマンドを発するステップを含んでもよい。方法は、スピーカを使用して音声コマンドを発するステップを含んでもよい。方法は、選択のための言語オプションを人物に提示するステップを含んでもよい。方法は、ユーザ入力を受け取るステップを含んでもよい。方法は、タッチスクリーンディスプレイを介してユーザ入力を受け取るステップを含んでもよい。方法は、マイクを介して音響によるユーザ入力を受け取るステップを含んでもよい。方法は、ユーザ入力として言語の選択を受け取るステップを含んでもよい。
【００２５】
方法は、文書を提示することを人物に要求するステップを含んでもよい。文書を提示することを人物に要求するステップは、文書スキャナに文書を提示することを人物に要求するステップを含んでもよい。文書を提示することを人物に要求するステップは、マジックミラーに文書を提示することを人物に要求するステップを含んでもよい。文書を提示することを人物に要求するステップは、身分証明書を提示することを人物に要求するステップを含んでもよい。文書を提示することを人物に要求するステップは、決済カードを提示することを人物に要求するステップを含んでもよい。方法は、走査するための文書を受け取るステップを含んでもよい。方法は、マジックミラーで走査するための文書を受け取るステップを含んでもよい。方法は、文書を走査するステップを含んでもよい。方法は、文書を自動で読み取るステップを含んでもよい。方法は、マジックミラーで文書を走査するステップを含んでもよい。方法は、文書を走査して作成されたデータを格納するステップを含んでもよい。方法は、文書を走査して作成されたデータをこの文書に関して事前に格納されたデータと比較するステップを含んでもよい。
【００２６】
方法は、指紋走査のために指を提示することを人物に要求するステップを含んでもよい。方法は、指紋走査のための指をマジックミラーに提示することを人物に要求するステップを含んでもよい。方法は、掌紋走査のために手のひらを提示することを人物に要求するステップを含んでもよい。方法は、掌紋走査のために手のひらをマジックミラーに提示することを人物に要求するステップを含んでもよい。方法は、人体の一部に関連する温度を測定するステップを含んでもよい。方法は、指紋採取のために提示されたオブジェクトに関連する温度を測定するステップを含んでもよい。方法は、掌紋採取のために提示されたオブジェクトに関連する温度を測定するステップを含んでもよい。
【００２７】
方法は、マジックミラーと対向するように人物に要求するステップを含んでもよい。方法は、ユーザ情報を収集するステップを含んでもよい。ユーザ情報を収集するステップは、ディスプレイに情報の要求を表示するステップを含んでもよい。ユーザ情報を収集するステップは、複数のメニュー選択を表示するステップを含んでもよい。ユーザ情報を収集するステップは、音声コマンドを発するステップを含んでもよい。ユーザ情報を収集するステップは、ユーザ入力を受け取るステップを含んでもよい。ユーザ情報を収集するステップは、ユーザ入力としてタッチスクリーン操作を受け取るステップを含んでもよい。ユーザ情報を収集するステップは、ユーザ入力として音響情報を受け取るステップを含んでもよい。ユーザ情報を収集するステップは、人物の１つまたは複数の画像を取り込むためにカメラを使用するステップを含んでもよい。ユーザ情報を収集するステップは、決済を受け取るステップを含んでもよい。方法は、生体データを収集するステップを含んでもよい。生体データを収集するステップは、人物の生体特徴を撮像するステップを含んでもよい。生体データを収集するステップは、人物の顔特徴を撮像するステップを含んでもよい。生体データを収集するステップは、人物の虹彩特徴を撮像するステップを含んでもよい。生体データを収集するステップは、人物の身体特徴を撮像するステップを含んでもよい。生体データを収集するステップは、人物の生体特徴を検出するステップを含んでもよい。生体データを収集するステップは、人物の生体特徴を感知するステップを含んでもよい。生体データを収集するステップは、人物がＩＲ放射への曝露中に、人物の生体特徴を撮像するステップを含んでもよい。生体データを収集するステップは、人物がＵＶ放射への曝露中に、人物の生体特徴を撮像するステップを含んでもよい。生体データを収集するステップは、人物の生体特徴のＩＲ画像を生成するステップを含んでもよい。生体データを収集するステップは、人物の生体特徴のＵＶ画像を生成するステップを含んでもよい。生体データを収集するステップは、人物が発した熱を測定するステップを含んでもよい。生体データを収集するステップは、人物に関連する音響情報を受け取るステップを含んでもよい。
【００２８】
方法は、収集されたユーザ情報がセキュリティチェックポイントによって承認されるかどうかを判定するステップを含んでもよい。収集されたユーザ情報がセキュリティチェックポイントによって承認されるかどうかを判定するステップは、ユーザ情報に関連する危険因子を定量するステップを含んでもよい。収集されたユーザ情報がセキュリティチェックポイントによって承認されるかどうかを判定するステップは、収集されたユーザ情報を事前に格納されたデータに比較するステップを含んでもよい。方法は、収集された生体データがセキュリティチェックポイントによって承認されるかどうかを判定するステップを含んでもよい。収集された生体データがセキュリティチェックポイントによって承認されるかどうかを判定するステップは、生体データに関連する危険因子を定量するステップを含んでもよい。収集された生体データがセキュリティチェックポイントによって承認されるかどうかを判定するステップは、収集された生体データを事前に格納されたデータに比較するステップを含んでもよい。収集された生体データがセキュリティチェックポイントによって承認されるかどうかを判定するステップは、自動顔認識分析を実行するステップを含んでもよい。収集された生体データがセキュリティチェックポイントによって承認されるかどうかを判定するステップは、自動筆跡分析を実行するステップを含んでもよい。収集された生体データがセキュリティチェックポイントによって承認されるかどうかを判定するステップは、自動音声認識分析を実行するステップを含んでもよい。
【００２９】
方法は、人物に関連する行動分析を実行するステップを含んでもよい。方法は、人物に関連する行動分析の結果を取得するステップを含んでもよい。行動分析を実行するステップは、行動データを分析するステップを含んでもよい。行動分析を実行するステップは、セキュリティチェックポイントで人物について収集された行動データを分析するステップを含んでもよい。行動分析を実行するステップは、自動視覚分析を実行するステップを含んでもよい。行動分析を実行するステップは、自動視覚分析を実行するステップを含んでもよい。行動分析を実行するステップは、自動音響分析を実行するステップを含んでもよい。行動分析を実行するステップは、自動スピーチ分析を実行するステップを含んでもよい。行動分析を実行するステップは、行動データを事前に格納されたデータと比較するステップを含んでもよい。行動分析を実行するステップは、行動データを既知の行動テンプレートと比較するステップを含んでもよい。
【００３０】
方法は、自動行動分析の結果がセキュリティチェックポイントによって承認されるかどうかを判定するステップを含んでもよい。自動行動分析の結果がセキュリティチェックポイントによって承認されるかどうかを判定するステップは、この結果を１つまたは複数の閾値に比較するステップを含んでもよい。
【００３１】
方法は、出口ゲートをロック解除するステップを含んでもよい。方法は、出口ゲートを開くステップを含んでもよい。方法は、出口ゲートを閉じるステップを含んでもよい。方法は、出口ゲートをロックするステップを含んでもよい。方法は、出口ドアウェイをロック解除するステップを含んでもよい。方法は、出口ドアウェイを開くステップを含んでもよい。方法は、出口ドアウェイを閉じるステップを含んでもよい。方法は、出口ドアウェイをロックするステップを含んでもよい。方法は、入口ドアウェイをロック解除するステップを含んでもよい。方法は、入口ドアウェイを開くステップを含んでもよい。方法は、入口ドアウェイを閉じるステップを含んでもよい。方法は、入口ドアウェイをロックするステップを含んでもよい。
【００３２】
方法は、セキュリティチェックポイントの動作状態を確認するステップを含んでもよい。方法は、コントローラに関連するパラメータ値を確認するステップを含んでもよい。
【００３３】
本発明の別の態様によれば、オブジェクトを認証し、オブジェクトに印刷するための一体型のリーダプリンタ機器が提供されている。前記一体型のリーダプリンタ機器は、本明細書に記載されているセキュリティチェックポイントに使用されおよび／または一体化されてもよい。リーダプリンタ機器は、オブジェクトを読み取って認証するためのリーダシステム、ならびにオブジェクトに印刷するためのプリンタシステムを含んでいる。オブジェクトは、文書であってもよい。オブジェクトは、価値アイテムであってもよい。価値アイテムは、文書であってもよい。文書は、綴じられた文書であってもよい。文書は、綴じられていない文書であってもよい。文書は、１つまたは複数のシートであってもよい。文書は、冊子体であってもよい。価値アイテムは、カードであってもよい。文書は、カードであってもよい。文書は、証明書であってもよい。価値アイテムは、製品であってもよい。価値アイテムは、製品ラベルであってもよい。文書は、ラベルであってもよい。文書は、タグであってもよい。文書は、ステッカであってもよい。
【００３４】
リーダプリンタ機器は、リーダプリンタプロセッサを含んでもよい。リーダプリンタプロセッサは、１つまたは複数の処理回路を含んでもよい。リーダプリンタ機器は、リーダプリンタメモリを含んでもよい。リーダプリンタメモリは、１つまたは複数のメモリ回路を含んでもよい。リーダプリンタ機器は、リーダプリンタ機器と他のデバイスとの間の通信を提供するための通信システムを含んでもよい。リーダプリンタ機器は、リーダプリンタ機器の位置を識別するための位置識別システムを含んでもよい。リーダプリンタ機器は、リーダプリンタ機器のユーザの生体走査を実行するための生体走査システムを含んでもよい。リーダプリンタ機器は、リーダシステム、プリンタシステム、リーダプリンタプロセッサ、リーダプリンタメモリ、通信システム、位置識別システム、および生体走査システムのうちの任意の１つまたは複数の構成要素を囲むためのリーダプリンタ筐体を含んでもよい。
【００３５】
リーダシステムは、リーダシステムが価値アイテムを読み取っているときに、価値アイテムを支持するためのリーダシステム支持体を含んでもよい。リーダシステム支持体は、板状であってもよい。リーダシステム支持体は、実質的に透明であってもよい。リーダシステムは、リーダシステム支持体で価値アイテムを受け入れるための寸法とした、受け入れフランジを含んでもよい。受け入れフランジは、受け入れスロットを画定してもよい。受け入れフランジは、リーダシステム支持体の周囲に配置されてもよい。受け入れフランジは、リーダシステム支持体の１つまたは複数の周囲面に沿って延伸していてもよい。受け入れフランジは、リーダシステム支持体の４つの周囲面の３つに沿って延伸していてもよい。受け入れフランジは、リーダプリンタ筐体から突出していてもよい。受け入れフランジは、リーダプリンタ筐体の一部を形成してもよい。リーダシステムは、価値アイテムがリーダシステム支持体によって支持されているときに、価値アイテムの存在を検出するためのセンサを含んでもよい。リーダシステムは、価値アイテムが受け入れフランジによって受け入れされているときに、価値アイテムの存在を検出するためのセンサを含んでもよい。リーダシステムは、リーダシステム支持体と受け入れフランジとの間に画定された空間内に配置されたセンサを含んでもよい。リーダシステムは、リーダシステム支持体の異なる周囲面に配置されたセンサを含んでもよい。リーダシステムは、リーダシステム支持体の３つの周囲面のそれぞれに配置された７個のセンサを含んでもよい。リーダシステムは、リーダシステム支持体の３つの周囲面のそれぞれに配置された３個のセンサを含んでもよい。リーダシステムは、受け入れフランジの３つの側面のそれぞれに配置された３個のセンサを含んでもよい。
【００３６】
リーダシステムは、電磁放射源を含んでもよい。電磁放射源は、リーダシステム支持体に電磁放射を向けるようにリーダプリンタ筐体内に配置されてもよい。電磁放射源は、電磁スペクトルの１つまたは複数の帯域の波長を有する電磁放射を作成するように動作可能であってもよい。電磁放射源は、赤外域の波長を有する電磁放射を作成するように動作可能であってもよい。電磁放射源は、可視光域の波長を有する電磁放射を作成するように動作可能であってもよい。電磁放射源は、紫外域の波長を有する電磁放射を作成するように動作可能であってもよい。この放射源は、発光ダイオード（ＬＥＤ）を含んでもよい。
【００３７】
リーダシステムは、画像を生成するための撮像デバイスを含んでもよい。リーダシステムの撮像デバイスは、リーダプリンタ筐体内に取り付けられてもよい。リーダシステムの撮像デバイスは、価値アイテムがリーダシステム支持体によって支持されているときに、価値アイテムの画像を取り込むように動作可能であってもよい。リーダシステムの撮像デバイスは、この放射源が電磁放射を生成しているときに、価値アイテムの画像を取り込むように動作可能であってもよい。
【００３８】
リーダシステムは、価値アイテムを認証するように動作可能であってもよい。リーダシステムは、リーダプリンタ筐体から取り外し可能であるような寸法にされてもよい。リーダシステムは、リーダシステムがリーダプリンタ筐体から取り外されるときに、リーダシステムを囲むエンクロージャを含んでもよい。
【００３９】
プリンタシステムは、リーダプリンタ筐体内に取り付けられたプリンタシステムの構成要素を含んでもよい。リーダプリンタ筐体は、プリンタの取り入れ口を画定する取り入れ口の開口を含んでもよい。リーダプリンタ筐体は、プリンタの取り入れ口に配置された取り入れ口のアクセスドアを含んでもよい。取り入れ口のアクセスドアは、取り入れ口フラップであってもよい。プリンタシステムは、取り入れ口のアクセスドアを閉じるように動作可能であってもよい。プリンタシステムは、取り入れ口のアクセスドアが閉じると、取り入れ口のアクセスドアをロックするように動作可能であってもよい。プリンタシステムは、取り入れ口のアクセスドアをロック解除するように動作可能であってもよい。プリンタシステムは、取り入れ口のアクセスドアを開くように動作可能であってもよい。
【００４０】
リーダプリンタ筐体は、プリンタの排出口を画定する排出口の開口を含んでもよい。リーダプリンタ筐体は、プリンタの排出口に配置された排出口アクセスドアを含んでもよい。排出口アクセスドアは、排出口フラップであってもよい。プリンタシステムは、排出口アクセスドアを閉じるように動作可能であってもよい。プリンタシステムは、排出口アクセスドアが閉じると、排出口アクセスドアをロックするように動作可能であってもよい。プリンタシステムは、排出口アクセスドアをロック解除するように動作可能であってもよい。プリンタシステムは、排出口アクセスドアを開くように動作可能であってもよい。
【００４１】
リーダプリンタ筐体は、プリンタの取り入れ口を介して価値アイテムをガイドするためのプリンタの取り入れ口ガイドを含んでもよい。プリンタの取り入れ口ガイドは、１つまたは複数のプリンタの取り入れ口ガイド壁を含んでもよい。プリンタの取り入れ口ガイドは、２つのプリンタの取り入れ口ガイド壁を含んでもよい。プリンタの取り入れ口ガイドは、４つのプリンタの取り入れ口ガイド壁を含んでもよい。プリンタの取り入れ口ガイドは、取り入れ口の開口から内側に突出していてもよい。プリンタの取り入れ口ガイドは、リーダプリンタ筐体内に突出していてもよい。プリンタの取り入れ口ガイドは、プリンタのプラテンに向かってに突出していてもよい。プリンタの取り入れ口ガイドは、印刷支持体に向かって突出していてもよい。
【００４２】
プリンタシステムは、プリンタシステムを介して価値アイテムを搬送するための搬送システムを含んでもよい。搬送システムは、印刷支持体を含んでもよい。印刷支持体は、プラテンを含んでもよい。印刷支持体は、印刷支持板であってもよい。印刷支持体は、板状であってもよい。印刷支持体は、価値アイテムを支持するための寸法にされてもよい。印刷支持体は、価値アイテムを支持するように動作可能であってもよい。リーダシステムは、印刷支持体を支持するための１つまたは複数の支柱を含んでもよい。印刷支持体は、支柱に取り付けられてもよい。支柱は、伸縮式であってもよい。プリンタシステムは、支柱を伸縮式に移動させることにより、垂直方向に印刷支持体を移動させるように動作可能であってもよい。プリンタシステムは、支柱を長くすることにより、上方垂直方向に印刷支持体を移動させるように動作可能であってもよい。プリンタシステムは、支柱を短くすることにより、下方垂直方向に印刷支持体を移動させるように動作可能であってもよい。
【００４３】
印刷支持体は、長手方向に隣接する複数の印刷支持板を含んでもよい。長手方向に隣接する複数の印刷支持板のうちの１つは、長手方向に隣接する複数の印刷支持板のうちの別の１つと独立して、垂直方向に移動可能であってもよい。長手方向に隣接する複数の印刷支持板のうちの１つは、第１垂直高さを有してもよく、長手方向に隣接する複数の印刷支持板のうちの別の１つは、第２垂直高さを有してもよい。１つの板と別の板が同じ垂直高さである場合、長手方向に隣接する複数の印刷支持板のうちの１つは、長手方向に隣接する複数の印刷支持板のうちの別の１つに当接していてもよい。支持板間に長手方向の隙間を形成するために、長手方向に隣接する複数の印刷支持板のうちの１つは、長手方向に隣接する複数の印刷支持板のうちの別の１つから離間されていてもよい。印刷支持体は、横方向に隣接する複数の印刷支持板を含んでもよい。横方向に隣接する複数の印刷支持板のうちの１つは、横方向に隣接する複数の印刷支持板のうちの別の１つと独立して、垂直方向に移動可能であってもよい。横方向に隣接する複数の印刷支持板のうちの１つは、第１垂直高さを有してもよく、横方向に隣接する複数の印刷支持板のうちの別の１つは、第２垂直高さを有してもよい。１つの板と別の板が同じ垂直高さである場合、横方向に隣接する複数の印刷支持板のうちの１つは、横方向に隣接する複数の印刷支持板のうちの別の１つに当接していてもよい。支持板間に横方向の隙間を形成するために、横方向に隣接する複数の印刷支持板のうちの１つは、横方向に隣接する複数の印刷支持板のうちの別の１つから離間されていてもよい。印刷支持体は、長手方向に隣接する印刷支持板の第１の対および長手方向に隣接する印刷支持板の第２の対を含んでもよく、第１の対は第２の対に横方向に隣接している。
【００４４】
搬送システムは、入口フィーダを含んでもよい。入口フィーダは、リーダプリンタ筐体内に取り付けられてもよい。入口フィーダは、印刷支持体の上に取り付けられてもよい。入口フィーダは、印刷支持体の上向きの垂直移動を制限するような寸法にされてもよい。入口フィーダは、ローラを含んでもよい。ローラは、自由に回転してもよい。ローラは、電動であってもよい。電動ローラは、双方向の電動ローラであってもよい。入口フィーダは、異なる断面直径の複数のローラを含んでもよい。複数のローラは、ローラの外面の一番低い地点がそれぞれ、同じ垂直高さにあるように取り付けられてもよい。複数のローラは、より大きな直径のローラがより小さな直径のローラよりプリンタの取り入れ口に近くなるように取り付けられてもよい。
【００４５】
プリンタシステムは、価値アイテムに印刷するための印字ヘッドを含んでもよい。プリンタシステムは、印字ヘッドを横方向に移動させるように、動作可能であってもよい。ローラは、印字ヘッドよりプリンタの取り入れ口に近くに取り付けられてもよい。印刷支持体は、ローラよりもプリンタの取り入れ口近くに長手方向に延伸していてもよい。印刷支持体は、印字ヘッドのようにプリンタの取り入れ口から離れて延伸することを避けるために、長手方向に延伸していてもよい。印刷支持体は、印字ヘッドの下に延びることを避けるために、長手方向に延伸していてもよい。印刷支持体は、印字ヘッドのようにプリンタの取り入れ口から離れて、長手方向に延伸していてもよい。印刷支持体は、印字ヘッドの下の地点に長手方向に延伸していてもよい。プラテンは、印字ヘッドに近接して冊子体を支持するような寸法にされてもよい。プラテンは、印字ヘッドの下に冊子体を支持するような寸法にされてもよい。プラテンは、印字ヘッドの下に画定された印刷ゾーンで冊子体を支持するような寸法にされてもよい。
【００４６】
プリンタシステムは、価値アイテムの前縁で価値アイテムを固定するためのフレームを含んでもよい（すなわち、プリンタの取り入れ口を介してリーダプリンタ筐体に挿入される価値アイテムの第１端部である）。プリンタシステムは、フレームを長手方向に移動させるように、動作可能であってもよい。プリンタシステムは、フレームを歯付きレールに沿って長手方向に移動させるように、動作可能であってもよい。プリンタシステムは、ピニオンギヤの動作によってフレームをラックに沿って長手方向に移動させるように、動作可能であってもよい。プリンタシステムは、価値アイテムをその前縁で引っ張ることによってフレームが価値アイテムを搬送するように、動作可能であってもよい。プリンタシステムは、プリンタシステムの受入位置からプリンタシステムの撮像位置に価値アイテムを搬送するように、動作可能であってもよい。プリンタシステムは、プリンタシステムの受入位置から印刷位置に価値アイテムを搬送するように、動作可能であってもよい。プリンタシステムは、撮像位置から印刷位置に価値アイテムを搬送するように、動作可能であってもよい。価値アイテムが印字ヘッドの下にある場合、場合により、価値アイテムの印刷可能領域が印字ヘッドの下にある場合、印刷位置はフレームの位置として画定されてもよい。プリンタシステムは、プリンタシステムの印刷位置から印刷終了位置に価値アイテムを搬送するように、動作可能であってもよい。プリンタシステムは、プリンタシステムの印刷終了位置から出口位置に価値アイテムを搬送するように、動作可能であってもよい。価値アイテムがリーダプリンタ筐体の外部から検索可能である場合、出口位置は、プリンタシステムの位置として画定されてもよい。価値アイテムがリーダプリンタ筐体の外部からユーザによって検索可能である場合、出口位置は、プリンタシステムの位置として画定されてもよい。価値アイテムがリーダプリンタ筐体の外部から自動モジュールによって検索可能である場合、出口位置は、プリンタシステムの位置として画定されてもよい。価値アイテムがプリンタの排出口を越えて配置されている場合、出口位置は、プリンタシステムの位置として画定されてもよい。
【００４７】
フレームは、上部フレーム部材および下部フレーム部材を含んでもよい。印刷支持体は、上部フレーム部材と下部フレーム部材との間に画定された空間内に、長手方向に延伸していてもよい。上部フレーム部材は、印刷支持体の上向きの垂直移動を制限するような寸法にされてもよい。プリンタシステムは、印刷支持体と上部フレーム部材との間に価値アイテムを固定するように動作可能であってもよい。プリンタシステムは、下部フレーム部材と上部フレーム部材との間の価値アイテムを固定するように動作可能であってもよい。プリンタシステムは、価値アイテムの固定を解放するように動作可能であってもよい。
【００４８】
プリンタシステムは、ストッパを含んでもよい。プリンタシステムは、画定可能な地点を越える価値アイテムの長手方向の移動を抑制するためにストッパを作動させるように、動作可能であってもよい。プリンタシステムは、価値アイテムの長手方向の移動を抑制しないためにストッパを非作動させるように、動作可能であってもよい。ストッパは、ゲートであってもよい。プリンタシステムは、画定可能な地点を越える価値アイテムの長手方向の移動を抑制するためにゲートを閉じるように、動作可能であってもよい。プリンタシステムは、価値アイテムの長手方向の移動を抑制しないためにゲートを開くように、動作可能であってもよい。ストッパは、フレームに回転可能に連結されてもよい。ストッパは、フレームにヒンジ式に接続されてもよい。ストッパは、フレームに摺動可能に接続されてもよい。
【００４９】
プリンタシステムは、画像を取り込むためのプリンタシステムの撮像デバイスを含んでもよい。プリンタシステムの撮像デバイスは、リーダプリンタ筐体内に取り付けられてもよい。プリンタシステムの撮像デバイスは、価値アイテムが印刷支持体によって支持されているときに、価値アイテムの画像を取り込むように動作可能であってもよい。プリンタシステムの撮像デバイスは、価値アイテムがフレームによって固定されているときに、価値アイテムの画像を取り込むように動作可能であってもよい。プリンタシステムの撮像デバイスは、価値アイテムがフレームによって固定されているときに、価値アイテムの印刷可能領域の画像を取り込むように動作可能であってもよい。
【００５０】
プリンタシステムは、価値アイテムを搬送するための搬送コンベヤを含んでもよい。プリンタシステムは、プリンタシステムが価値アイテムの印刷位置にあるときに、価値アイテムを搬送するための搬送コンベヤを含んでもよい。プリンタシステムは、プリンタシステムが価値アイテムの印刷終了位置にあるときに、価値アイテムを搬送するための搬送コンベヤを含んでもよい。搬送コンベヤは、突出した押板を有する搬送コンベヤベルトを含んでもよい。押板は、価値アイテムを係合するような寸法にされてもよい。押板は、押板の一端で価値アイテムを係合するような寸法にされてもよい。搬送コンベヤは、押板が価値アイテムに接触しているときに、価値アイテムを押すように動作可能であってもよい。搬送コンベヤは、搬送コンベヤが価値アイテムを搬送しているときに、押板によって価値アイテムを押すように動作可能であってもよい。搬送コンベヤは、長手方向に価値アイテムを押すためにリーダプリンタ筐体内に取り付けられてもよい。搬送コンベヤは、押板と価値アイテムの後縁のほぼ中央部との間を接触させることによって前方に価値アイテムを押すためにリーダプリンタ筐体内に取り付けられてもよい。搬送コンベヤは、押板と価値アイテムの前縁のほぼ中央部との間を接触させることによって逆方向に価値アイテムを押すためにリーダプリンタ筐体内に取り付けられてもよい。プリンタシステムは、複数の搬送コンベヤを含んでもよい。プリンタシステムは、第１および第２の平行な離間した搬送コンベヤを含んでもよく、それぞれの搬送コンベヤは押板を有する。平行な離間した搬送コンベヤは、押板が価値アイテムの一端の対向端で価値アイテムに接触するように、リーダプリンタ筐体内に取り付けられてもよい。搬送コンベヤは、ゲートが開いているとき、フレームよりプリンタの排出口に近い価値アイテムの前縁を搬送するように動作可能であってもよい。搬送コンベヤは、ゲートが開いているとき、価値アイテムの前縁がフレームよりプリンタの排出口に近くなるように、押板によって価値アイテムの後縁を押すことによって価値アイテムを搬送するように動作可能であってもよい。
【００５１】
プリンタシステムは、端部ブラケットを含んでもよい。端部ブラケットは、リーダプリンタ筐体内に取り付けられてもよい。端部ブラケットは、印刷支持体の長手方向端部に隣接して垂直方向に延伸していてもよい。端部ブラケットは、価値アイテムが搬送システムによって搬送されているときに、価値アイテムの横方向の移動を制限するような寸法にされてもよい。端部ブラケットは、片持ち部分を含んでもよい。端部ブラケットは、価値アイテムが搬送システムによって搬送されているときに、価値アイテムの端部の垂直移動を制限するような寸法にされてもよい。片持ち部分は、水平に配置された小部分と傾斜部分を含んでもよい。傾斜部分は、プリンタの取り入れ口に向かって上方に傾斜していてもよい。プリンタシステムは、印刷支持体の両側に配置された端部ブラケットの対を含んでもよい。
【００５２】
プリンタシステムは、出口システムを含んでもよい。搬送システムは、出口システムを含んでもよい。出口システムは、プリンタの排出口に向かって出口経路を画定する傾斜路を含んでもよい。出口経路は、傾斜していてもよい。出口経路は、垂直方向に傾斜していてもよい。出口経路は、水平方向に延伸していてもよい。出口経路は、上方向に傾斜していてもよい。出口経路は、下方向に傾斜していてもよい。傾斜路は、リーダプリンタ筐体の残りの部分に回転可能に連結されてもよい。プリンタシステムは、リーダプリンタ筐体の残りの部分に、傾斜路をヒンジ式に接続するためのヒンジを含んでもよい。傾斜路は、伸縮式であってもよい。傾斜路は、調整可能な長さを有してもよい。傾斜路は、傾斜路の切欠きを含んでもよい。傾斜路は、傾斜路の一角で切り欠かれてもよい。傾斜路は、傾斜路の一側縁に沿って切り欠かれてもよい。
【００５３】
出口システムは、出口経路に沿って価値アイテムを搬送するための出口コンベヤを含んでもよい。出口コンベヤは、出口コンベヤベルトを含んでもよい。出口コンベヤベルトは、コンベヤベルトから突出した出口の押板を有してもよい。出口の押板は、価値アイテムを係合するための寸法にされてもよい。出口の押板は、価値アイテムの一端と係合するための寸法にされてもよい。出口コンベヤは、出口の押板が価値アイテムに接触しているときに、価値アイテムを押すことによって価値アイテムを搬送するように動作可能であってもよい。
【００５４】
出口システムは、出口クランプを含んでもよい。出口クランプは、価値アイテムを固定するように動作可能であってもよい。出口クランプは、価値アイテムの一側縁に沿って価値アイテムを固定するように動作可能であってもよい。出口システムは、出口経路に沿って出口クランプを移動させるように動作可能であってもよい。
【００５５】
出口システムは、排出口フラップを含んでもよい。出口システムは、上部出口ガイドを含んでもよい。出口システムは、張り出し部を含んでもよい。出口システムは、出口側壁を含んでもよい。出口システムは、出口ローラを含んでもよい。出口ローラは、価値アイテムの側縁に沿って価値アイテムを接触させるような寸法にされてもよい。
【００５６】
リーダプリンタ機器は、リーダプリンタディスプレイを含んでもよい。リーダプリンタディスプレイは、液晶ディスプレイ（ＬＣＤ）であってもよい。リーダプリンタディスプレイは、タッチスクリーンディスプレイであってもよい。リーダプリンタ機器は、外部ディスプレイに接続するように動作可能であてもよい。リーダプリンタ機器は、１つまたは複数の押しボタンを含んでもよい。押しボタンは、リーダプリンタ筐体の外側から作動させるために取り付けられてもよい。リーダプリンタ機器は、１つまたは複数のインジケータを含んでもよい。インジケータは、表示灯であってもよい。インジケータは、リーダプリンタ筐体の外側から見えるように取り付けられてもよい。
【００５７】
リーダプリンタ機器は、電力管理システムを含んでもよい。リーダプリンタ機器は、バッテリを含んでもよい。電力管理システムは、バッテリを含んでもよい。バッテリは、充電可能であってもよい。リーダプリンタ機器は、無停電電源装置（ＵＰＳ）を含んでもよい。電力管理システムは、ＵＰＳを含んでもよい。
【００５８】
生体スキャナは、ユーザの身元の指標を作成するように動作可能であってもよい。リーダプリンタ筐体は、ユーザの指を支持するための寸法の生体スキャナ窓を含んでもよい。生体スキャナは、生体スキャナ窓で提示されているユーザの指を走査するように動作可能であってもよい。生体スキャナは、ユーザの顔が生体スキャナ窓の方に向けられると、ユーザの顔を走査するように動作可能であってもよい。生体スキャナは、ユーザの顔が生体スキャナ窓の方に向けられると、ユーザの顔の画像を取り込むように動作可能であってもよい。生体スキャナは、ユーザの目が生体スキャナ窓の方に向けられると、ユーザの目を走査するように動作可能であってもよい。生体スキャナは、ユーザの目が生体スキャナ窓の方に向けられると、ユーザの目の画像を取り込むように動作可能であってもよい。
【００５９】
位置識別システムは、リーダプリンタ機器の現在位置がユーザ定義の許可ゾーン内にあるかどうかを判定するように動作可能であってもよい。位置識別システムは、リーダプリンタ機器の現在位置がユーザ定義の許可ゾーン内にあるかどうかに関しての指標を作成するように動作可能であってもよい。
【００６０】
本発明の別の態様によれば、価値アイテムに印刷するためのプリンタ機器が提供されている。プリンタ機器は、リーダプリンタ筐体およびプリンタシステムを含んでもよい。リーダプリンタ筐体は、リーダシステムがリーダプリンタ筐体から取り外されるときに、プリンタシステムを囲むための寸法にされてもよい。
【００６１】
本発明の別の態様によれば、価値アイテムを処理するためのモジュールシステムが提供されている。モジュールシステムは、処理機能を実行するための相互接続モジュールを含む。モジュールシステムは、取り外し可能に接続できるスタッキングフィーダモジュールを含んでもよい。モジュールシステムは、価値アイテムを認証し、価値アイテムに印刷するための一体型のリーダプリンタ機器を含んでもよい。モジュールシステムは、価値アイテムに印刷するためのプリンタ機器を含んでもよい。モジュールシステムは、取り外し可能に接続できるキュアリングステーションを含んでもよい。モジュールシステムは、取り外し可能に接続できるＲＦＩＤステーションを含んでもよい。モジュールシステムは、取り外し可能に接続できる品質保証ステーションを含んでもよい。モジュールシステムは、取り外し可能に接続できる仕上げステーションを含んでもよい。モジュールシステムは、取り外し可能に接続できるリーダステーションを含んでもよい。リーダステーションは、リーダシステムを含んでもよい。リーダステーションは、価値アイテムがリーダシステムによって受け入れされているときに、価値アイテムを囲むためのエンクロージャを含んでもよい。リーダシステムは、１つまたは複数の電磁放射源を含んでもよい。１つまたは複数の放射源は、レーザ放射を作成するように動作可能であってもよい。１つまたは複数の放射源は、Ｘ線放射を作成するように動作可能であってもよい。モジュールシステムは、取り外し可能に接続できる引き渡しステーションを含んでもよい。
【００６２】
本発明の別の態様によれば、価値アイテムを認証し、価値アイテムに印刷するための方法が提供されている。方法は、認証用の価値アイテムを読み取るステップと、印刷用の価値アイテムを受け取るステップと、価値アイテムに印刷するステップと、を含んでいる。
【００６３】
方法は、ユーザを識別するステップを含んでもよい。ユーザを識別するステップは、生体スキャナでオブジェクトの存在を検出するステップを含んでもよい。ユーザを識別するステップは、生体スキャナを使用してオブジェクトを走査するステップを含んでもよい。ユーザを識別するステップは、オブジェクトの走査が格納されている生体プロファイルと一致するかどうかを判定するステップを含んでもよい。ユーザを識別するステップは、パスコードをユーザに要求するステップを含んでもよい。ユーザを識別するステップは、ユーザ入力としてパスコードを受け取るステップを含んでもよい。ユーザを識別するステップは、受け取ったパスコードが格納されている生体プロファイルに関連しているかどうかを判定するステップを含んでもよい。
【００６４】
方法は、一体型のリーダプリンタのユーザによる使用を許可するステップを含んでもよい。方法は、プリンタシステムのユーザによる使用を許可するステップを含んでもよい。プリンタシステムのユーザによる使用を許可するステップは、収容されたプリンタシステムのユーザによる使用を許可するステップを含んでもよい。方法は、リーダステーションのユーザによる使用を許可するステップを含んでもよい。
【００６５】
方法は、価値アイテムを認証するステップを含んでもよい。価値アイテムを認証するステップは、価値アイテムの支持体でオブジェクトの存在を感知するステップを含んでもよい。価値アイテムを認証するステップは、冊子支持体でオブジェクトの存在を感知するステップを含んでもよい。価値アイテムを認証するステップは、オブジェクトが有効なタイプであるかどうかを判定するステップを含んでもよい。オブジェクトが有効なタイプであるかどうかを判定するステップは、このオブジェクトを有効なタイプのオブジェクトに割り当てるステップを含んでもよい。価値アイテムを認証するステップは、オブジェクトが有効なタイプの冊子体であるかどうかを判定するステップを含んでもよい。オブジェクトが有効なタイプの冊子体であるかどうかを判定するステップは、このオブジェクトを有効なタイプの冊子体に割り当てるステップを含んでもよい。価値アイテムを認証するステップは、有効なタイプのオブジェクトを読み取るステップを含んでもよい。価値アイテムを認証するステップは、有効なタイプの冊子体を読み取るステップを含んでもよい。価値アイテムを認証するステップは、価値アイテムを読み取るステップを含んでもよい。価値アイテムを読み取るステップは、有効なタイプのオブジェクトの画像を取り込むステップを含んでもよい。価値アイテムを読み取るステップは、価値アイテムの画像を取り込むステップを含んでもよい。価値アイテムを読み取るステップは、この画像の画像解析を実行するステップを含んでもよい。価値アイテムを認証するステップは、セキュリティ署名を生成するステップを含んでもよい。セキュリティ署名を生成するステップは、画像に応じてセキュリティ署名を生成するステップを含んでもよい。価値アイテムを認証するステップは、セキュリティ署名が格納されているセキュリティ署名と一致するかどうかを判定するステップを含んでもよい。価値アイテムを認証するステップは、有効なタイプのオブジェクトを認証された価値アイテムに割り当てるステップを含んでもよい。価値アイテムを認証するステップは、有効なタイプの冊子体を認証された価値アイテムに割り当てるステップを含んでもよい。価値アイテムを認証するステップは、有効なタイプの冊子体を認証された冊子体に割り当てるステップを含んでもよい。価値アイテムを認証するステップは、価値アイテムを認証された価値アイテムに割り当てるステップを含んでもよい。
【００６６】
方法は、プリンタへのアクセスを許可するステップを含んでもよい。プリンタへのアクセスを許可するステップは、プリンタシステムへのアクセスを許可するステップを含んでもよい。プリンタへのアクセスを許可するステップは、一体型のリーダプリンタ機器のプリンタシステムへのアクセスを許可するステップを含んでもよい。プリンタへのアクセスを許可するステップは、取り入れ口フラップをロック解除するステップを含んでもよい。プリンタへのアクセスを許可するステップは、取り入れ口フラップを解放するステップを含んでもよい。プリンタへのアクセスを許可するステップは、取り入れ口フラップによって画定された開口部を露出するために取り入れ口フラップを移動させるステップを含んでもよい。プリンタへのアクセスを許可するステップは、プリンタシステムを可能にするステップを含んでもよい。プリンタへのアクセスを許可するステップは、プリンタシステムの電源を入れるステップを含んでもよい。プリンタへのアクセスを許可するステップは、プリンタシステムを受入位置に移動させるステップを含んでもよい。
【００６７】
方法は、価値アイテムの印刷領域を決定するステップを含んでもよい。価値アイテムの印刷領域を決定するステップは、冊子体の印刷領域を決定するステップを含んでもよい。価値アイテムの印刷領域を決定するステップは、プリンタの取り入れ口を介してオブジェクトを受け入れるステップを含んでもよい。プリンタの取り入れ口を介してオブジェクトを受け入れるステップは、プリンタシステムのストッパゲートに近接しているオブジェクトの存在を感知するステップを含んでもよい。プリンタシステムのストッパゲートに近接しているオブジェクトの存在を感知するステップは、プリンタシステムのプリンタセンサからの出力を受け取るステップを含んでもよい。プリンタの取り入れ口を介してオブジェクトを受け入れるステップは、オブジェクトをその前縁で固定するステップを含んでもよい。オブジェクトをその前縁で固定するステップは、プラテンを垂直方向に移動させるステップを含んでもよい。プラテンを垂直方向に移動させるステップは、プリンタシステムの搬送フレームの上部フレーム板に向かって上方にプラテンを移動させるステップを含んでもよい。オブジェクトをその前縁で固定するステップは、固定フレームの下部クランプ板を垂直方向に移動させるステップを含んでもよい。固定フレームの下部クランプ板を垂直方向に移動させるステップは、上部フレーム板に向かって上方に下部クランプ板を移動させるステップを含んでもよい。プリンタの取り入れ口を介してオブジェクトを受け入れるステップは、プリンタシステムの支持板を垂直方向に移動させるステップを含んでもよい。プリンタシステムの支持板を垂直方向に移動させるステップは、オブジェクトの非縁部領域でオブジェクトを固定するために、支持板を移動させるステップを含んでもよい。非縁部領域でオブジェクトを固定するステップは、支持板と送りローラとの間でオブジェクトを固定するステップを含んでもよい。プリンタの取り入れ口を介してオブジェクトを受け入れるステップは、プラテンと送りローラとの間の非縁部領域でオブジェクトを固定するステップを含んでもよい。プリンタの取り入れ口を介してオブジェクトを受け入れるステップは、プリンタシステムの撮像位置に長手方向にオブジェクトを移動させるステップを含んでもよい。プリンタシステムの撮像位置に長手方向にオブジェクトを移動させるステップは、プラテンおよび搬送フレームを移動させるステップを含んでもよい。プラテンおよび搬送フレームを移動させるステップは、プラテンおよび搬送フレームを一緒に長手方向に移動させるステップを含んでもよい。プリンタシステムの撮像位置に長手方向にオブジェクトを移動させるステップは、固定フレームを移動させるステップを含んでもよい。固定フレームを移動させるステップは、レールに沿って長手方向に固定フレームを移動させるステップを含んでもよい。固定フレームを移動させるステップは、ラックに沿って長手方向に固定フレームを移動させるステップを含んでもよい。価値アイテムの印刷領域を決定するステップは、オブジェクトの画像を表示するステップを含んでもよい。オブジェクトの画像を表示するステップは、オブジェクトの画像を取り込むステップを含んでもよい。オブジェクトの画像を取り込むステップは、プリンタシステムの撮像デバイスによって画像を取り込むステップを含んでもよい。価値アイテムの印刷領域を決定するステップは、オブジェクトが印刷に適しているかどうかを判定するステップを含んでもよい。オブジェクトが印刷に適しているかどうかを判定するステップは、画像が認証された価値アイテムと一致するかどうかを判定するステップを含んでもよい。オブジェクトが印刷に適しているかどうかを判定するステップは、画像の画像解析を実行するステップを含んでもよい。オブジェクトが印刷に適しているかどうかを判定するステップは、ユーザ入力を受け取るステップを含んでもよい。価値アイテムの印刷領域を決定するステップは、オブジェクトを排出するステップを含んでもよい。価値アイテムの印刷領域を決定するステップは、ユーザ入力として印刷領域を受け取るステップを含んでもよい。価値アイテムの印刷領域を決定するステップは、画像の画像解析を実行するステップを含んでもよい。
【００６８】
方法は、印刷領域内で認証された価値アイテムに印刷するステップを含んでもよい。印刷領域内で認証された価値アイテムに印刷するステップは、認証された冊子体に印刷するステップを含んでもよい。印刷領域内で認証された価値アイテムに印刷するステップは、プリンタシステムの印字ヘッドをプリンタシステムの印字ヘッドガイドに沿って横方向に移動させるステップを含んでもよい。印刷領域内で認証された価値アイテムに印刷するステップは、認証された価値アイテムを搬送するステップを含んでもよい。認証された価値アイテムを搬送するステップは、認証された価値アイテムを長手方向に搬送するステップを含んでもよい。認証された価値アイテムを搬送するステップは、認証された価値アイテムをその前縁で引っ張るステップを含んでもよい。認証された価値アイテムを搬送するステップは、プリンタシステムのプラテンおよび搬送フレームを移動させるステップを含んでもよい。プリンタシステムのプラテンおよび搬送フレームを移動させるステップは、プラテンおよび搬送フレームをプリンタの排出口に向かって長手方向に移動させるステップを含んでもよい。プリンタシステムのプラテンおよび搬送フレームを移動させるステップは、プラテンおよび搬送フレームを歯付きレールに沿って移動させるステップを含んでもよい。認証された価値アイテムを搬送するステップは、プリンタシステムの固定フレームを移動させるステップを含んでもよい。プリンタシステムの固定フレームを移動させるステップは、固定フレームをプリンタの排出口に向かって長手方向に移動させるステップを含んでもよい。プリンタシステムの固定フレームを移動させるステップは、ラックと係合したピニオンギヤを駆動することによってラックに沿って固定フレームを移動させるステップを含んでもよい。印刷領域内で認証された価値アイテムに印刷するステップは、認証された価値アイテムを印刷された価値アイテムに割り当てるステップを含んでもよい。印刷領域内で認証された価値アイテムに印刷するステップは、認証された価値アイテムを印刷された冊子体に割り当てるステップを含んでもよい。
【００６９】
方法は、認証された価値アイテムを解放するステップを含んでもよい。認証された価値アイテムを解放するステップは、印刷された価値アイテムを解放するステップを含んでもよい。認証された価値アイテムを解放するステップは、印刷された冊子体を解放するステップを含んでもよい。認証された価値アイテムを解放するステップは、プリンタシステムをプリンタシステムの印刷終了位置に設定するステップを含んでもよい。プリンタシステムをプリンタシステムの印刷終了位置に設定するステップは、印刷された価値アイテムを搬送するステップを含んでもよい。認証された価値アイテムを解放するステップは、印刷された価値アイテムを固定解除するステップを含んでもよい。印刷された価値アイテムを固定解除するステップは、印刷された冊子体を固定解除するステップを含んでもよい。印刷された価値アイテムを固定解除するステップは、プラテンを垂直方向に移動させるステップを含んでもよい。プラテンを垂直方向に移動させるステップは、プラテンを下げるステップを含んでもよい。印刷された価値アイテムを固定解除するステップは、下部クランプ板を垂直方向に移動させるステップを含んでもよい。下部クランプ板を垂直方向に移動させるステップは、下部クランプ板を下げるステップを含んでもよい。印刷された価値アイテムを固定解除するステップは、印刷支持体を垂直方向に移動させるステップを含んでもよい。印刷支持体を垂直方向に移動させるステップは、印刷支持体を下げるステップを含んでもよい。認証された価値アイテムを解放するステップは、ストッパを非作動させるステップを含んでもよい。ストッパを非作動させるステップは、ストッパを回転させるステップを含んでもよい。ストッパを非作動させるステップは、ストッパを下げるステップを含んでもよい。ストッパを下げるステップは、ストッパの下端に配置されたストッパヒンジを中心にストッパを回転させるステップを含んでもよい。ストッパを非作動させるステップは、ストッパを上げるステップを含んでもよい。ストッパを上げるステップは、ストッパの上端に配置されたストッパヒンジを中心にストッパを回転させるステップを含んでもよい。認証された価値アイテムを解放するステップは、ゲートを開くステップを含んでもよい。ゲートを開くステップは、ゲートを回転させるステップを含んでもよい。ゲートを開くステップは、ゲートを下げるステップを含んでもよい。ゲートを下げるステップは、ゲートの下端に配置されたゲートヒンジを中心にゲートを回転させるステップを含んでもよい。ゲートを開くステップは、ゲートを上げるステップを含んでもよい。ゲートを上げるステップは、ゲートの上端に配置されたゲートヒンジを中心にゲートを回転させるステップを含んでもよい。認証された価値アイテムを解放するステップは、コンベヤの押板によって印刷された価値アイテムを長手方向に移動させるステップを含んでもよい。認証された価値アイテムを解放するステップは、コンベヤの押板によって印刷された冊子体を長手方向に移動させるステップを含んでもよい。認証された価値アイテムを解放するステップは、プリンタシステムを印刷終了位置に設定するステップを含んでもよい。プリンタシステムを印刷終了位置に設定するステップは、コンベヤの押板によって印刷された価値アイテムを長手方向に移動させるステップを含んでもよい。コンベヤの押板によって印刷された価値アイテムを長手方向に移動させるステップは、コンベヤの押板と印刷された価値アイテムとの間を価値アイテムの後縁で接触させることによって印刷された価値アイテムを押すステップを含んでもよい。認証された価値アイテムを解放するステップは、プリンタの排出口に向かって印刷された価値アイテムを移動させるステップを含んでもよい。認証された価値アイテムを解放するステップは、プリンタの排出口に向かって印刷された冊子体を移動させるステップを含んでもよい。認証された価値アイテムを解放するステップは、プリンタシステムをプリンタシステムの出口位置に設定するステップを含んでもよい。プリンタシステムを出口位置に設定するステップは、印刷された価値アイテムを搬送システムから排出するステップを含んでもよい。印刷された価値アイテムを搬送システムから排出するステップは、印刷された価値アイテムを搬送システムから部分的に排出するステップを含んでもよい。印刷された価値アイテムをプリンタの排出口に向かって移動させるステップは、印刷された価値アイテムを出口コンベヤによって搬送するステップを含んでもよい。印刷された価値アイテムを出口コンベヤによって搬送するステップは、印刷された価値アイテムを出口コンベヤの押板によって押すステップを含んでもよい。出口コンベヤの押板によって印刷された価値アイテムを押すステップは、出口コンベヤの押板と印刷された価値アイテムとの間を価値アイテムの後縁で接触させるステップを含んでもよい。印刷された価値アイテムをプリンタの排出口に向かって移動させるステップは、印刷された価値アイテムを出口クランプによって固定するステップを含んでもよい。印刷された価値アイテムを出口クランプによって固定するステップは、印刷された価値アイテムを印刷された価値アイテムの側縁で固定するステップを含んでもよい。印刷された価値アイテムをプリンタの排出口に向かって移動させるステップは、出口クランプを出口傾斜路に沿って長手方向に移動させるステップを含んでもよい。印刷された価値アイテムをプリンタの排出口に向かって移動させるステップは、排出口フラップをロック解除するステップを含んでもよい。印刷された価値アイテムをプリンタの排出口に向かって移動させるステップは、排出口フラップを移動させるステップを含んでもよい。排出口フラップを移動させるステップは、排出口フラップを開くステップを含んでもよい。印刷された価値アイテムをプリンタの排出口に向かって移動させるステップは、排出口フラップをロックするステップを含んでもよい。排出口フラップをロックするステップは、印刷された価値アイテムをプリンタの排出口を過ぎて移動させた後に、排出口フラップをロックするステップを含んでもよい。排出口フラップをロックするステップは、印刷された価値アイテムがプリンタの排出口を越えていることの指標を受け取るステップを含んでもよい。認証された価値アイテムを解放するステップは、プリンタシステムをプリンタシステムの受入位置に戻すステップを含んでもよい。プリンタシステムをプリンタシステムの受入位置に戻すステップは、プラテンおよび搬送フレームをプリンタの取り入れ口に向かって長手方向に移動させるステップを含んでもよい。プリンタシステムをプリンタシステムの受入位置に戻すステップは、固定フレームをプリンタの取り入れ口に向かって長手方向に移動させるステップを含んでもよい。プリンタシステムをプリンタシステムの受入位置に戻すステップは、搬送フレームを固定解除した位置に戻すステップを含んでもよい。プリンタシステムをプリンタシステムの受入位置に戻すステップは、固定フレームを固定解除した位置に戻すステップを含んでもよい。プリンタシステムをプリンタシステムの受入位置に戻すステップは、ストッパを作動させるステップを含んでもよい。プリンタシステムをプリンタシステムの受入位置に戻すステップは、ゲートを閉じるステップを含んでもよい。プリンタシステムをプリンタシステムの受入位置に戻すステップは、搬送コンベヤを移動させるステップを含んでもよい。プリンタシステムをプリンタシステムの受入位置に戻すステップは、複数のコンベヤを移動させるステップを含んでもよい。複数のコンベヤを移動させるステップは、一対の平行な離間したコンベヤを移動させるステップを含んでもよい。プリンタシステムをプリンタシステムの受入位置に戻すステップは、出口コンベヤを移動させるステップを含んでもよい。プリンタシステムをプリンタシステムの受入位置に戻すステップは、出口クランプを固定解除するステップを含んでもよい。プリンタシステムをプリンタシステムの受入位置に戻すステップは、出口クランプを初期位置に移動させるステップを含んでもよい。プリンタシステムをプリンタシステムの受入位置に戻すステップは、排出口フラップを閉じるステップを含んでもよい。プリンタシステムをプリンタシステムの受入位置に戻すステップは、排出口フラップをロックするステップを含んでもよい。プリンタシステムをプリンタシステムの受入位置に戻すステップは、取り入れ口フラップを閉じるステップを含んでもよい。プリンタシステムをプリンタシステムの受入位置に戻すステップは、取り入れ口フラップをロックするステップを含んでもよい。プリンタシステムをプリンタシステムの受入位置に戻すステップは、取り入れ口フラップをロック解除するステップを含んでもよい。
【００７０】
方法は、リーダシステムによって実行される動作のログを記録するステップを含んでもよい。方法は、プリンタシステムによって実行される動作のログを記録するステップを含んでもよい。方法は、一体型のリーダプリンタ機器によって実行される動作のログを記録するステップを含んでもよい。
【００７１】
本発明の別の態様によれば、価値アイテムを認証するための方法が提供されている。方法は、価値アイテムを受け取るステップ、および価値アイテムを認証するステップを含む。価値アイテムを認証するステップは、レーザ放射を生成するステップを含んでもよい。価値アイテムを認証するステップは、Ｘ線放射を生成するステップを含んでもよい。
【００７２】
本発明の別の態様によれば、価値アイテムに印刷するための方法が提供されている。方法は、価値アイテムを受け取るステップと、価値アイテムを搬送するステップと、価値アイテムに印刷するステップと、を含んでいる。価値アイテムを受け取るステップは、自動フィーダから価値アイテムを受け取るステップを含んでもよい。価値アイテムを搬送するステップは、価値アイテムをその前縁で固定するステップを含んでもよい。価値アイテムをその前縁で固定するステップは、フレームによって固定するステップを含んでもよい。価値アイテムを搬送するステップは、価値アイテムの前縁によって価値アイテムを引っ張るステップを含んでもよい。価値アイテムの前縁によって価値アイテムを引っ張るステップは、価値アイテムを固定しているときにフレームを長手方向に移動させるステップを含んでもよい。価値アイテムを搬送するステップは、価値アイテムをその後縁によって押すステップを含んでもよい。価値アイテムをその後縁によって押すステップは、コンベヤベルトから突出した押板によって価値アイテムを押すステップを含んでもよい。
【００７３】
本発明の一態様によれば、セキュリティチェックポイントは、生体走査システムを含んでもよい。指紋スキャナは、生体走査システムを含んでもよい。掌紋スキャナは、生体走査システムを含んでもよい。セキュリティチェックポイントは、リーダプリンタディスプレイを含んでもよい。ディスプレイは、リーダプリンタディスプレイを含んでもよい。セキュリティチェックポイントは、リーダシステムを含んでもよい。文書スキャナは、リーダシステムを含んでもよい。セキュリティチェックポイントは、電力管理システムを含んでもよい。セキュリティチェックポイントは、リーダプリンタプロセッサを含んでもよい。コントローラは、リーダプリンタプロセッサを含んでもよい。プロセッサは、リーダプリンタプロセッサを含んでもよい。セキュリティチェックポイントは、リーダプリンタメモリを含んでもよい。メモリは、リーダプリンタメモリを含んでもよい。セキュリティチェックポイントは、通信システムを含んでもよい。通信コントローラは、通信システムを含んでもよい。セキュリティチェックポイントは、位置識別システムを含んでもよい。セキュリティチェックポイントは、プリンタシステムを含んでもよい。プリンタは、プリンタシステムを含んでもよい。セキュリティチェックポイントは、搬送システムを含んでもよい。セキュリティチェックポイントは、モジュールシステムを含んでもよい。セキュリティチェックポイントは、スタッキングフィーダモジュールを含んでもよい。セキュリティチェックポイントは、リーダプリンタ機器を含んでもよい。セキュリティチェックポイントは、キュアリングステーションを含んでもよい。セキュリティチェックポイントは、ＲＦＩＤステーションを含んでもよい。セキュリティチェックポイントは、品質保証ステーションを含んでもよい。セキュリティチェックポイントは、仕上げステーションを含んでもよい。セキュリティチェックポイントは、リーダステーションを含んでもよい。セキュリティチェックポイントは、引き渡しステーションを含んでもよい。
【００７４】
本発明の別の態様によれば、価値アイテムを認証し、価値アイテムに印刷するための一体型のリーダプリンタ機器が提供されている。リーダプリンタ機器は、（ａ）価値アイテムを読み取って認証するためのリーダシステムであって、リーダシステムは、価値アイテムのセキュリティ特徴の材料特性のデジタル表現を備えたセキュリティ署名を作成するように動作可能であり、このセキュリティ署名が格納されているセキュリティ署名と一致するかどうかを判定するように動作可能である、リーダシステム、および（ｂ）価値アイテムに印刷するためのプリンタシステムであって、プリンタシステムは価値アイテムを搬送するための搬送システムを備え、搬送システムは、価値アイテムを搬送しているときに価値アイテムの一端だけに沿って価値アイテムを固定するように動作可能である、プリンタシステム、を含んでいる。
【００７５】
搬送システムは、一端から離れて価値アイテムに転動可能に接触するためのローラを含んでもよい。搬送システムは、搬送フレームおよびプラテンを含んでもよい。搬送フレームは、上部フレーム板を含んでもよい。搬送システムは、プラテンと上部フレーム板との間に価値アイテムを固定するように動作可能であってもよい。搬送システムは、搬送フレームをローラに対して長手方向に移動させるように動作可能であってもよい。搬送システムは、固定フレームを含んでもよい。固定フレームは、下部フレーム板を含んでもよい。固定フレームは、上部フレーム板を含んでもよい。搬送システムは、下部クランプ板と上部クランプ板との間に価値アイテムを固定するように動作可能であってもよい。搬送システムは、固定フレームをローラに対して長手方向に移動させるように動作可能であってもよい。機器は、入口フィーダを含んでもよい。入口フィーダは、搬送システムにヒンジ式に連結されてもよい。入口フィーダは、ローラを含んでもよい。機器は、入口フィーダと価値アイテムとの間の接触を抑制するために、入口フィーダを上げるように動作可能であってもよい。入口フィーダは、入口フィーダをヒンジ式に連結するためのヒンジ接続部を含んでもよい。入口フィーダは、別のローラを含んでもよい。別のローラは、平行にローラから離間していてもよい。機器は、プリンタの取り入れ口を含んでもよい。機器は、プリンタの取り入れ口で価値アイテムの存在を感知するように動作可能であってもよい。入口フィーダは、価値アイテムがプリンタの取り入れ口を介してプリンタシステムに挿入されているときに、価値アイテムをガイドするための寸法にされてもよい。プリンタシステムは、プリンタの取り入れ口を介して価値アイテムを解放するように動作可能であってもよい。搬送システムは、ストッパを越える価値アイテムの長手方向の移動を抑制するためのストッパを含んでもよい。機器は、価値アイテムがストッパに近接すると、搬送システムに価値アイテムを固定させるように動作可能であってもよい。ストッパは、ストッパゲートを含んでもよい。ストッパゲートは、搬送システムにヒンジ式に接続されてもよい。ストッパゲートは、ストッパを越える価値アイテムの移動を許可するように動作可能であってもよい。機器は、搬送コンベヤを含んでもよい。搬送コンベヤは、押板を含んでもよい。搬送コンベヤは、価値アイテムを押すように動作可能であってもよい。機器は、出口傾斜路を含んでもよい。機器は、出口クランプおよび出口コンベヤの少なくとも一方を含んでもよい。プリンタシステムは、価値アイテムが搬送システムによって固定されると、価値アイテムの画像を生成するための撮像デバイスを含んでもよい。機器は、ディスプレイを含んでもよい。機器は、ディスプレイ上に画像を表示することに応じて、ユーザ入力として印刷領域を受け取るように動作可能であってもよい。リーダシステムは、価値アイテムのリーダシステム画像を取り込むように動作可能であってもよい。リーダシステムは、リーダシステム画像に応じてセキュリティ署名を作成するように動作可能であってもよい。機器は、生体スキャナを含んでもよい。
【００７６】
本発明の別の態様によれば、価値アイテムを認証し、価値アイテムに印刷するための方法が提供されている。方法は、（ａ）（i）一体型のリーダプリンタによって価値アイテムの画像を取り込むステップ、（ii）この画像に応じて、価値アイテムのセキュリティ特徴の材料特性のデジタル表現を備えたセキュリティ署名をリーダプリンタによって生成するステップ、および（iii）このセキュリティ署名が格納されているセキュリティ署名と一致するかどうかをリーダプリンタによって判定するステップ、によって価値アイテムを認証するステップと、（ｂ）（iv）プリンタシステムの搬送システムによって価値アイテムの一端だけに沿って価値アイテムを固定するステップ、および（v）印刷中に固定されている価値アイテムを搬送するステップ、によってリーダプリンタのプリンタシステムを使用して価値アイテムに印刷するステップと、を含む。
【００７７】
本発明の別の態様によれば、セキュリティチェックポイントが提供されている。セキュリティチェックポイントは、（ａ）セキュリティチェックポイントでの人物に関するデータの自動記録を隠れて可能にするためのマジックミラーと、（ｂ）データを記録するための記録装置であって、マジックミラーによって隠されている記録装置と、（ｃ）出口ゲートおよび出口ドアウェイの少なくとも一方を含む出口と、（ｄ）価値アイテムを認証し、価値アイテムに印刷するための一体型のリーダプリンタであって、（i）認証結果を作成するために価値アイテムを読み取って認証するためのリーダシステム、および（ii）価値アイテムに印刷するためのプリンタシステムであって、プリンタシステムは価値アイテムを搬送するための搬送システムを含み、搬送システムは、価値アイテムを搬送しているときに価値アイテムの一端だけに沿って価値アイテムを固定するように動作可能であるプリンタシステム、を含むリーダプリンタと、を含む。
【００７８】
少なくとも認証結果がセキュリティチェックポイントによって承認される場合、セキュリティチェックポイントは、出口をロック解除するように動作可能であってもよい。リーダプリンタは、価値アイテムがリーダプリンタによって受け入れられると、価値アイテムの画像を生成するための撮像デバイスを含んでもよい。セキュリティチェックポイントは、生体データを収集するように動作可能であってもよい。セキュリティチェックポイントは、生体データの比較結果を作成するために、生体データと画像を比較するように動作可能であってもよい。少なくとも生体データの比較結果がセキュリティチェックポイントによって承認される場合、セキュリティチェックポイントは、出口をロック解除するように動作可能であってもよい。セキュリティチェックポイントは、画像を含むユーザ情報を収集するように動作可能であってもよい。少なくともユーザ情報がセキュリティチェックポイントによって承認される場合、セキュリティチェックポイントは、出口をロック解除するように動作可能であってもよい。リーダプリンタは、価値アイテムの複数の画像を作成するように動作可能であってもよい。セキュリティチェックポイントは、複数の画像のうちの少なくとも１つを含むユーザ情報を収集するように動作可能であってもよい。少なくとも生体データの比較結果およびユーザ情報の両方がセキュリティチェックポイントによって承認される場合、セキュリティチェックポイントは、出口をロック解除するように動作可能であってもよい。セキュリティチェックポイントは、行動分析結果を作成するために、行動データを収集して行動データを分析するように動作可能であってもよい。少なくとも生体データの比較結果、ユーザ情報、および行動分析結果のすべてがセキュリティチェックポイントによって承認される場合、セキュリティチェックポイントは、出口をロック解除するように動作可能であってもよい。少なくとも生体データの比較結果、ユーザ情報、行動分析結果、および認証結果のすべてがセキュリティチェックポイントによって承認される場合、セキュリティチェックポイントは、出口をロック解除するように動作可能であってもよい。リーダシステムは、価値アイテムのセキュリティ特徴の材料特性のデジタル表現を備えたセキュリティ署名を作成するように動作可能であってもよく、セキュリティ署名が格納されているセキュリティ署名と一致するかどうかを判定するように動作可能であってもよい。リーダプリンタは、価値アイテムがプリンタシステムによって受け入れられると、価値アイテムのプリンタシステム画像を生成するためのプリンタシステムの撮像デバイスを含んでもよい。セキュリティチェックポイントは、プリンタシステム画像を表示することに応じて、ユーザ入力として印刷領域を受け取るように動作可能であってもよい。リーダプリンタは、プリンタの取り入れ口およびプリンタの取り入れ口と一致するプリンタの排出口を含んでもよい。
【００７９】
本発明の別の態様によれば、セキュリティチェックポイントでの人物に関するデータを記録する方法が提供されている。方法は、（ａ）人物に関するデータの自動記録をセキュリティチェックポイントのマジックミラーによって隠れて可能にするステップと、（ｂ）記録装置がマジックミラーによって隠されている場合にセキュリティチェックポイントの記録装置によってデータを記録するステップと、（ｃ）文書のセキュリティ特徴の材料特性のデジタル表現を備えたセキュリティ署名を作成するために、セキュリティチェックポイントのリーダプリンタによって文書を走査するステップと、（ｄ）リーダプリンタの搬送システムによって文書の一端だけに沿って文書を固定すること、および印刷中に固定されている文書を搬送することによって、文書に印刷するステップと、（ｅ）少なくともデータおよびセキュリティ署名の両方がセキュリティチェックポイントによって承認される場合、セキュリティチェックポイントの出口ゲートおよび出口ドアウェイの少なくとも一方をロック解除するステップと、を含む。
【００８０】
本発明の別の態様によれば、オブジェクトを読み取り、オブジェクトに印刷するための機器が提供されている。機器は、（ａ）オブジェクトの固有の特徴を表すデジタル署名を取得するために、オブジェクトを読み取るためのリーダシステム、および（ｂ）デジタル署名がオブジェクトに関連する照合用のデジタル署名と一致する場合、オブジェクトに印刷するためのプリンタシステム、を含む。
【００８１】
機器は、デジタル署名を受け取るためのプロセッサを含んでもよい。デジタル署名が照合用のデジタル署名と一致する場合、プリンタシステムにオブジェクトに印刷させるように、機器は、プリンタシステムに信号を送信するためのプロセッサを含んでもよい。デジタル署名が照合用のデジタル署名と一致する場合、プリンタシステムにオブジェクトに印刷させるように、機器は、デジタル署名を受け取りかつプリンタシステムに信号を送信するためのプロセッサを含んでもよい。プロセッサは、リーダシステムの動作を制御するように動作可能であってもよい。プロセッサは、プリンタシステムの動作を制御するように動作可能であってもよい。デジタル署名は、オブジェクトに関連する材料特性の少なくとも１つのデジタル表現を含んでもよい。材料特性は、オブジェクトの基材の特徴の特性であってもよい。特徴は、基材のセキュリティ特徴を含んでもよい。特徴は、基材のセキュリティ特徴であってもよい。照合用のデジタル署名は、事前に格納されたデジタル署名を含んでもよい。照合用のデジタル署名は、事前に格納されたデジタル署名であってもよい。デジタル署名は、セキュリティ署名であってもよい。照合用のデジタル署名は、セキュリティ署名であってもよい。デジタル署名と照合用のデジタル署名の両方が、それぞれセキュリティ署名であってもよい。リーダシステムは、オブジェクトのリーダシステム画像を取り込むように動作可能であってもよい。機器は、リーダシステム画像に応じてデジタル署名を生成するように動作可能であってもよい。機器は、デジタル署名を抽出することによってデジタル署名を取得するように動作可能であってもよい。機器は、デジタル署名を含む送信を受け取ることによってデジタル署名を取得するように動作可能であってもよい。リーダシステムは、デジタル署名を生成するように動作可能であってもよい。リーダシステムは、デジタル署名を抽出するように動作可能であってもよい。リーダシステムは、デジタル署名を受け取るように動作可能であってもよい。プリンタシステムは、オブジェクトを搬送するための搬送システムを含んでもよい。オブジェクトに印刷するための機器は、オブジェクトを搬送するための搬送システムを含む。搬送システムは、オブジェクトを固定するように動作可能であってもよい。搬送システムは、オブジェクトの一端だけに沿ってオブジェクトを固定するように動作可能であってもよい。搬送システムは、オブジェクトを搬送するときに、オブジェクトの一端だけに沿ってオブジェクトを固定するように動作可能であってもよい。搬送システムは、一端から離れてオブジェクトに接触するためのローラを含んでもよい。搬送システムは、搬送フレームおよびプラテンを含んでもよい。搬送フレームは、上部フレーム板を含んでもよい。搬送システムは、プラテンと上部フレーム板との間にオブジェクトを固定するように動作可能であってもよい。搬送システムは、搬送フレームをローラに対して長手方向に移動させるように動作可能であってもよい。機器は、搬送システムにヒンジ式に連結された入口フィーダを含んでもよい。入口フィーダは、ローラを含んでもよい。機器は、入口フィーダとオブジェクトとの間の接触を抑制するために、入口フィーダを上げるように動作可能であってもよい。入口フィーダは、入口フィーダをヒンジ式に連結するためのヒンジ接続部を含んでもよい。入口フィーダは、平行にローラから離間した別のローラを含んでもよい。機器は、プリンタの取り入れ口を含んでもよい。機器は、プリンタの取り入れ口でオブジェクトの存在を感知するように動作可能であってもよい。入口フィーダは、オブジェクトがプリンタの取り入れ口を介してプリンタシステムに挿入されているときに、オブジェクトをガイドするための寸法にされてもよい。プリンタシステムは、プリンタの取り入れ口を介してオブジェクトを解放するように動作可能であってもよい。プリンタシステムは、プリンタの取り入れ口を介してオブジェクトを排出するように動作可能であってもよい。搬送システムは、ストッパを越えるオブジェクトの長手方向の移動を抑制するためのストッパを含んでもよい。機器は、オブジェクトがストッパに近接すると、搬送システムにオブジェクトを固定させるように動作可能であってもよい。機器は、オブジェクトが搬送システムによって固定されると、オブジェクトの印刷可能領域の画像を生成するための撮像デバイスを含んでもよい。機器は、ディスプレイを含んでもよい。機器は、ディスプレイ上に印刷可能領域の画像を表示することに応じて、ユーザ入力として印刷領域を受け取るように動作可能であってもよい。機器は、生体スキャナを含んでもよい。オブジェクトは、平面状のオブジェクトであってもよい。オブジェクトは、価値アイテムであってもよい。オブジェクトは、文書であってもよい。
【００８２】
本発明の別の態様によれば、オブジェクトを読み取り、オブジェクトに印刷するための方法が提供されている。方法は、（ａ）リーダプリンタのリーダシステムによってオブジェクトを読み取るステップと、（ｂ）オブジェクトの固有の特徴を表すデジタル署名をリーダプリンタによって取得するステップと、（ｃ）デジタル署名がオブジェクトに関連する照合用のデジタル署名と一致する場合、リーダプリンタのプリンタシステムによってオブジェクトに印刷するステップと、を含む。
【００８３】
本発明の別の態様によれば、オブジェクトのユーザがオブジェクトの認証されたユーザであるかどうかを検証するための機器が提供されている。機器は、（ａ）ユーザの生体特徴を検出し、生体特徴を表すデータを生成するための手段と、（ｂ）オブジェクトを読み取り、オブジェクトに印刷するためのリーダプリンタであって、（i）認証されたユーザに関連する生体情報のデジタル表現を取得するために、オブジェクトを読み取るためのリーダシステム、および（ii）オブジェクトに印刷するためのプリンタシステム、を含むリーダプリンタと、を含み、データがデジタル表現に一致する場合、機器は、プリンタシステムにオブジェクトに印刷させるように動作可能である。
【００８４】
ユーザの生体特徴を検出し、生体特徴を表すデータを生成するための手段は、カメラ、ビデオカメラ、ＩＲカメラ、サーモグラフィカメラ、ＵＶカメラ、ステレオカメラ、音響レコーダ、顔検出器、虹彩検出器、指紋検出器、掌紋検出器、動き検出器、近接検出器、熱検出器、温度センサ、触覚センサ、振動センサ、電磁放射源、熱源、超音波トランスデューサ、超音波送受信器、金属検出器、他の生体デバイス、およびその他の関連装置の、任意の組合せの１つまたは複数を含む。機器は、データがデジタル表現に一致するかどうかを判定するための少なくとも１つのプロセッサを含んでもよい。機器は、データがデジタル表現に一致する場合、プリンタシステムにオブジェクトに印刷させるための少なくとも１つのプロセッサを含んでもよい。機器は、データがデジタル表現に一致するかどうかを判定するため、およびデータがデジタル表現に一致する場合、プリンタシステムにオブジェクトに印刷させるための、少なくとも１つのプロセッサを含んでもよい。リーダシステムは、オブジェクトの固有の特徴を表すデジタル署名を取得するために、オブジェクトを読み取るように動作可能であってもよい。デジタル署名がオブジェクトに関連する照合用のデジタル署名と一致する場合にのみ、機器は、プリンタシステムにオブジェクトに印刷させるように動作可能であってもよい。デジタル署名は、オブジェクトに関連する材料特性の少なくとも１つのデジタル表現を含んでもよい。材料特性は、オブジェクトの基材の特徴の特性であってもよい。特徴は、基材のセキュリティ特徴を含んでもよい。照合用のデジタル署名は、事前に格納されたデジタル署名を含んでもよい。デジタル署名は、セキュリティ署名であってもよい。照合用のデジタル署名は、セキュリティ署名であってもよい。デジタル署名と照合用のデジタル署名の両方が、それぞれセキュリティ署名であってもよい。リーダシステムは、オブジェクトのリーダシステム画像を取り込むように動作可能であってもよい。機器は、リーダシステム画像に応じてデジタル署名を生成するように動作可能であってもよい。リーダシステムは、デジタル署名を生成するように動作可能であってもよい。機器は、出口を含んでもよい。出口は、出口ゲートおよび出口ドアウェイの少なくとも一方を含んでもよい。機器が、ユーザが認証されたユーザであることを検証した場合、機器は、出口をロック解除するように動作可能であってもよい。データがデジタル表現と一致する場合、機器は、出口をロック解除するように動作可能であってもよい。デジタル署名が照合用のデジタル署名と一致する場合、機器は、出口をロック解除するように動作可能であってもよい。データがデジタル表現と一致し、デジタル署名が照合用のデジタル署名と一致する場合、機器は、出口をロック解除するように動作可能であってもよい。リーダプリンタは、オブジェクトがリーダプリンタによって受け入れられると、オブジェクトの画像を生成するための撮像デバイスを含んでもよい。リーダシステムは、画像を含むデジタル表現を生成するように動作可能であってもよい。機器は、画像を含むユーザ情報を収集するように動作可能であってもよい。機器は、マジックミラーを含んでもよい。マジックミラーは、ユーザの視界から、生体特徴を検出するための手段を隠すように動作可能であってもよい。プリンタシステムは、オブジェクトを搬送するための搬送システムを含んでもよい。搬送システムは、オブジェクトを搬送するときに、オブジェクトの一端だけに沿ってオブジェクトを固定するように動作可能であってもよい。搬送システムは、搬送システムにヒンジ式に連結された入口フィーダを含んでもよい。入口フィーダは、一端から離れてオブジェクトに接触するためのローラを含んでもよい。リーダプリンタは、入口フィーダとオブジェクトとの間の接触を抑制するために、入口フィーダを上げるように動作可能であってもよい。搬送システムは、プラテン、および上部フレーム板を有する搬送フレームを含んでもよい。搬送システムは、プラテンと上部フレーム板との間にオブジェクトを固定するように動作可能であってもよい。搬送システムは、搬送フレームを入口フィーダに対して長手方向に移動させるように動作可能であってもよい。搬送システムは、ストッパを越えるオブジェクトの長手方向の移動を抑制するためのストッパを含んでもよい。リーダプリンタは、オブジェクトがストッパに近接すると、搬送システムにオブジェクトを固定させるように動作可能であってもよい。プリンタシステムは、オブジェクトが搬送システムによって固定されると、オブジェクトの印刷可能領域の画像を生成するためのプリンタシステムの撮像デバイスを含んでもよい。機器は、ディスプレイを含んでもよい。機器は、ディスプレイ上に印刷可能領域の画像を表示することに応じて、ユーザ入力として印刷領域を受け取るように動作可能であってもよい。オブジェクトは、平面状のオブジェクトであってもよい。オブジェクトは、価値アイテムであってもよい。オブジェクトは、文書であってもよい。
【００８５】
本発明の別の態様によれば、オブジェクトのユーザがオブジェクトの認証されたユーザであるかどうかを検証するための方法が提供されている。方法は、（ａ）ユーザの生体特徴を機器によって検出するステップと、（ｂ）生体特徴を表すデータを生成するステップと、（ｃ）認証されたユーザに関連する生体情報のデジタル表現を取得するために、機器のリーダシステムによってオブジェクトを読み取るステップと、（ｄ）データがデジタル表現に一致するかどうかを判定するステップと、（ｅ）データがデジタル表現に一致する場合に、機器のプリンタシステムによってオブジェクトに印刷するステップと、を含む。
【００８６】
本発明の任意の１つまたは複数の態様によれば、セキュリティ署名は、文書、価値アイテム、または他のオブジェクトに関連した１つまたは複数の材料特性を表す一連の数値であってもよい。各材料特性は、オブジェクトの基材の特徴の特性であってもよい。特性は、サイズ、位置、埋め込み深さ、特徴の影と色の、任意の組合せの任意の１つまたは複数であってもよい。特徴は、オブジェクトの基材のセキュリティ特徴を含んでもよい。特徴は、オブジェクトの基材のセキュリティ特徴であってもよい。文書、価値アイテム、または他のオブジェクトの基材は、任意の好適な材料から作られてもよく、この材料は、紙、木材、金属、布、ガラス、ガラス繊維、プラスチック、ゴム、および塗装、印刷、染色などされ得るその他の固体材料の、任意の組合せの任意の１つまたは複数を含む。セキュリティ特徴は、蛍光インク、非蛍光インク、および虹色のインクを含む任意の色のインクと、コーティングと、蛍光性および非蛍光性繊維、金属繊維、感熱繊維を含む１つまたは複数の繊維と、１つまたは複数のプランシェットと、１つまたは複数の磁性粒子と、の任意の組合せの任意の１つまたは複数であってもよい。セキュリティ特徴は、例えば、基材の製造あるいは処理結果として偶然に発生する自然な欠陥の場合、基材に固有であってもよく、または、基材に意図的に導入されてもよい。セキュリティ特徴は、基材の製造前、製造中、または製造後に、基材に適用されてもよい。セキュリティ特徴は、原料中に配合され、その後、この原料から基材が製造されてもよい。セキュリティ特徴は、基材の外面に適用されてもよい。セキュリティ特徴は、基材内のある深さに埋め込まれてもよい。セキュリティ特徴は、基材を製造または処理した結果として固有に生じ得るように、基材上または基材内にランダムに分布していてもよい。セキュリティ特徴は、基材上または基材内にランダム分布で、意図的に配置されてもよい。
【００８７】
本発明の他の態様および特徴は、添付の図面および特許請求の範囲と併せて本発明の実施形態の以下の説明を検討することにより当業者に明らかにされよう。
【００８８】
本発明の実施形態が、例示のみの目的で図に示されている。
【図面の簡単な説明】
【００８９】
【図１】本発明の第１実施形態に係るセキュリティチェックポイントの斜視図である。
【図２】図１のセキュリティチェックポイントの断面図であり、セキュリティチェックポイントの筐体内をブロック図の装置によって示している。
【図３】図１のセキュリティチェックポイントの動作方法のフロー図の第１部分である。
【図４】図３のフロー図の第２部分である。
【図５】本発明の第２実施形態に係るセキュリティチェックポイントの斜視図である。
【図６】図５のセキュリティチェックポイントのセキュリティコンソールの正面図であり、プリンタを示している。
【図７】本発明の第１リーダプリンタの実施形態に係る一体型のリーダプリンタの斜視図である。
【図８】図７の一体型のリーダプリンタのシステム構成要素のブロック図であり、リーダプリンタプロセッサとリーダプリンタメモリを示している。
【図９】図７の一体型のリーダプリンタの搬送システムの一部の斜視図であり、プラテンおよび搬送フレームを示している。
【図１０】図９の搬送システムの一部の側面図であり、出口コンベヤを示している。
【図１１】図７の一体型のリーダプリンタの一部の斜視図であり、本発明の第２リーダプリンタの実施形態に係る搬送システムを示している。
【図１２】図１１の搬送システムの斜視図であり、冊子体の挿入を示している。
【図１３】図１１の搬送システムの斜視図であり、印刷中の冊子体を示している。
【図１４】図１１の搬送システムの斜視図であり、冊子体の排出を示している。
【図１５】図７の一体型のリーダプリンタの一部の斜視図であり、本発明の第３リーダプリンタの実施形態に係る搬送システムを示している。
【図１６】プリンタシステムがプリンタシステムの受入位置にある場合の、図７の一体型のリーダプリンタの一部の斜視図であり、本発明の第４実施形態に係る搬送システムを示している。
【図１７】図１６の搬送システムの正面斜視図であり、プラテンおよび下部取り入れ口ガイドを示している。
【図１８】図１６の搬送システムの斜視図であり、プリンタシステムの受け入れ完了位置を示している。
【図１９】図１８の搬送システムの正面斜視図であり、プラテン柱を示している。
【図２０】図１６の搬送システムの斜視図であり、プリンタシステムの撮像位置および撮像デバイスを示している。
【図２１】図１６の搬送システムの上面図であり、プリンタシステムの印刷開始位置を示している。
【図２２】図１６の搬送システムの斜視図であり、プリンタシステムの印刷終了位置を示している。
【図２３】図１６の搬送システムの斜視図であり、プリンタシステムの解放位置を示している。
【図２４】図１６の搬送システムの斜視図であり、プリンタシステムの排出位置を示している。
【図２５】図７の一体型のリーダプリンタを組み込んだモジュールシステムのブロック図であり、追加のモジュールを示している。
【図２６】本発明の第１から第４リーダプリンタの実施形態に従って、冊子体を認証し、冊子体に印刷する方法を示すフロー図である。
【図２７】図２６のユーザを識別するための方法のステップを示すフロー図である。
【図２８】図２６の冊子体を認証するための方法のステップを示すフロー図である。
【図２９】図２６の印刷領域を決定するための方法のステップを示すフロー図である。
【図３０】図２９のプリンタの取り入れ口を介してオブジェクトを受け入れるための方法のステップを示すフロー図である。
【図３１】本発明の第１、第２、および第３リーダプリンタの実施形態による、図２６のオブジェクトを解放するための方法のステップを示すフロー図である。
【図３２】本発明の第４リーダプリンタの実施形態による、図２６のオブジェクトを解放するための方法のステップを示すフロー図である。
【発明を実施するための形態】
【００９０】
オブジェクトのユーザがオブジェクトの認証されたユーザであるかどうかを検証するための機器が、（ａ）ユーザの生体特徴を検出し、生体特徴を表すデータを生成するための手段、および（ｂ）オブジェクトを読み取り、オブジェクトに印刷するためのリーダプリンタ手段を含む。リーダプリンタ手段は、（i）認証されたユーザに関連する生体情報のデジタル表現を取得するために、オブジェクトを読み取るためのリーダシステム手段、および（ii）オブジェクトに印刷するためのプリンタシステム手段を含む機器は、データがデジタル表現に一致する場合、プリンタシステム手段にオブジェクトに印刷させるように動作可能であってもよい。リーダプリンタ手段は、（i）オブジェクトの固有の特徴を表すデジタル署名を取得するために、オブジェクトを読み取るための手段、および（ii）デジタル署名がオブジェクトに関連する照合用のデジタル署名と一致する場合、オブジェクトに印刷するための手段を含む。
【００９１】
図１および図２を参照すると、本発明の第１実施形態に係るセキュリティチェックポイント機器が、一般に１０で示されている。セキュリティチェックポイント１０は、マジックミラー１６を支持するためのミラーフレーム１４を含む筐体１２を含んでいる。
【００９２】
マジックミラー１６は、通常は半透明ミラーである。一般に、マジックミラー１６は、ミラーの外側１８で筐体１２の外部に光を反射するように、そして、光を、外側１８から筐体１２の内部の内側２０の方向にマジックミラー１６を通過させるように機能する、任意のオブジェクトまたはデバイスとすることができる。このように、マジックミラー１６は、マジックミラー１６の背後の筐体１２内に配置されたさまざまな装置２２が、筐体１２の外部から装置２２を見られることなく、セキュリティチェックポイント１０で筐体１２の外部のオブジェクトおよび人物（不図示）に関するデータを記録することを可能にする。セキュリティチェックポイント１０でマジックミラー１６の前に立っている人物（不図示）は、マジックミラー１６の背後に隠された装置２２を見る代わりに、自身の鏡像を見ることになる。マジックミラー１６の使用は、好適には、セキュリティチェックポイント１０で人物が、ミラーが心理的に人物の視線を引き付ける範囲まで隠し装置２２に自身の顔を明らかにすることを促す。また、マジックミラー１６の使用は、好適には、人物が反射ミラーとのアイコンタクトを避けることが不自然であると考えられる範囲までの、回避的な自動検出を可能にし、このため、マジックミラー１６を見ることを避ける試みを、隠し装置２２が検出し、回避的なインジケータとしてセキュリティ目的で記録することができる。
【００９３】
第１実施形態では、セキュリティチェックポイント１０は、情報がセキュリティチェックポイント１０に存在する人物に見えるように、マジックミラー１６に情報を表示するように動作可能である。図２に示すように、隠し装置２２は、マジックミラー１６上の出力情報の表示を制御するためのディスプレイコントローラ２４を含んでいる。情報は、例えば、セキュリティチェックポイント１０での人物への指示、これに応答する人物のために意図された要求や質問、および状態情報を含んでいる。第１実施形態では、ディスプレイコントローラ２４は、筐体１２内に囲まれている。ただし、いくつかの実施形態では、ディスプレイコントローラ２４は、マジックミラー１６の背後に隠されていない。
【００９４】
第１実施形態では、セキュリティチェックポイント１０は、マジックミラー１６上に指圧またはスタイラス圧の形態でユーザ入力を受け取るように動作可能である。図２に示すように、隠し装置２２は、マジックミラー１６を介してタッチスクリーンのユーザ入力を受け取るためのタッチスクリーンコントローラ２６を含んでいる。一例として、セキュリティチェックポイント１０での人物は、マジックミラー１６上の人物に提示される複数の選択肢の回答を選択することにより、クエリへの応答を提供してもよい。第１実施形態では、タッチスクリーンコントローラ２６は、筐体１２内に囲まれている。ただし、いくつかの実施形態では、タッチスクリーンコントローラ２６は、マジックミラー１６の背後に隠されていない。
【００９５】
第１実施形態では、マジックミラー１６の前に立っている人物の一般反射ビューは、タッチスクリーン技術による情報の表示およびユーザ入力の承認によって中断される必要はない。ただし、場合によっては、マジックミラー１６の一部が、入力／出力機能のためのマジックミラー１６の使用によって見えないかもしれない。
【００９６】
第１実施形態では、隠し装置２２は、セキュリティチェックポイント１０で人物のビデオ画像を取り込むための少なくとも１つのカメラ２８を含んでいる。いくつかの実施形態では、異なる高さでの複数のカメラ２８は、身長の異なる人物の、顔のなどの特徴を上手く取り込むために、マジックミラー１６の背後に設置されている。いくつかの実施形態では、異なる角度の複数のカメラ２８は、セキュリティチェックポイント１０で人物の特徴を上手く取り込むために、マジックミラー１６の背後に設置されている。追加的または代替的に、１つまたは複数のカメラ２８は、セキュリティチェックポイント１０の内部および／または周りの、さまざまな位置や場所で画像を取り込むために、セキュリティチェックポイント１０の他の隠された位置および／または隠されていない位置に設置されてもよい。
【００９７】
カメラ２８の１つまたは複数は、フィルタリングを含んでもよく、またはそうでなければ、電磁スペクトルの特定の領域内の画像および／またはビデオを取り込むために特に適切であり得る。例えば、カメラ２８の１つまたは複数は、電磁スペクトルのＩＲ（赤外線）領域の電磁放射を検出かつ撮像するのに適したサーマルカメラまたはＩＲ（赤外線）カメラ２８であってもよい。ＩＲカメラ２８は、セキュリティチェックポイント１０で人物によって放出される黒体放射に関連した画像を作成するために使用され得る。いくつかの実施形態では、ＩＲカメラ２８は、セキュリティチェックポイント１０での人物、または人物の特定の部分（不図示）の体温の測定値を作成するように動作可能である。
【００９８】
１つまたは複数のカメラ２８は、電磁スペクトルのＵＶ（紫外線）領域の電磁放射を検出かつ撮像するように動作可能な、ＵＶ（紫外線）カメラ２８であってもよい。いくつかの実施形態では、カメラ２８は、３Ｄ静止画像および／または３Ｄビデオ情報などの、３次元画像を取り込むように動作可能なステレオカメラである。第１実施形態では、少なくとも１つのカメラ２８は、電磁スペクトルの可視光領域で電磁放射を検出かつ撮像するように動作可能な可視光カメラ２８である。変形例では、可視光カメラ２８は、静止画像、ビデオ情報、または静止画像およびビデオ情報の両方を取り込むように動作可能である。また、可視光カメラ２８は、通常は、音響情報を記録するように動作可能である。
【００９９】
いくつかの実施形態では、隠し装置２２は、図２に示す検出器（複数可）３０のような１つまたは複数の電磁放射の検出器を含んでいる。通常は、検出器３０は、画像でない検出された放射の指標を作成し、したがって、検出器３０はカメラ２８ではない。検出器３０によって作成される指標は、例えば、デジタルまたはアナログ信号であり得る電気信号を含んでもよい。さまざまな検出器３０は、電磁放射の波長の広いまたは狭い範囲で電磁放射を検出するように動作可能であってもよい。例えば、検出器３０は、電磁スペクトルのＩＲ領域の電磁放射を検出するように動作可能な１つまたは複数のＩＲ（赤外線）検出器３０を含んでもよい。検出器３０は、電磁スペクトルの可視光領域の電磁放射を検出するように動作可能な１つまたは複数の可視光検出器３０を含んでもよい。検出器３０は、電磁スペクトルのＵＶ領域の電磁放射を検出するように動作可能な１つまたは複数のＵＶ（紫外線）検出器３０を含んでもよい。検出器３０は、マジックミラー１６とセキュリティチェックポイント１０の外部のオブジェクトまたは人物との間の存在を、場合により距離を、検出するように動作可能な１つまたは複数の近接検出器を含んでもよい。検出器３０は、セキュリティチェックポイント１０で外部のオブジェクトまたは人物の動きを検出するように動作可能な１つまたは複数の動き検出器を含んでもよい。
検出器３０は、筐体１２の外側から発している磁気エネルギーを検出するように動作可能な１つまたは複数の磁気エネルギー検出器を含んでもよい。隠し装置２２の検出器３０は、セキュリティチェックポイント１０の特定の用途に合わせて、マジックミラー１６の背後のさまざまな位置や場所に設置されてもよい。追加的または代替的に、１つまたは複数の検出器３０は、セキュリティチェックポイント１０の内部および／または周りの、さまざまな位置や場所で電磁放射を検出するために、セキュリティチェックポイント１０の他の隠された位置および／または隠されていない位置に設置されてもよい。
【０１００】
いくつかの実施形態では、隠し装置２２は、図２に示すセンサ（複数可）３２のような１つまたは複数のセンサを含んでいる。通常は、センサ３２は、電磁放射の他の測定可能な物理現象を感知するために、マジックミラー１６の内側２０に配置されている。センサ３２は、トランスデューサであっても、トランスデューサを含んでもよく、デジタルまたはアナログ信号であり得る電気信号を作成してもよい。例えば、センサ３２は、マジックミラー１６の振動を感知するための１つまたは複数の振動センサを含んでもよい。いくつかの実施形態では、センサ３２は、マジックミラー１６にその外側１８で加えられる力すなわち圧力を感知するために、マジックミラー１６の外側１８に配置された１つまたは複数の触覚センサを含んでいる。いくつかの実施形態では、センサ３２は、熱を感知するための、場合により温度を測定するための、１つまたは複数の温度センサを含んでいる。
【０１０１】
隠し装置２２のセンサ３２は、セキュリティチェックポイント１０の特定の用途に合わせて、マジックミラー１６の背後のさまざまな位置や場所に設置されてもよい。追加的または代替的に、１つまたは複数のセンサ３２は、セキュリティチェックポイント１０の内部および／または周りの、さまざまな位置や場所で測定可能な物理現象を感知するために、セキュリティチェックポイント１０の他の隠された位置および／または隠されていない位置に設置されてもよい。
【０１０２】
第１実施形態における隠し装置２２は、図２に示す放射源（複数可）３４のような照明または他の電磁放射の少なくとも１つの放射源を含んでいる。例えば、電磁スペクトルのＩＲ領域の電磁放射の、１つまたは複数のＩＲ（赤外線）源３４は、マジックミラー１６の背後の隠された位置から筐体１２の外方向にＩＲ（赤外線）放射を放出してもよい。ＩＲ源３４によってＩＲ放射を放出することにより、好適には、１つまたは複数のカメラ２８および／または１つまたは複数の検出器３０が、場合により１つまたは複数のＩＲカメラ２８および／または１つまたは複数のＩＲ検出器３０が、ＩＲ放射への曝露中にセキュリティチェックポイント１０で外部のオブジェクトまたは人物をそれぞれ撮像および／または検出することを可能にする。さらなる例として、１つまたは複数の放射源３４は、マジックミラー１６のバックライト用などの、可視光を作成してもよい。いくつかの実施形態では、１つまたは複数のＵＶ（紫外線）源３４は、電磁スペクトルのＵＶ領域の電磁放射を作成するように動作可能であり、好適には、１つまたは複数のカメラ２８および／または１つまたは複数の検出器３０が、ＵＶ（紫外線）放射への曝露中にセキュリティチェックポイント１０で外部のオブジェクトまたは人物をそれぞれ撮像および／または検出することを可能にする。一例として、いくつかの実施形態では、１つまたは複数のＵＶカメラ２８および／または１つまたは複数のＵＶ検出器３０は、ＵＶ源３４がＵＶ放射を放出している間に、電磁スペクトルのＵＶ領域の電磁放射をそれぞれ撮像および／または検出する。さらなる例として、いくつかの実施形態では、セキュリティチェックポイント１０で外部のオブジェクトまたは人物からの可視光の蛍光反射を取り込むために、１つまたは複数の可視光カメラ２８および／または１つまたは複数の可視光検出器３０は、ＵＶ源３４がＵＶ放射を放出している間に、電磁スペクトルの可視光領域の電磁放射をそれぞれ撮像および／または検出する。
【０１０３】
第１実施形態では、１つまたは複数の放射源３４は、発光ダイオード（ＬＥＤ）として実装されている。追加的または代替的に、さまざまな放射源３４は、例えば、レーザ、白熱灯、ハロゲン灯、ネオン灯、蛍光灯、照明の他の実装、またはこれらの任意の組合せとして実装されてもよい。
【０１０４】
隠し装置２２の放射源３４は、セキュリティチェックポイント１０の特定の用途に合わせて、マジックミラー１６の背後のさまざまな位置や場所に設置されてもよい。追加的または代替的に、１つまたは複数の放射源３４は、セキュリティチェックポイント１０の内部および／または周りの、さまざまな位置や場所で照明を提供するために、セキュリティチェックポイント１０の他の隠された位置および／または隠されていない位置に設置されてもよい。
【０１０５】
さらに図１および図２を参照すると、セキュリティチェックポイント１０は、ミラーフレーム１４に隣接または近接する筐体１２内に設置されたフレーム装置３６を含んでいる。変形例では、フレーム装置３６は、セキュリティチェックポイント１０の特定の用途に合わせて、例えば、カメラ（複数可）２８、検出器（複数可）３０、センサ（複数可）３２、および放射源（複数可）３４の任意の数および組合せである、複数個の装置２２と同様または類似した１または複数個の装置を含んでいる。
【０１０６】
変形例では、ミラーフレーム１４のすべての部分またはさまざまな部分が、例えばさまざまなセキュリティ上の目的に合うように、透明ミラー、半透明ミラー、またはマジックミラータイプの材料で作られてもよい。一例として、ミラーフレーム１４のすべての部分または一部は、ミラーフレーム１４に近接して配置されたに１つまたは複数の放射源３４からの、可視光などの電磁放射の外方向への送信を、最小のエネルギー損失で可能にする透明材料から作られてもよい。例えば、人物がマジックミラー１６に向かって前進することが許可されていない場合、マジックミラー１６の周囲に赤色の点灯、人物がマジックミラー１６に向かって前進するように要求されている場合、マジックミラー１６の周囲に緑色の点灯または点滅照明、人物がセキュリティチェックポイント１０での処理を正常に完了した場合、青色の点灯または点滅照明、処理が失敗した場合または人物が治安当局によるさらなる介入のために止められている場合、赤色の点滅照明などの異なる色のＬＥＤ照明がステータス状況を示すために使用されてもよい。他の色分けの組合せが、可能である。例えば、いくつかの実施形態では、サイレントアラームだけが治安当局に発動され、処理に失敗したこと、または治安当局によってさらなる介入が必要であることの、人物への指標は作られない。
【０１０７】
追加的または代替的に、フレーム装置３６を上手く隠すために、非透明材料が、ミラーフレーム１４のすべてまたは一部に使用されてもよい。第１実施形態では、ミラーフレーム１４は、マジックミラー１６に対して傾斜している。変形例では、ミラーフレーム１４は、例えば、複数の角度を含む任意の角度で延伸していてもよく、湾曲していてもよい。ミラーフレーム１４は、例えば、埋め込み型または外向きに突出するフレーム装置３６を収容するための、１つまたは複数の開口を含んでもよい。
【０１０８】
いくつかの実施形態では、フレーム装置３６は、超音波検出器、超音波トランスデューサ、超音波送受信器、他の音ベースのデータ記録装置の１つまたは複数、およびこれらの任意の組合せを含む。超音波検出器、超音波トランスデューサ、超音波送受信器、または類似物のそれぞれは、セキュリティチェックポイント１０の特定の用途に合わせて、隠されていてもよく、隠されていなくてもよい。いくつかの実施形態では、超音波フレーム装置３６は、ミラーフレーム１４の開口に埋め込み型である。
【０１０９】
いくつかの実施形態では、フレーム装置３６は、セキュリティチェックポイント１０で外部のオブジェクトまたは人物の存在を検出するための近接検出器３０を含んでいる。いくつかの実施形態では、近接検出器３０は、近接検出器３０と感知されたオブジェクトまたは人物との間の距離の指標を提供するように動作可能である。近接検出器３０は、例えば、ミラーフレーム１４の開口に埋め込み型であってもよい。
【０１１０】
いくつかの実施形態では、フレーム装置３６は、セキュリティチェックポイント１０で外部のオブジェクトまたは人物の動きを検出するための動き検出器３０を含んでいる。動き検出器３０は、例えば、ミラーフレーム１４の開口に埋め込み型であってもよい。
【０１１１】
いくつかの実施形態では、反射した電磁放射の撮像、検出、および／または感知をそれぞれ提供するために、フレーム装置３６のさまざまなタイプの放射源３４は、フレーム装置３６の対応するカメラ２８、検出器３０、および／またはセンサ３２と対になっている。例えば、マジックミラー１６の垂直または水平な一側に沿ってミラーフレーム１４に近接して配置された放射源３４は、マジックミラー１６の垂直または水平な対向側に沿ってミラーフレーム１４に近接して配置された対応するカメラ２８および／または検出器３０と対になっていてもよい。放射源３４ならびに対応するカメラ２８および／または検出器３０と、場合によってはミラーフレーム１４が傾斜しているため、セキュリティチェックポイント１０内の適切な位置での外部のオブジェクトまたは人物は、放射源３４によって作成された電磁放射を、対応するカメラ２８および／または検出器３０に向かって反射することになる。このような対向側の配置により、対応するカメラ２８および／または検出器３０によって受信される電磁放射は、放射源３４による照明に露出中に、セキュリティチェックポイント１０で外部のオブジェクトまたは人物からの反射される電磁放射である。放射源３４ならびに対応するカメラ２８および／または検出器３０の対を、セキュリティチェックポイント１０の特定の用途に合わせて、さまざまなタイプとすることができる。例えば、ＩＲ源３４は、ＩＲカメラ２８および／またはＩＲ検出器３０と対にされてもよく、ＵＶ源３４は、ＵＶカメラ２８および／またはＵＶ検出器３０と対にされてもよく、ＵＶ源３４は、可視光カメラ２８および／または可視光検出器３０と対にされてもよく、超音波送受信器は、対応する超音波送受信器および／または超音波検出器と対にされてもよい。フレーム装置３６の対の複数のアレイは、例えば、マジックミラー１６からのさまざまな距離に関連したデータ記録に対し、同時にまたは順に使用されてもよい。
【０１１２】
いくつかの実施形態では、フレーム装置３６の１つまたは複数のカメラ２８は、下を向いてマジックミラー１６を直接見ることを避ける人物の顔の画像を取り込むことを試みるために、マジックミラー１６のすぐ下のミラーフレーム１４の下部で筐体１２の内側に設置され、上方かつ外方に向けられている。例えば可視光カメラ２８であり得るこのような上方に向けられたカメラ２８は、例えば、ミラーフレーム１４の小型の開口を通じて画像を取り込むようにこのようなカメラ２８を構成することによって、ミラーフレーム１４の少なくとも一部が半透明材料で作られることによって、ミラーフレーム１４の少なくとも一部が半透明ガラス材料で作られることによって、その他の隠す手段またはこれらの任意の組合せによって、小型であるおかげで隠されているかもしれない。
【０１１３】
さまざまな実施形態におけるセキュリティチェックポイント１０は、マジックミラー１４の背後以外、およびミラーフレーム１６の近く以外の位置や場所で、セキュリティチェックポイント１０の特定の用途に合わせて、さまざまな隠された装置を含んでいる。図１では見えないが、セキュリティチェックポイント１０は、セキュリティチェックポイント１０の任意の位置や場所で、カメラ２８、検出器３０、センサ３２、および放射源３４の１つまたは複数の任意の組合せを含んでもよい。例えば、さまざまなカメラ２８、近接検出器３０および／または動き検出器３０は、セキュリティチェックポイント１０の内部または近くで、各オブジェクトまたは人物の位置を決定するために使用されてもよい。
【０１１４】
さまざまな実施形態におけるセキュリティチェックポイント１０は、セキュリティチェックポイント１０の特定の用途に合わせて、セキュリティチェックポイント１０全体のさまざまな位置や場所に、隠されていないさまざま装置を含んでいる。図１に示す実施形態では、セキュリティチェックポイント１０は、マジックミラー１６の表示機能に追加的または代替的に使用することができるディスプレイ３８を含んでいる。通常は、ディスプレイ３８は、液晶ディスプレイ（ＬＣＤ）である。いくつかの実施形態では、ディスプレイ３８は、ユーザ入力および出力機能の両方を提供するタッチスクリーンディスプレイである。図１に見られるように、ディスプレイ３８の位置は、好適には、特定のユーザおよび目的のためにより快適であり得る非垂直角度で、タッチスクリーンのユーザ入力を可能にする。例えば、ディスプレイ３８は、セキュリティチェックポイント１０でタッチスクリーンのユーザ入力として人物の署名を受け取るために使用されてもよい。追加的または代替的に、完全に水平なユーザ入力デバイス（不図示）が、署名を受け取るために使用されてもよい。
【０１１５】
図１に示す実施形態では、セキュリティチェックポイント１０は、指紋スキャナ４０を含んでいる。通常は、指紋スキャナ４０は、指紋スキャナ４０によって受け入れられる指を走査して、セキュリティチェックポイント１０で人物に関連する指紋の指標を作成するように動作可能である。追加的または代替的に、隠されていない掌紋スキャナが、人物の掌紋全体を走査するために使用されてもよい。追加的または代替的に、隠し装置２２の１つまたは複数のカメラ２８および／または検出器３０は、マジックミラー１６に対して指および／または手のひらをそれぞれ置くことで、人物の指紋および／または掌紋をそれぞれ撮像および／または検出するために使用されてもよい。
【０１１６】
図１に示す実施形態では、セキュリティチェックポイント１０は、文書スキャナ４２を含んでいる。通常は、文書スキャナ４２は、入力スロット４４を介して文書（不図示）を受け取り、セキュリティチェックポイント１０で人物に関連する記録されたデータを作成するために文書を走査するように動作可能である。変形例では、文書スキャナ４２は、例えば、紙の文書（例えば、チケット、通関フォーム、またはその他の渡航文書、出生証明書）、プラスチックカードであり得るカード（例えば、運転免許証、ＩＤカード、クレジットカード、またはデビットカード）、冊子体（例えば、パスポート）、その他の文書、その他の価値アイテム、またはこれらの任意の組合せ、を受け取って、走査するような寸法にされてもよい。いくつかの実施形態では、セキュリティチェックポイント１０は、文書やその他の価値アイテムの異なるタイプのための寸法にされた複数の文書スキャナ４２を含んでいる。いくつかの実施形態では、入力スロット４４は、文書スキャナ４２から文書を排出および／または取り除くための出力スロットとしても機能する。追加的または代替的に、隠し装置２２の１つまたは複数のカメラ２８および／または検出器３０は、セキュリティチェックポイント１０で人物によってマジックミラー１６に置かれた文書を、それぞれ撮像および／または検出するために使用されてもよい。
【０１１７】
いくつかの実施形態では、文書スキャナ４２は、文書を文書スキャナ４２で受け取った後、文書に印刷するように動作可能な一体型のプリンタを含んでいる。プリンタは、公式スタンプを印刷するためのスタンププリンタを含む、任意の適切なタイプのものであってもよい。いくつかの実施形態では、セキュリティチェックポイント１０は、例えば、人物によって提示されている走査した文書とは別の、信頼できる証明書または他の発行された文書を印刷するように動作可能なプリンタを含んでいる。
【０１１８】
マジックミラー１６が情報を表示するように動作可能である実施形態では、ディスプレイ３８を、例えば、スタンププリンタなどのプリンタ（図１に示されていない）で置き換えることができる。
【０１１９】
図１に示す実施形態では、セキュリティチェックポイント１０は、セキュリティチェックポイント１０の主要領域への入口近くの入口ディスプレイ４６を含んでいる。通常は、入口ディスプレイ４６は、ＬＣＤである。入口ディスプレイ４６は、セキュリティチェックポイントの主要領域に入る人物のための指示を提供するために使用されてもよく、例えば、他の誰かが既にセキュリティチェックポイント１０に存在する場合、セキュリティチェックポイント１０に近づかないように、他の人物に指示するために使用されてもよい。
【０１２０】
変形例では、セキュリティチェックポイント１０は、ディスプレイ３８、指紋スキャナ４０、文書スキャナ４２、および入口ディスプレイ４６の１つまたは複数の周辺に、ＬＥＤのような可視光照明を含む。第１実施形態では、さまざまな色のＬＥＤが、ディスプレイ３８、指紋スキャナ４０、文書スキャナ４２、および入口ディスプレイ４６のそれぞれに近接して配置されているため、セキュリティチェックポイント１０での人物を、色のあるＬＥＤの同時使用または連続的な使用によってガイドすることができる。例えば、人物がセキュリティチェックポイント１０に向かって前進するように要求されているとき、入口ディスプレイ４６は、緑色の点灯または点滅照明に囲まれていてもよい。人物がセキュリティチェックポイント１０の主要領域に向かって一部の距離を進んだことを検出すると、文書スキャナ４２に所定の文書を挿入するための指示が表示されている間、文書スキャナ４２は、緑色の点灯または点滅照明で点灯されてもよい。文書スキャナ４２の処理が終了すると、その後、文書スキャナ４２の照明は非作動にされてもよく、指紋スキャナ４０は、指紋スキャナ４０を使用するために人物をガイドすることを支援するために、緑色の点灯または点滅照明で点灯されてもよい。順次、色分けされた照明によって、人物が完全なセキュリティチェックポイント１０の処理を通じてガイドされ得ることが理解されよう（本明細書でさらに後述）。追加的または代替的に、照明を、セキュリティチェックポイント１０の他の位置や場所で使用することができ、例えば、一般照明用に頭上に、および／または、人物がセキュリティチェックポイント１０に向かっておよび／またはセキュリティチェックポイント１０を通って前進する際に人物の足どりをガイドするために、セキュリティチェックポイント１０の床に沿って、使用することができる。
【０１２１】
図１に示す実施形態では、セキュリティチェックポイント１０は、音声コマンド、指示、および／または要求などの音響を生成するためのスピーカ４８を含んでいる。また、図１に示す実施形態では、セキュリティチェックポイント１０は、セキュリティチェックポイント１０で人物によって行われるスピーチや他の音などの音響を受信するためのマイク５０を含んでいる。第１実施形態では、セキュリティチェックポイント１０は、マイク５０によって受信された音響を記録するように動作可能である。
【０１２２】
さらに図１を参照すると、セキュリティチェックポイント１０は、セキュリティチェックポイント１０を出るために、アクセスを拒否または許可するための出口ゲート５２を含んでいる。通常は、出口ゲート５２は、セキュリティチェックポイント１０の処理の完了時に自動的に動作される（本明細書でさらに後述）。
【０１２３】
いくつかの実施形態では、マジックミラー１６は、フルレングス（図１に示されていない）であり、セキュリティチェックポイント１０の床面隣接地点または床面付近から、一般的な人物（不図示）の予想される最も高い身長よりも少なくともわずかに高い高さまで延在している。フルレングスのマジックミラー１６により、好適には、例えば、人物の全長に沿った測定値およびその他のデータ記録が可能となる。マジックミラー１６がフルレングスである実施形態では、プリンタおよび／または補助ディスプレイなどの隠されていない周辺機器を、例えば、フルレングスのマジックミラー１６（不図示）の横に適切な高さで配置することができる。
【０１２４】
図２を参照すると、第１実施形態におけるセキュリティチェックポイント１０は、プロセッサ５６のような処理回路と、メモリ５８のようなメモリ回路と、任意で１つまたは複数のデータベース６０と、接続バス６２と、任意で通信コントローラ６４と、を有するコントローラ５４を含んでいる。
【０１２５】
コントローラ５４は、例えば、汎用コンピュータ、マイクロコンピュータ、ミニコンピュータ、メインフレームコンピュータ、コンピューティング用の分散ネットワーク、機能的に同等の個別のハードウェア構成要素等、およびこれらの任意の組合せの任意のコンピューティングデバイスであってもよい。
【０１２６】
図２に示すように、接続バス６２は、コントローラ５４と隠し装置２２とフレーム装置３６との間の接続を容易にする。図には示されていないが、少なくともいくつかの実施形態では、セキュリティチェックポイント１０にまたは周りのどこかに配置されている、セキュリティチェックポイント１０の、他のカメラ２８、検出器３０、センサ３２、および放射源３４が、接続バス６２を介してコントローラ５４に接続されている。
【０１２７】
プロセッサ５６は、通常は、中央処理装置（ＣＰＵ）、デジタル信号プロセッサ（ＤＳＰ）、組み込みプロセッサ等の、１つまたは複数の回路ユニット、およびこれらの任意の組合せを含む処理回路であり、この処理回路は、独立または並列に動作し、場合によっては重複して動作する。プロセッサ５６は、１つまたは複数の集積回路（ＩＣ）によって実現されてもよく、モノリシック集積回路（ＭＩＣ）、特定用途向け集積回路（ＡＳＩＣ）、フィールドプログラマブルゲートアレイ（ＦＰＧＡ）等、またはこれらの任意の組合せによって実現されることを含む。追加的または代替的に、プロセッサ５６は、例えば、プログラマブルロジックコントローラ（ＰＬＣ）として実装されてもよい。プロセッサ５６は、デジタルデータなどのメモリを格納するための回路を含んでもよく、例えば、メモリ５８を備えるか、またはメモリ５８と有線通信してもよい。
【０１２８】
第１実施形態におけるメモリ５８は、測定結果および自動分析結果を含むデータまたは他の情報のデジタル表現を格納するように動作可能であり、プロセッサ５６の動作を指示するためのプログラムコードを含むプログラムデータまたは他の情報のデジタル表現を格納するように動作可能である。
【０１２９】
通常は、メモリ５８およびデータベース６０はそれぞれ、デジタル電子集積回路のすべてまたは一部であるか、複数のデジタル電子集積回路から形成されている。メモリ５８およびデータベース６０は、例えば、読み出し専用メモリ（ＲＯＭ）、プログラマブル読み出し専用メモリ（ＰＲＯＭ）、消去可能プログラマブル読み出し専用メモリ（ＥＰＲＯＭ）、電気的消去可能プログラマブル読み取り専用メモリ（ＥＥＰＲＯＭ）、フラッシュメモリ、１つまたは複数のフラッシュドライブ、メモリ装置に接続されたユニバーサルシリアルバス（ＵＳＢ）、磁気記憶装置、光学記憶装置、光磁気記憶装置等、またはこれらの任意の組合せとして実装されてもよい。追加的または代替的に、メモリ５８は、例えば、ランダムアクセスメモリ（ＲＡＭ）、スタティックＲＡＭ（ＳＲＡＭ）のようなＲＡＭのバリエーション、ダイナミックＲＡＭ（ＤＲＡＭ）、同期ＤＲＡＭ（ＳＤＲＡＭ）およびダブルデータレートＳＤＲＡＭ（ＤＤＲ  ＳＤＲＡＭ）のようなＤＲＡＭのバリエーション、ビデオＲＡＭ（ＶＲＡＭ）、類似または関連するダイナミックメモリ技術、またはこれらの任意の組合せとして実装されてもよい。メモリ５８およびデータベース６０は、不揮発性メモリ、揮発性メモリ、ダイナミックメモリ等、またはこれらの任意の組合せとして、デジタル表現を格納するように動作可能であってもよい。
【０１３０】
１つまたは複数のデータベース６０は、プロセッサ５６やメモリ５８の一部として、および／またはコントローラ５４（図２に示されている）の一部として実装されてもよい。追加的または代替的に、１つまたは複数のデータベース６０は、コントローラ５４とは別個に実装されてもよい。通常は、各データベース６０は、他のデータレコードに関連して格納されたデータレコードを含む情報を、通常はコントローラ５４によって使用するために記録可能かつ検索可能なデータ形式で格納するように機能する。
【０１３１】
コントローラ５４は、通常は、ＷｉｎＣＥ、Ｓｙｍｂｉａｎ、ＯＳＥ、組み込みＬＩＮＵＸ（登録商標）のようなリアルタイムオペレーティングシステム、Ｗｉｎｄｏｗｓ（登録商標）、マックＯＳ、Ｕｎｉｘ（登録商標）、Ｌｉｎｕｘのような非リアルタイムオペレーティングシステム、およびこれらの任意の組合せを含む、１つまたは複数のオペレーティングシステムを実行するように動作可能である。コントローラ５４は、例えば、実行可能コードの複数のスレッドを含むマルチタスキング方法を実行するように動作可能であってもよい。
【０１３２】
通信コントローラ６４は、例えばインターネットであり得るネットワーク６６を介して、コントローラ５４と他のコンピューティングシステムとの間で、データおよび／または情報を送信することを容易にする。ネットワーク６６への接続は、例えば、銅線リンク、同軸ケーブルリンク、光ファイバ伝送リンク、無線機リンク、携帯電話リンク、衛星リンク、見通しの自由な光リンク、およびこれらの任意の組合せを含む、任意の有線または無線接続によって実現されてもよい。
【０１３３】
このように、オブジェクトのユーザがオブジェクトの認証されたユーザであるかどうかを検証するための機器が提供され、この機器は、（ａ）ユーザの生体特徴を検出し、生体特徴を表すデータを生成するための手段と、（ｂ）オブジェクトを読み取り、オブジェクトに印刷するためのリーダプリンタであって、（i）認証されたユーザに関連する生体情報のデジタル表現を取得するために、オブジェクトを読み取るためのリーダシステム、および（ii）オブジェクトに印刷するためのプリンタシステム、を含むリーダプリンタと、を備え、データがデジタル表現に一致する場合、機器は、プリンタシステムにオブジェクトに印刷させるように動作可能である。
【０１３４】
セキュリティチェックポイントの動作方法
図３および図４を参照すると、本発明の第１の実施形態によるメモリ５８（図２）は、一般に６８で示された方法のステップを実行するようにプロセッサ５６（図２）に指示するためのコンピュータ実行可能な命令を含むコードのブロックを含んでいる。追加的または代替的に、このようなコードのブロックは、例えば、記録可能なコンピュータ可読媒体または信号伝送タイプの媒体であり得る信号担持媒体で実施されるコンピュータ実行可能命令を含むコンピュータプログラム製品の一部を形成してもよい。
【０１３５】
電力がプロセッサ５６およびメモリ５８に供給されているとき、プロセッサ５６は、ブロック７０の命令の実行を開始するように指示される。次に、ブロック７０は、コントローラ５４をデフォルトの状態に設定するように、プロセッサ５６に指示する。通常は、デフォルトの状態では、１．出口ゲート５２が閉位置（図１）にロックされ、２．一般的に白色である一般の頭上照明およびフロア照明がオンになっており、３．マジックミラー１６のバックライトがオフになっており、４．ミラーフレーム１４での照明がオフまたはニュートラル（例えば白色）であり、５．ディスプレイ３８がデフォルトの画像（例えば、ロゴやその他のチェックポイントの識別情報）を表示しており、６．指紋スキャナ４０での照明がオフまたはニュートラル（例えば白色）であり、７．文書スキャナ４２での照明がオフまたはニュートラル（例えば白色）であり、８．入口ディスプレイ４６が通り抜け禁止シンボル（例えば、大きな赤い十字または斜めの赤線が通った赤い丸）を表示している。
【０１３６】
ブロック７０が実行された後、次に、プロセッサ５６はブロック７２を実行するように指示され、このブロック７２は、任意の人物または認証されていないオブジェクト（不図示）がセキュリティチェックポイント１０に存在するかどうかを判定するように、プロセッサ５６に指示する。認証されていないオブジェクトを、例えば、セキュリティチェックポイント１０自体の一部ではないとして、コントローラ５４によって認識される任意のオブジェクトとすることができる。コントローラ５４は、さまざまなカメラ２８、検出器３０、センサ３２、およびセキュリティチェックポイント１０の他の装置に、存在の画像や他の指標を取り込ませ、その後、プロセッサ５６は、この画像や他の指標に基づいて、任意の人物または認証されていないオブジェクトがセキュリティチェックポイント１０に存在するかどうかを判定する。いくつかの実施形態では、コントローラ５４は、セキュリティチェックポイント１０内に存在する人物または認証されていないオブジェクトの数をカウントするように動作可能である。
【０１３７】
ブロック７２で、プロセッサ５６が、人物または認証されていないオブジェクトがセキュリティチェックポイント１０に存在すると判定した場合、次に、ブロック７４が、アラーム状態を発動するように、プロセッサ５６に指示する。アラーム状態を発動するステップは、人間が操作するセキュリティステーションに人間の介入が必要であることを自動通信で伝えるステップを含んでもよい。追加的または代替的に、アラーム状態は、結果として、例えば音声コマンドを自動で発することになり得る（例えば、セキュリティチェックポイント１０を出るか、所定の位置に残ることを人物に指示する）。いくつかの実施形態では、アラーム状態は、結果として、例えば、セキュリティチェックポイント１０の各種ディスプレイに、エラー状態を示す赤色光を生成することによって、および／またはエラーメッセージや他の指示を表示することによって、セキュリティチェックポイント１０の照明に変化をもたらす。第１実施形態では、出口ゲート５２がロック解除されているときまたは開いているときに、アラームが発動される場合、プロセッサ５６は、出口ゲート５２を閉じてロックすることになる。アラーム状態への他の応答も可能である。
【０１３８】
プロセッサ５６が、人物または認証されていないオブジェクトがセキュリティチェックポイント１０に存在しないと判定した場合、次に、ブロック７６が、人物をセキュリティチェックポイント１０内に誘導するように、プロセッサ５６に指示する。セキュリティチェックポイント１０内に人物を誘導するステップは、入口ディスプレイ３８に、次の人をセキュリティチェックポイント１０に向かって前進させるための指示を表示させ、入口ディスプレイ３８の周囲の照明を、例えば緑色の点灯または点滅にするステップを含む。
【０１３９】
次に、ブロック７８は、例えば、本明細書で上述したブロック７２に関連するものと同様または類似の動作をコントローラ５４に実行させることによって、セキュリティチェックポイント１０での人物の存在を確認するように、プロセッサ５６に指示する。
【０１４０】
プロセッサ５６が、一定の指定可能な時間後に、セキュリティチェックポイント１０での人物の存在を確認することができない場合、いくつかの実施形態では、コントローラ５４は、例えば、人間の警備員からの支援要請を通信することなどによって、アラーム状態を発動することになる。ただし、いくつかの実施形態では、プロセッサ５６は、セキュリティチェックポイント１０に、セキュリティチェックポイント１０に入る次の人物を無期限に待機させることになる。
【０１４１】
プロセッサ５６が、許容可能な数の人物がセキュリティチェックポイント１０に入ったと判断したときおよび判断した場合、次に、ブロック８０は、セキュリティチェックポイント１０に入った人物の言語選択を確認するように、プロセッサ５６に指示する。言語選択を確認するステップは、人物に複数の利用可能な言語のうちの１つを選択すること、および／または言語選択を確認すること、場合によっては単一のデフォルト言語の受諾を確認することを要求するために、１つまたは複数のセキュリティチェックポイント１０の表示および／または音響出力を使用するステップと、音響（例えば、コントローラ５４に認識可能な言語での口頭による承認）、視覚（例えば、頷き）、および／または人物が選択した言語に関連する触覚（例えば、タッチスクリーンメニューの選択）のユーザ入力を受け取るステップを含んでもよい。ブロック８０が実行された後、プロセッサ５６は、ブロック８２を実行するように、第１実施形態で指示される。
【０１４２】
ブロック８２は、ＩＤカード、パスポート、運転免許証、イベントチケット、クレジットカード、またはデビットカードなどの身分証明書を要求するように、プロセッサ５６に指示する。身分証明書を要求するステップは、例えば、文書スキャナ４２で照明を緑色の点灯もしくは点滅または他の適切な色に設定するステップ、セキュリティチェックポイント１０のディスプレイ上に要求の表示を表示するステップ、および／またはスピーカ４８を介して音声コマンドを発するステップを含んでもよい。身分証明書を要求するステップは、指定可能な時間後、場合によっては身分証明書を繰り返し要求した後に、プロセッサ５６が文書スキャナ４２で提示されている文書の存在を確認することができない場合、アラーム状態を発動するステップを含んでもよい。ブロック８２は身分証明書に関連するが、本発明は、他のタイプの文書が身分の証明書に追加でまたは身分証明書の代わりに要求され得ることを企図している。
【０１４３】
文書スキャナ４２によって文書を受け取ったときまたは受け取った場合、ブロック８４は、文書スキャナ４２に受け取った文書を走査させるように、プロセッサ５６に指示する。通常は、文書を走査するステップは、文書に関するデータを生成するステップを含み、場合により、このデータは、文書を検証および／または認証し、詐欺すなわち偽造文書を検出し、身分証明書の所有者に関する識別情報を取得するために使用可能なデータ、および他のセキュリティ関連データを含む。第１実施形態では、セキュリティチェックポイント１０は、例えば、メモリ５８、データベース６０に文書スキャナ４２によって作成されたデータを格納するように、および／または、リモートコンピュータ（不図示）および／またはリモートデータベース（不図示）へのネットワーク６６を介してデータを送信するように動作可能である。
【０１４４】
いくつかの実施形態では、マジックミラー１６は、例えば、人物にマジックミラー１６に対して文書を置かせることによって、さらに、１つまたは複数のカメラ２８および／または検出器３０を用いて置かれた文書を撮像および／または検出することによって、文書の走査を提供する機能がある。いくつかの実施形態では、マジックミラー１６の所定の領域に対して文書を置くための指示が、マジックミラー１６に表示される。追加的または代替的に、音響による指示が、この目的のために提供されてもよい。
【０１４５】
文書の走査が完了すると、プロセッサ５６は、ブロック８６を実行するように指示される。
【０１４６】
ブロック８６は、ブロック８４によって走査された文書がセキュリティチェックポイント１０によって承認されるかどうかを決定するように、プロセッサ５６に指示する。第１実施形態では、文書が承認されるべきかどうかを判定するステップは、事前に格納されたデータと文書スキャナ４２によって作成されたデータを比較するステップを含む。例えば、１つまたは複数のデータベース６０のクエリおよび／またはリモートデータベースのクエリにより、結果として、例えば、コントローラ５４が、走査した文書の真正性の比較確認によって受信または判断することができる。
【０１４７】
プロセッサ５６が走査した文書は承認されていないと判断した場合、次に、ブロック８８が、ブロック７４と類似または同様の方法でアラーム状態を発動するように、プロセッサ５６に指示する。
【０１４８】
プロセッサ５６が走査した文書は承認されていると判断した場合、次に、この方法はブロック９０へ進む。
【０１４９】
ブロック９０は、セキュリティチェックポイント１０に存在する人物の指紋採取を要求するように、プロセッサ５６に指示する。人物の指紋採取を要求するステップは、例えば、文書スキャナ４２の照明を非作動させるステップと指紋スキャナ４０の照明を作動させるステップ、指紋スキャナ４０を使用するための指示をセキュリティチェックポイント１０のディスプレイで表示するステップ、および／またはスピーカ４８を介して音声コマンドを発するステップを含んでもよい。いくつかの実施形態では、指が指定可能な時間の範囲内に指紋スキャナ４０によって受け入れされない場合、プロセッサ５６はアラーム状態を発動することになる。
【０１５０】
指が指紋スキャナ４０によって受け入れられたときまたは受け入れられた場合、ブロック９２は、指紋スキャナ４０に受け入れた指を走査させるように、プロセッサ５６に指示する。通常は、指紋用に指を走査するステップは、指紋に関するデータを生成するステップを含み、場合により、このデータは、指紋を検証および／または認証し、詐欺すなわち偽造の指紋パターンを検出し、指紋の改ざんを検出するために使用可能なデータ、ならびに他のセキュリティ関連データを含む。いくつかの実施形態では、指紋スキャナ４０は、生存しない材料による偽造指紋が指紋スキャナ４０に提示されているかどうかを判定するために、生存する人間の指の生体組織が発する熱の、温度を測定および／または存在を検出するように動作可能である。第１実施形態では、セキュリティチェックポイント１０は、例えば、メモリ５８、データベース６０に指紋スキャナ４０によって作成されたデータを格納するように、および／または、リモートコンピュータ（不図示）および／またはリモートデータベース（不図示）へのネットワーク６６を介してデータを送信するように動作可能である。
【０１５１】
いくつかの実施形態では、セキュリティチェックポイント１０は、例えば、マジックミラー１６に対して人物に指を置かせることによって（例えば、マジックミラー１６の特定の領域でマジックミラー１６上に出現する表示、および／またはスピーカ４８によって出力される音響による指示によって示されるように）、ならびに１つまたは複数のカメラ２８および／または検出器３０を使用して置かれた指を撮像および／または検出することによって、マジックミラー１６で指紋走査を提供するように動作可能である。また、このような実施形態では、セキュリティチェックポイント１０は、マジックミラー１６に対して置かれた指が発する熱を検出および／または測定するために、サーマルカメラ２８、ＩＲ検出器３０、および／または温度センサ３２を使用するように動作可能であってもよい。
【０１５２】
追加的または代替的に、プロセッサ５６は、掌紋を要求し、例えばマジックミラー１６であり得る掌紋スキャナによって、走査させるように指示されてもよい。また、セキュリティチェックポイント１０は、いくつかの実施形態では、掌紋スキャナ（例えば、マジックミラー１６）に置かれた手のひらが発する熱を検出および／または測定するように動作可能である。
【０１５３】
指紋（または掌紋）走査が完了すると、プロセッサ５６は、ブロック９４を実行するように指示される。
【０１５４】
ブロック９４は、ブロック９２によって走査された指紋がセキュリティチェックポイント１０によって承認されるかどうかを判定するように、プロセッサに指示する。第１実施形態では、指紋が承認されるべきかどうか判定するステップは、事前に格納されたデータと指紋スキャナ４０によって作成されたデータを比較するステップを含む。例えば、１つまたは複数のデータベース６０のクエリおよび／またはリモートデータベースのクエリにより、結果として、例えば、コントローラ５４が、走査した指紋の真正性の比較確認によって受信確認または判断することができる。
【０１５５】
プロセッサ５６が走査した指紋は承認されていないと判断した場合、次に、ブロック９６が、ブロック７４と類似または同様の方法でアラーム状態を発動するように、プロセッサ５６に指示する。
【０１５６】
プロセッサ５６が走査した指紋は承認されていると判断した場合、次に、この方法はブロック９８へ進む。
【０１５７】
ブロック９８は、マジックミラー１６と対向するように、セキュリティチェックポイント１０で人物に要求するように、プロセッサ５６に指示する。マジックミラー１６と対向するように人物に要求するステップは、例えば、指紋スキャナ４０の照明を非作動させるステップとミラーフレーム１４の照明を作動させるステップ、適切な位置決めおよび行動（例えば、笑顔や過度の動きが禁止されているかどうかなど）に基づく指示を表示するステップ、および／またはスピーカ４８を介して音声コマンドを発するステップを含んでもよい。いくつかの実施形態では、セキュリティチェックポイント１０が、指定可能な時間の範囲内に人物の適切な位置決めを確認することができない場合、プロセッサ５６は、アラーム状態を発動することになる。
【０１５８】
人物が生体識別のために適切に位置決めされたときおよび位置決めされた場合、ブロック１００は、隠し装置２２にユーザ情報および生体データを収集させるように、プロセッサ５６に指示する。
【０１５９】
第１実施形態では、ユーザ情報を収集するステップは、例えば、マジックミラー１６上にまたは文書スキャナ４２を介して、指示、質問、複数の選択肢の回答の選択、メニュー選択、ユーザ入力のテキストボックス、要求するテキスト、要求するグラフィックス、およびその他のしるしを表示するステップ、スピーカ４８を介して人物の選択した言語での音声コマンドまたは他の音声要求を発するステップ、他の適切なユーザインタフェース出力を提示するステップ、またはこれらの任意の組合せを含む。ユーザ情報を収集するステップは、例えば、タッチスクリーン操作、音響情報（例えば、人物が発した音声コマンド）、視覚的なユーザ入力（例えば、自動手話認識プログラムによる処理のためにビデオ撮像によって、および／またはコントローラ５４に訳した入力を提供する通訳者によって、取り込まれた手話通信）、他の適切なユーザ入力、またはこれらの任意の組合せを、ユーザ入力として受け取るステップをさらに含む。
【０１６０】
いくつかの実施形態では、ユーザ情報を収集するステップは、タッチスクリーンのユーザ入力を介してユーザ入力として人物の署名を要求して受け取るステップを含む。人物は、例えば、指を使用して署名を書き込んでもよく、および／または、署名を書き込むためにスタイラスを使用する機会を与えられてもよい。人物は、例えば、マジックミラー１６のタッチスクリーン部分の所定の領域に、署名を提供することを要求されるかもしれない。いくつかの実施形態では、通常は水平に向けられている専用のタッチスクリーンパッドが、署名を取得するために設けられている。
【０１６１】
いくつかの実施形態では、ユーザ情報を収集するステップは、セキュリティチェックポイント１０で人物からの支払いを受け取るステップを含む。例えば、イベントに参加を希望する人物が「出入り口で」イベントチケットを購入することを許可されている状況では、セキュリティチェックポイント１０は、潜在的な参加者をスクリーニングするように（例えば、泥酔や他の反社会的行動を検出するための自動検出技術を使用）、およびイベントへのアクセスを許可する前に支払いを確認するように構成されていてもよい。支払い処理は、例えば、専用の支払い処理装置（不図示）および／または支払い手段（例えばチェックおよび／またはクレジットカードやデビットカードなどの財布サイズのカード）を受け入れるような寸法の文書スキャナ４２の使用を含んでもよい。
【０１６２】
第１実施形態では、生体データを収集するステップは、人物の顔および／または他の身体的特徴を撮像および／または検出するステップを含む。通常は、生体データを収集するステップは、人物の生体特徴に関するデータを生成するステップを含み、場合により、このデータは、人物の証明書を識別および／または検証し、法執行機関に関心のある人物を検出するために使用可能なデータ、および他のセキュリティ関連データを含む。マジックミラー１６を介して隠し装置２２によって収集された生体データは、例えば、顔認識のために使用可能な画像を含む人物の顔の可視光画像と、人物の虹彩または（指および／または手のひらを含む）他の身体部分の可視光画像と、人物がＩＲ放射線への曝露中に取り込まれた画像と、人物がＵＶ放射線への曝露中に取り込まれた画像と、人物に関連した温度測定および／または熱測定と、音声認識と音声分析のために使用可能な音響録音を含む、音声および／または人物によって作成される他の音の音響録音（例えば、音声およびスピーチパターンに基づいて、人物が実証した不安のレベルを判定する）と、セキュリティ目的で使用可能な他の生体データと、これらの任意の組合せと、のうちの任意の１つまたは複数を含むが、必ずしもこれに限定されない。
【０１６３】
第１実施形態では、セキュリティチェックポイント１０は、例えば、メモリ５８、データベース６０にセキュリティチェックポイント１０の隠し装置２２または他の装置によって作成されたユーザ情報および生体データを格納するように、および／または、リモートコンピュータ（不図示）および／またはリモートデータベース（不図示）へのネットワーク６６を介してデータを送信するように動作可能である。
【０１６４】
ユーザ情報および生体データの収集が完了すると、プロセッサ５６は、ブロック１０２を実行するように指示される。
【０１６５】
ブロック１０２は、ブロック１００を実行することによって収集されたユーザ情報および生体データが、セキュリティチェックポイント１０によって承認されるかどうかを判定するように、プロセッサに指示する。
【０１６６】
第１実施形態では、収集されたユーザ情報が承認されるかどうかを判定するステップは、収集されたユーザ情報の分析を含む。第１実施形態では、収集されたユーザ情報を分析するステップは、収集されたユーザ情報を人物に関する事前に格納された情報に比較するステップを含む。例えば、いくつかの実施形態では、人物は、ブロック１００によって自分の名前を聞こえるように述べるように要求され、これは、ブロック８４により事前に走査された身分証明書のテキスト表示との自動比較のために、音声認識ソフトウェアによって記録され処理される。聞こえるように述べられた名前と提示された身分証明書の名前表示との間の不一致は、セキュリティチェックポイント１０のセキュリティ目的のために、その人物に関連する危険因子の指標として記録されてもよい。
【０１６７】
第１実施形態では、収集された生体データが承認されるかどうかを判定するステップは、収集された生体データの分析を含む。第１実施形態では、収集された生体データを分析するステップは、収集された生体データを事前に格納されたデータに比較するステップを含む。例えば、１つまたは複数のデータベース６０のクエリおよび／またはリモートデータベースのクエリにより、結果として、例えば、コントローラ５４が、収集された生体データの真正性の比較確認によって受信確認または判断することができる。
【０１６８】
図３および図４は、方法６８の一ステップ（ブロック１００）で行われるものとして、ユーザ情報および生体データの収集を示しているが、一般に、ユーザ情報および生体データの収集は、いつでも行われる可能性があり、人物がセキュリティチェックポイント１０の測定範囲内にいるすべての時間に、連続的または定期的に行われてもよい。例えば、セキュリティチェックポイント１０全体のさまざまな位置や場所で隠されたおよび／または隠されていない、カメラ２８および／またはマイク５０は、セキュリティチェックポイント１０の近傍内の人物の継続的な監視のために使用されてもよい。
【０１６９】
ユーザ情報および生体データの連続的または定期的な収集が行われている実施形態では、人物にマジックミラー１６に対向するように要求する必要性が発生する前に、十分なユーザ情報および生体データが実行されるべきブロック１０２のために既に収集されている可能性があるため、いくつかの状況では、ブロック９８を実行する必要がないかもしれない。
【０１７０】
プロセッサ５６が収集されたユーザ情報および生体データは承認されていないと判断した場合、次に、ブロック１０４が、ブロック７４と類似または同様の方法でアラーム状態を発動するように、プロセッサ５６に指示する。
【０１７１】
プロセッサ５６が収集されたユーザ情報および生体データは承認されていると判断した場合、次に、この方法はブロック１０６へ進む。
【０１７２】
ブロック１０６は、コントローラ５４に行動分析を実行させるか、またはそうでなければ１つまたは複数の行動分析の結果を取得させるように、プロセッサ５６に指示する。第１実施形態では、自動行動分析は、人物がセキュリティチェックポイント１０の近傍にいる間に収集された行動データに基づいて実行され、場合によっては人物に関して事前に格納されたデータと組み合わせて実行される。このような行動データの収集は、方法６８の処理ステップを通して進行中であってもよく、例えば、ブロック８４、９２、および１００を実行することによって収集されたデータから全体が構成され得るか、またはこれを含み得る。自動行動分析は、不審な挙動や脅迫のパターン（例えば、ミラーとのアイコンタクトを避けること、不安や怒りのような感情のレベルの上昇に関連する音声やスピーチ、衣服の下に製品を隠していることを示唆する体の位置、攻撃的な行動等）を検出するために、人工知能、信号処理、視覚分析、顔認識、音声認識、スピーチ分析、または他の自動処理を含んでもよい。いくつかの実施形態では、自動行動分析を実行するステップは、人物の行動に関して収集されたデータを、データベース６０および／またはリモートデータベースに事前に格納された人物の既知の行動テンプレートや既知の履歴などのデータと比較するステップを含む。第１実施形態では、自動行動分析の結果として、人物の行動に関連する危険因子を定量する。
【０１７３】
図３および図４は、一ステップ（ブロック１０６）で行われるものとして、自動行動分析を示しているが、一般に、自動行動分析は、行動データが収集されているときに行われてもよく、場合により、人物がセキュリティチェックポイント１０にまたは近傍内にいるときはいつでも連続的に行われてもよい。
【０１７４】
自動行動分析が完了すると、プロセッサ５６は、ブロック１０８を実行するように指示される。
【０１７５】
ブロック１０８は、ブロック１０６を実行することによって取得された自動行動分析結果が、セキュリティチェックポイント１０によって承認されるかどうかを判定するように、プロセッサに指示する。第１実施形態では、この結果が承認されるかどうかを判定するステップは、人物の行動に関連する危険因子の定量を、１つまたは複数の指定可能な危険因子の閾値に比較するステップを含み、例えば、ブロック８６、９４、１０２、および１０８を実行することによって得られた結果のアルゴリズムの組合せを含んでもよい。
【０１７６】
プロセッサ５６が自動行動分析結果は承認されていないと判断した場合、次に、ブロック１１０が、ブロック７４と類似または同様の方法でアラーム状態を発動するように、プロセッサ５６に指示する。
【０１７７】
プロセッサ５６が自動行動分析結果は承認されていると判断した場合、次に、この方法はブロック１１１へ進む。
【０１７８】
ブロック１１１は、文書スキャナ４２の印刷および／または印刻機能に従って、文書スキャナ４２に文書に印刷または印刻させるように、プロセッサ５６に指示する。ブロック１１１は、例えば、文書スキャナ４２にパスポート冊子に公式スタンプを印刷させるように、プロセッサ５６に指示してもよい。文書に印刷または印刻するステップは、メモリ５８および／またはデータベース６０からデータを検索するステップを含んでもよく、この処理データに従って文書上に情報を印刷する前に検索したデータを処理するステップを含んでもよい。追加的または代替的に、文書に印刷または印刻するステップは、例えば、ネットワーク６６を介して、リモートコンピュータ（不図示）および／またはリモートデータベース（不図示）からデータを受け取るステップを含んでもよい。
【０１７９】
非限定的な例として、マジックミラー１６が文書を走査するために使用される実施形態などのいくつかの実施形態では、文書スキャナ４２は、単に、印刷および／または印刻機能を実行するために使用されてもよい。
【０１８０】
すべての印刷および／または印刻が完了したとすれば、ブロック１１１は、文書スキャナ４２に文書を解放させるように、プロセッサ５６にさらに指示する。文書を解放するステップは、例えば、文書スキャナ４２の出口ポートから文書を排出するステップを含んでもよい。
【０１８１】
図４はブロック１１１がブロック１０８に後に実行されることを示しているが、一般に、ブロック１１１は、文書が文書スキャナ４２によって受け入れられた後、および文書が文書スキャナ４２から解放される前の、いつでも実行されてもよい。いくつかの実施形態および状況では、ブロック１１１を全く実行する必要はない。ブロック１１１が実行またはスキップされた場合、方法はブロック１１２に進む。
【０１８２】
ブロック１１２は、指定可能な制限時間の間、出口ゲート５２をロック解除させるように、場合により、邪魔にならないように揺動開きまたは摺動（例えば、水平方向および／または垂直方向に）によって開くようにプロセッサ５６に指示する。通常は、出口ゲート５２がロック解除される時間の長さは、セキュリティチェックポイント１０を出る一般的な人物の最も遅いと予想される、出るまでの時間によって決定される。いくつかの実施形態では、セキュリティチェックポイント１０は、人物がセキュリティチェックポイント１０を出る際の人物の動きの進行を監視するように、および人物が出ていく間、出口ゲート５２をロック解除されたままにできるように、動作可能である。いくつかの実施形態では、出口ゲート５２をロック解除するステップは、出口ゲート５２がロック解除になる前に、例えばボタン（不図示）を作動させることによる、人間のオペレータによるその後の確認のためのセキュリティチェックポイント１０による承認の、出力信号などの指標を生成するステップを含む。ただし、通常は、出口ゲート５２をロック解除するステップは、ブロック１１２が、人間の介入なしに出口ゲートを直接ロック解除させるように、プロセッサ５６に指示するように、完全に自動化されている。
【０１８３】
次に、ブロック１１４は、出口ゲート５２を閉じた状態にロックするように、プロセッサ５６に指示する。出口ゲート５２を閉じた状態にロックするステップは、いくつかの実施形態では、例えば、出口ゲート５２を閉じた状態に揺動または摺動させることによって、出口ゲート５２を自動で閉じるステップを含む。
【０１８４】
次に、ブロック１１６は、本明細書で上述したブロック７２の実行と同様または類似の方法で、任意の人物または認証されたオブジェクトがセキュリティチェックポイント１０にまたはセキュリティチェックポイント１０内に存在するかどうかを判定するように、プロセッサ５６に指示する。
【０１８５】
プロセッサ５６が、人物または認証されていないオブジェクトがセキュリティチェックポイント１０にまたはセキュリティチェックポイント１０内に存在すると判定した場合、次に、ブロック１１８が、ブロック７４と同様または類似の方法でアラーム状態を発動するように、プロセッサ５６に指示する。
【０１８６】
プロセッサ５６が、人物および認証されていないオブジェクトがセキュリティチェックポイント１０に存在しないと判定した場合、次に、この方法はブロック１２０へ進む。
【０１８７】
ブロック１２０は、コントローラ５４にセキュリティチェックポイント１０の動作状態を確認させるように、プロセッサ５６に指示する。第１実施形態では、動作状態の確認は、コントローラ５４の継続的な信頼性の高い動作を保証するために、コントローラ５４のパラメータ値を確認することを含む、コントローラ５４の準備動作である。
【０１８８】
次に、ブロック１２２は、セキュリティチェックポイント１０を、本明細書で上述したブロック７０を実行することによって作成されるものと一般的に同じであるデフォルト状態に戻すように、プロセッサ５６に指示する。
【０１８９】
ブロック１２２が実行された後、プロセッサ５６は、ブロック７２に処理を戻すか、または方法６８を終了するように指示される。
【０１９０】
方法６８のステップは、指定された順序で実行されるものとして本明細書中に図示され記載されているが、一般に、方法６８のさまざまなステップが、任意の適切な順序で実行されてもよい。例えば、人物がセキュリティチェックポイント１０に入るように誘導される前に、その人物の言語選択を確認するように、ブロック８０がブロック７６の前に実行されてもよい。また、方法６８のさまざまなステップは、セキュリティチェックポイント１０の特定の用途に応じて任意である。例えば、スポーツアリーナやコンサートホールの入口への自動化された出入り口の状況では、指紋は必要とされない可能性があり、セキュリティチェックポイント１０によって要求される文書は、例えば、事前に発行されたイベントチケットのみであってもよい。指紋（および／または掌紋）ならびに文書走査の両方が使用される状況では、このような方法のステップは、セキュリティチェックポイント１０の特定の用途のために選択された処理フローに応じて、異なる順序で実行されてもよい。一般に、さまざまな順序でのさまざまな方法のステップが可能である。
【０１９１】
このように、オブジェクトのユーザがオブジェクトの認証されたユーザであるかどうかを検証するための方法が提供されている。方法は、（ａ）ユーザの生体特徴を機器によって検出するステップと、（ｂ）生体特徴を表すデータを生成するステップと、（ｃ）認証されたユーザに関連する生体情報のデジタル表現を取得するために、機器のリーダシステムによってオブジェクトを読み取るステップと、（ｄ）データがデジタル表現に一致するかどうかを判定するステップと、（ｅ）データがデジタル表現に一致する場合に、機器のプリンタシステムによってオブジェクトに印刷するステップと、を含む。
【０１９２】
セキュリティチェックポイントの第２実施形態
図５および図６を参照すると、第１実施形態の変形例では、本発明の第２実施形態に係るセキュリティチェックポイント１０が、入口ドアウェイ１２８および出口ドアウェイ１３０を有するエンクロージャ１２６内に配置されたセキュリティコンソール１２４を含んでいる。
【０１９３】
セキュリティコンソール１２４は、背後に隠し装置２２がある（図５および図６では見えない）、マジックミラー１３２を含んでいる。マジックミラー１３２は、ほぼ円形の形状を有するものとして図５および図６に示されているが、例えば、楕円形、正方形、多角形、不規則な他の形状、およびこれらの任意の組合せを含む、任意の適切な形状が使用されてもよい。いくつかの実施形態では、複数のマジックミラー１６が使用されてもよい。
【０１９４】
また、図６を参照すると、セキュリティコンソール１２４は、第２実施形態ではタッチスクリーンＬＣＤであるディスプレイ３８と、一対のスピーカ４８と、マイク５０とを含んでいる。セキュリティコンソール１２４は、３つの異なるサイズの文書（例えば、運転免許証、クレジットカード、デビットカードや他の財布サイズのカード、および／または通関フォームのような単一シートの文書、出生証明書やイベントチケット）を受け入れるような寸法にされた３つの文書スキャナ４２を含んでいる。変形例では、任意の数の異なる寸法の文書スキャナ４２が、さまざまな実施形態で適切に使用されてもよい。第２実施形態のセキュリティコンソール１２４は、パスポート冊子を読み取るためのパスポートリーダ１３４とプリンタ１３６を含み、少なくともいくつかの実施形態では、このプリンタ１３６は、パスポート冊子に公式スタンプを印刷するためのスタンププリンタ１３６である。
【０１９５】
再度図５を参照すると、第２実施形態では、入口ディスプレイ４６は、入口ドアウェイ１２８の上のエンクロージャ１２６に取り付けられている。また、第２実施形態のセキュリティチェックポイント１０は、出口ドアウェイ１３０の上のエンクロージャ１２６の内側に取り付けられた出口ディスプレイ１３８を含んでいる。第２実施形態では、入口ディスプレイ４６がセキュリティチェックポイント１０に入る次の人物のための誘導を表示しているとき、人物が入口ドアウェイ１２８を通ってセキュリティチェックポイント１０に入ることを許可されるように、セキュリティチェックポイント１０は、入口ディスプレイ４６に表示される情報や入口ドアウェイ１２８の状態（例えば、ロックまたはロック解除状態）を調整するように動作可能である。同様に、第２実施形態のセキュリティチェックポイント１０は、出口ディスプレイ１３８がセキュリティチェックポイント１０を出るエンクロージャ１２６内にいる人物のための誘導を表示しているとき、人物が出口ドアウェイ１３０を通ってセキュリティチェックポイント１０を出ることを許可されるように、出口ディスプレイ１３８に表示される情報や出口ドアウェイ１３０の状態を調整するように動作可能である。
【０１９６】
図５は、入口ドアウェイ１２８および出口ドアウェイ１３０が水平方向に揺動することによって開閉することを可能にするために、ヒンジ１４０を有するようなドアウェイ１２８および１３０を示しているが、他のタイプのドアウェイも可能である。例えば、いくつかの実施形態では、ドアウェイ１２８および１３０は、垂直方向に揺動させることによって開閉する。いくつかの実施形態では、ドアウェイ１２８および１３０は、水平方向および／または垂直方向に摺動させることによって開閉する。いくつかの実施形態では、ドアウェイ１２８および１３０は、例えばコントローラ５４の制御下で、自動で開閉する。
【０１９７】
図５および図６は、ほぼ頭の高さに配置されたマジックミラー１６を示しているが、マジックミラー１６は、任意の適切なサイズを有していてもよく、任意の適切な高さに設置されてもよい。例えば、セキュリティチェックポイント１０は、フルハイトのマジックミラー１６を含んでもよく、このマジックミラー１６は、エンクロージャ１２６の側壁１４２に沿って配置されているように、セキュリティコンソール１２４に隣接していてもよい。
【０１９８】
いくつかの実施形態（不図示）では、出口ドアウェイ１３０は、例えば、ユーザ情報、生体データ、行動分析データ、セキュリティチェックポイント１０の人物に関する他のセキュリティデータ、またはこれらの任意の組合せを収集するためのマジックミラー１６、場合によりフルレングスのマジックミラー１６、を含んでもよい。
【０１９９】
出口ドアウェイ１３０が、情報を表示するように、ならびにタッチスクリーンのユーザ入力を承認すること、指紋および／または掌紋を走査することや文書を走査することを含むユーザ入力を承認するように動作可能なマジックミラー１６を含むこのような実施形態では、セキュリティコンソール１２４の１つまたは複数の機能要素が、セキュリティコンソール１２４で必要とされなくてもよい。ただし、プリンタ機能は、通常、セキュリティコンソール１２４または類似の壁装着やテーブル装着の印刷デバイスにそのまま残ることが意図されている。このような実施形態では、出口ドアウェイ１３０は、自動制御された、水平方向に摺動するタイプ（場合により、２つの半分のドアを対向する水平方向に摺動させることによって開閉するスプリットドアウェイである）であることが好ましいが、すべてのタイプのドアウェイが可能である。また、このような実施形態では、入口ドアウェイ１２８は、入口ドアウェイ１２８と出口ドアウェイ１３０との間の距離の延長があるものとして、任意である。
【０２００】
リーダプリンタデバイス
図７および図８を参照すると、本発明の第１リーダプリンタの実施形態によるリーダプリンタデバイスが、一般に２１０で示されている。リーダプリンタ２１０は、検証を含む認証のための読み取り機能、および印刷機能の両方を有する、一体型のリーダプリンタである。リーダプリンタ２１０は、本明細書でさらに後述される、リーダシステム２１４およびプリンタシステム２１６のさまざまな構成要素を収容するための、リーダプリンタ筐体２１２を含んでいる。リーダプリンタ筐体２１２は、任意の適切な材料から作られてもよい。いくつかのリーダプリンタの実施形態では、リーダシステム２１４は、リーダプリンタ２１０がプリンタ専用バージョンで設定可能であるように、取り外し可能である。
【０２０１】
図７に示したリーダプリンタ筐体２１２は、第１リーダプリンタの実施形態では、リーダプリンタ２１０のユーザの指を受け入れかつ支持するための寸法にされている、生体スキャナ窓２１８を含んでいる。リーダプリンタ２１０は、生体スキャナ窓２１８による生体走査のための生体スキャナ２２０（図７では直接見えない）を含んでいる。例えば、第１リーダプリンタの実施形態における生体スキャナ２２０は、生体スキャナ窓２１８で提示されたときに、ユーザの指を走査するように動作可能である。追加的または代替的に、例えば、ユーザの片目や両目、顔、またはこれらの任意の組合せを走査または撮像すること含む、他の生体走査技術が可能である。いくつかのリーダプリンタの実施形態では、例えば、生体スキャナ２２０は、指紋スキャナ、場合により虹彩スキャナである眼球スキャナ、場合により顔認証スキャナである顔面スキャナ、声紋スキャナ、他の生体走査デバイス、またはこれらの任意の組合せであってもよい。生体スキャナ２２０は、その走査動作に応答してコードを作成してもよい。生体スキャナ２２０により作成されたコードは、例えば、任意のまたはすべての機能の動作を許可または拒否するために、および／または、例えば、メンテナンスや他のサービスのためにリーダプリンタ２１０を開くためのアクセスを許可または拒否することを含む、リーダプリンタ２１０の任意の特徴へのアクセスを許可または拒否するために、パスコードの方法でリーダプリンタ２１０によって使用されてもよい。
【０２０２】
いくつかの実施形態では、リーダプリンタ２１０の生体スキャナ２２０は、セキュリティチェックポイント１０と関連した生体走査機能を実行するように動作可能である。いくつかの実施形態では、リーダプリンタ２１０の生体スキャナ２２０は、セキュリティチェックポイント１０の指紋スキャナ４０の走査機能の一部またはすべてを実行するように動作可能である。いくつかの実施形態では、リーダプリンタ２１０の生体スキャナ２２０は、セキュリティチェックポイント１０の掌紋スキャナの走査機能の一部またはすべてを実行するように動作可能である。
【０２０３】
第１リーダプリンタの実施形態におけるリーダプリンタ２１０は、リーダプリンタ筐体２１２に取り付けられたリーダプリンタディスプレイ２２２を含んでいる。リーダプリンタ２１０は、リーダプリンタ２１０のさまざまな機能に関連する動作情報をリーダプリンタディスプレイ２２２に表示するように動作可能である。第１リーダプリンタの実施形態では、リーダプリンタディスプレイ２２２は、液晶ディスプレイ（ＬＣＤ）である。追加的または代替的に、リーダプリンタ２１０は、このような動作情報を表示するためのリーダプリンタ２１０に、外部接続されたモニタ（不図示）を接続するためのコネクタを含んでもよい。追加的または代替的に、リーダプリンタ２１０は、図７に示すインジケータ２２４などの、任意の数の表示灯を含んでもよい。
【０２０４】
いくつかのリーダプリンタの実施形態では、リーダプリンタディスプレイ２２２は、タッチスクリーンディスプレイであり、リーダプリンタ２１０は、タッチスクリーンのリーダプリンタディスプレイ２２２を介してユーザ入力を受け取るように動作可能である。いくつかのリーダプリンタの実施形態では、リーダプリンタ２１０は、非タッチスクリーンディスプレイとタッチスクリーンディスプレイの両方を含み、一方は、図７に示したリーダプリンタディスプレイ２２２である。追加的または代替的に、リーダプリンタ２１０は、例えば、キー、キーボード、図７に示す押しボタン２２６のようなボタン、マウスコネクタ、イーサネット（登録商標）および／またはＵＳＢハブのような通信ポート、これらの任意の組合せ、またはユーザ入力を受け取るための他の適切な手段を含んでもよい。
【０２０５】
いくつかの実施形態では、リーダプリンタディスプレイ２２２は、セキュリティチェックポイント１０と関連した表示機能を実行するように動作可能である。いくつかの実施形態では、リーダプリンタディスプレイ２２２は、セキュリティチェックポイント１０のディスプレイ３８の表示機能の一部またはすべてを実行するように動作可能である。
【０２０６】
一般に、リーダプリンタ２１０の動作は、例えば、インジケータ２２４、リーダプリンタディスプレイ２２２、および押しボタン２２６を含むリーダプリンタ２１０のユーザインタフェース構成要素を介して、リーダプリンタ２１０に接続された外部コンピュータ（不図示）を介して、リーダプリンタ２１０とリモートデバイスとの間の任意の有線または無線の通信チャネルを介して遠隔に、セキュリティチェックポイント１０のユーザインタフェース構成要素を介して、またはこれらの任意の組合せによって、ユーザにより制御されてもよい。リモートデバイスは、例えば、中央サーバ（不図示）、デスクトップコンピュータ（不図示）、または任意のモバイルデバイス（不図示）であってもよい。変形例では、リーダプリンタ２１０のユーザインタフェース構成要素と、セキュリティチェックポイント１０のユーザインタフェース構成要素は、例えば、同一または異なる構成要素であってもよい。いくつかの実施形態では、セキュリティチェックポイント１０は、リーダプリンタ２１０の１つまたは複数のユーザインタフェース構成要素を含んでいる。
【０２０７】
リーダプリンタ２１０は、図７に示す冊子体２２８などの文書および他の価値アイテムを読み取り、認証し、これに印刷し、さらに、冊子体２２８のような文書および他の価値アイテムに印刷するように、動作可能である。図７は冊子体２２８を示し、本明細書ではこの冊子体２２８を例として参照しているが、本発明は、さまざまなサイズの文書、特定の既知の寸法を有する文書、綴じられた文書、冊子型の文書、綴じられていない文書、シート状の文書、単一シートの文書、カード状の文書、金融取引カードを含むカード、運転免許証、身分証明書、出生証明書、公式紙、用紙、製品ラベル、タグ、ステッカ、製品、またはその他の価値アイテムを含む、既知のまたは他の決定可能な寸法の任意の価値アイテムに同様に適用可能であることが、同業者には理解されよう。
【０２０８】
リーダプリンタ２１０は、例えば、図７に示す冊子支持体２３０で冊子体２２８を受け取ることによって、読み取って認証するための冊子体２２８を受け取るように構成されている。第１リーダプリンタの実施形態では、リーダプリンタ２１０は、ユーザが冊子支持体２３０で冊子体２２８を提示することによって、冊子支持体２３０で冊子体２２８を受け取るように動作可能である。ただし、いくつかのリーダプリンタの実施形態では、リーダプリンタ２１０は、価値アイテムの自動フィーダから冊子体２２８を受け取るように動作可能であり、この自動フィーダは、例えば、シートフィーダおよび／または冊子体フィーダを含み、この一方または両方がスタッキングフィーダであってもよい。
【０２０９】
いくつかの実施形態では、リーダプリンタ２１０のリーダシステム２１４は、セキュリティチェックポイント１０と関連した読み取り、検証機能および／または認証機能を実行するように動作可能である。いくつかの実施形態では、リーダプリンタ２１０のリーダシステム２１４は、セキュリティチェックポイント１０の文書スキャナ４２の走査機能の一部またはすべてを実行するように動作可能である。いくつかの実施形態では、リーダプリンタ２１０のリーダシステム２１４は、セキュリティチェックポイント１０のパスポートリーダ１３４の読み取り機能の一部またはすべてを実行するように動作可能である。
【０２１０】
第１リーダプリンタの実施形態では、冊子支持体２３０は透明であり、これにより、リーダプリンタ筐体２１２内に収容された１つまたは複数の電磁放射源（図７では見えない）が、選択波長の電磁放射を冊子支持体２３０に向かって放射するときに、リーダシステム２１４の撮像デバイス（図７では見えない）は、冊子支持体２３０によって支持されている冊子体２２８の画像を作成することが可能である。第１リーダプリンタの実施形態では、リーダシステムの撮像デバイスおよび放射源は、例えば、内壁（図７では見えない）を冊子支持体２３０の周囲から内側に突出させることによって、冊子支持体２３０に対してリーダプリンタ筐体２１２内に見通し位置を有し、放射源はこの内壁に取り付けられて、冊子支持体２３０の方向に向けられ、リーダシステムの撮像デバイスはこの壁の端部に隣接してリーダプリンタ筐体２１２内に取り付けられて、一般に冊子支持体２３０に対向している。いくつかのリーダプリンタの実施形態では、リーダシステムの撮像デバイスは、リーダプリンタ筐体２１２の底部の内面に隣接して取り付けられている。いくつかのリーダプリンタの実施形態では、リーダプリンタ２１０は、放射源によって作成され、冊子支持体２３０で配置された冊子体２２８から反射され、リーダシステムの撮像デバイスによって受け取られた、電磁放射の経路の方向を変えるための方向転換ミラーを含んでいる。このようなリーダプリンタの実施形態では、方向転換ミラーは、好適には、放射源およびリーダシステムの撮像デバイスの、リーダプリンタ筐体２１２内の位置や場所のより高い適応性を可能にする。一般に、冊子支持体２３０によって支持されているときに、リーダシステムの撮像デバイスが冊子体２２８の画像を取り込むように動作可能であれば、リーダシステムの撮像デバイスは、どこに取り付けられても、どの方向に向けられてもよい。
【０２１１】
いくつかのリーダプリンタの実施形態では、リーダプリンタ２１０は、冊子支持体２３０で冊子体２２８を摺動可能に受け取るために、上部フランジ２３４によって画定された受け入れスロット２３２を含んでいる。図７に示す上部フランジ２３４は、受け入れスロット２３２を形成するために３辺を有する。第１リーダプリンタの実施形態では、リーダプリンタ２１０は、例えば、受け入れスロット２３２内に十分な距離を摺動された冊子体２２８の存在を感知することによって、冊子支持体２３０で冊子体２２８の存在を感知するための１つまたは複数のリーダセンサ２３６（図７では直接見えない）を含んでいる。リーダセンサ２３６は、例えば、レーザ、ＬＥＤ、マイクロ波または赤外線の存在センサ、動き検出器、近接センサ、同様の検出センサ、超音波センサ、機械センサ、またはこれらの任意の組合せなどの、任意の適切なセンサであってもよい。
【０２１２】
第１リーダプリンタの実施形態では、少なくとも１つのリーダセンサ２３６は、冊子体２２８が遠位端２３８のところまで受け入れスロット２３２内に完全に挿入された場合を示すために、冊子支持体２３０の遠位端２３８に配置されている。さまざまなリーダプリンタの実施形態では、１つまたは複数のリーダセンサ２３６は、上部フランジ２３４に沿って任意の場所、および／または冊子支持体２３０の周囲の任意の場所に配置されてもよい。いくつかのリーダプリンタの実施形態では、冊子支持体２３０上にグリッドを画定するために、冊子支持体２３０の周囲に沿って離間した複数のリーダセンサ２３６が含まれ、これにより、好適には、冊子支持体２３０で受け入れされる文書（例えば、パスポート、ＩＤカード等）または他の価値アイテムのタイプを、受け入れされる価値アイテムのサイズに基づいて識別することを容易にする。追加的または代替的に、リーダプリンタ筐体２１２内に配置され、冊子支持体２３０の方向に向けられた、リーダシステムの撮像デバイス（不図示）または他の撮像カメラ（不図示）は、冊子支持体２３０で冊子体２２８の存在を感知するために使用されてもよく、したがって、リーダセンサ２３６として機能する。
【０２１３】
いくつかのリーダプリンタの実施形態では、リーダプリンタ２１０は、リーダシステム２１４を囲むためのエンクロージャ（不図示）を含んでいる。エンクロージャは、リーダシステム２１４が、リーダプリンタ筐体２１２の残りの部分から分離しているような、場合によっては、取り外し可能であるような、寸法にされてもよい。
【０２１４】
第１リーダプリンタの実施形態では、リーダプリンタ２１０は、冊子体２２８または他の価値アイテムを受け入れるために、図７および図８に示すプリンタの取り入れ口２４０のような取り入れ口を含んでいる。また、第１リーダプリンタの実施形態におけるリーダプリンタ２１０は、プリンタの取り入れ口２４０によって受け入れされたときに冊子体２２８が通過することができる、図７に示す取り入れ口フラップ２４２のようなアクセスドアを含んでいる。いくつかのリーダプリンタの実施形態では、取り入れ口フラップ２４２は、リーダプリンタ筐体２１２に表示するための透明な窓を含んでいる。いくつかのリーダプリンタの実施形態では、例えば、（ａ）生体スキャナ２２０の動作、（ｂ）適切なパスコードの入力、および（ｃ）例えばリーダシステム２１４の動作により、冊子体２２８と同じまたは異なる可能性がある文書を含む、冊子体２２８または他の価値アイテムの認証、のうちの１つまたは複数によって、適切な識別証明書が取得されない限り、取り入れ口フラップ２４２をアクセスのために開くことができない。
【０２１５】
いくつかのリーダプリンタの実施形態では、リーダプリンタ２１０は、リーダプリンタ筐体２１２内に配置され、サービスのために筐体２１２を開く技術者の顔の一般的な位置の方向に向けられたカメラなどの撮像デバイス（不図示）を含み、リーダプリンタ２１０は、筐体がサービスのために開いているときはいつでも、画像、場合により画像のストリーミンビデオを取り込むように動作可能であり、リーダプリンタ２１０と関連した記録ログに画像または複数の画像を記録するように動作可能である。
【０２１６】
いくつかのリーダプリンタの実施形態では、リーダプリンタ２１０は、印刷が行われた後に、リーダプリンタ筐体２１２内に配置され、価値アイテムの方向に向けられた、カメラなどの撮像デバイス（不図示）を含んでいる。このようなリーダプリンタの実施形態では、リーダプリンタ２１０は、（ａ）行われた印刷の品質保証画像、場合により画像のストリーミンビデオを取り込むこと、（ｂ）リーダプリンタディスプレイ２２２または他の接続されたディスプレイ（不図示）に品質保証画像を表示すること、（ｃ）行われた印刷の品質に関するユーザの承認または否認の指標を、ユーザ入力として受け取ること、（ｄ）品質保証画像に関連した品質の指標を決定するために自動画像解析を実行すること、（ｅ）リーダプリンタ２１０によって受け取りまたは決定された品質の指標をリモートデバイス（例えば、中央サーバ）に送信すること、（ｆ）品質保証画像をリモートデバイス（例えば、中央サーバ）に送信すること、および（ｇ）行われた印刷の品質の指標をリモートデバイスから受け取ること、である品質保証機能の一部またはすべてを実行するように動作可能であってもよい。
【０２１７】
いくつかのリーダプリンタの実施形態では、リーダプリンタ２１０は、挿入後いつでも、ユーザ入力として、冊子体２２８を排出するため、および、場合によっては、冊子体２２８をプリンタの取り入れ口２４０から逆に排出するための要求を受け取るように動作可能である。
【０２１８】
いくつかのリーダプリンタの実施形態では、リーダプリンタ２１０は、例えば、リーダプリンタ筐体２１２内に収容された構成要素および／またはリーダプリンタ筐体２１２内に存在する空間の、温度および／または湿度を測定することによって、その内部環境を測定するように動作可能である。このようなリーダプリンタの実施形態では、リーダプリンタ２１０は、例えば、温度センサ、湿度センサ、他の環境測定デバイスの１つまたは複数、またはこれらの任意の組合せを含む。
【０２１９】
リーダプリンタ２１０は、例えば１２Ｖ〜２４０Ｖの範囲の任意の所定の電圧を含む、所定の電圧での交流または直流であり得る、所定の電力を受け入れるように構成可能である電力管理システムを含むことが好ましい。いくつかのリーダプリンタの実施形態では、リーダプリンタ２１０は、リーダプリンタ２１０に電力を供給するための１つまたは複数のバッテリ、場合により充電可能なバッテリ、を含んでいる。追加的または代替的に、リーダプリンタ２１０は、リーダプリンタ２１０の電力供給を支援するための無停電電源装置（ＵＰＳ）を含んでもよい。いくつかの実施形態では、リーダプリンタ２１０の電力管理システムは、セキュリティチェックポイント１０に関連した電力を管理するように動作可能である。
【０２２０】
図８を参照すると、リーダプリンタ２１０は、１つまたは複数の、処理回路（不図示）を有するリーダプリンタプロセッサ２４４およびメモリ回路（不図示）を有する対応するリーダプリンタメモリ２４６を含んでいる。いくつかのリーダプリンタの実施形態では、リーダシステム２１４およびプリンタシステム２１６は、別個のリーダプリンタプロセッサ２４４および別個のリーダプリンタメモリ２４６を含んでいるが、いくつかのリーダプリンタの実施形態では、単一のリーダプリンタプロセッサ２４４およびこの単一のリーダプリンタプロセッサ２４４と電子通信する１つのリーダプリンタメモリ２４６が、リーダシステム２１４とプリンタシステム２１６の両方を制御する。各リーダプリンタプロセッサ２４４は、任意の数の処理回路を有していてもよく、各リーダプリンタメモリ２４６は、任意数のメモリ回路を有していてもよい。リーダシステム２１４およびプリンタシステム２１６の処理回路およびメモリ回路は、互いに電子通信していてもよい。電子通信は、例えば、有線であっても無線であってもよい。
【０２２１】
各処理回路は、通常は、中央処理装置（ＣＰＵ）、デジタル信号プロセッサ（ＤＳＰ）、組み込みプロセッサ等の、１つまたは複数の回路ユニット、およびこれらの任意の組合せを含み、これらの処理回路は、独立または並列に動作し、場合によっては重複して動作する。各処理回路は、１つまたは複数の集積回路（ＩＣ）によって実現されてもよく、この処理回路は、モノリシック集積回路（ＭＩＣ）、特定用途向け集積回路（ＡＳＩＣ）、フィールドプログラマブルゲートアレイ（ＦＰＧＡ）、プログラマブルロジックコントローラ（ＰＬＣ）等、またはこれらの任意の組合せを含む。
【０２２２】
第１リーダプリンタの実施形態におけるメモリ回路は、通常は、画像、認証コード、セキュリティ特徴および／または制御情報の表現を含む、データまたは他の情報のデジタル表現を格納するように、ならびに、処理回路の１つまたは複数の動作を指示するためのプログラムコードを含む、データまたは他の情報のデジタル表現を格納するように、動作可能である。リーダプリンタ２１０の１つまたは複数のメモリ回路は、データベース（不図示）を構成してもよく、および／またはデータベースと電子通信していてもよい。
【０２２３】
通常は、メモリ回路はそれぞれ、デジタル電子集積回路のすべてまたは一部であるか、複数のデジタル電子集積回路から形成されている。メモリ回路は、例えば、読み出し専用メモリ（ＲＯＭ）、プログラマブル読み出し専用メモリ（ＰＲＯＭ）、消去可能プログラマブル読み出し専用メモリ（ＥＰＲＯＭ）、電気的消去可能プログラマブル読み取り専用メモリ（ＥＥＰＲＯＭ）、フラッシュメモリ、１つまたは複数のフラッシュドライブ、メモリ装置に接続されたユニバーサルシリアルバス（ＵＳＢ）、磁気記憶装置、光学記憶装置、光磁気記憶装置等、またはこれらの任意の組合せとして実装されてもよい。メモリ回路は、揮発性メモリ、不揮発性メモリ、ダイナミックメモリ等、またはこれらの任意の組合せとして、デジタル表現を格納するように動作可能であってもよい。
【０２２４】
対応するリーダプリンタメモリ２４６と連動したリーダプリンタプロセッサ２４４は、通常は、ＷｉｎＣＥ、Ｓｙｍｂｉａｎ、ＯＳＥ、組み込みＬＩＮＵＸなどのリアルタイムオペレーティングシステム、Ｗｉｎｄｏｗｓ、Ｕｎｉｘ、Ｌｉｎｕｘなどの非リアルタイムオペレーティングシステム、およびこれらの任意の組合せを含む、１つまたは複数のオペレーティングシステムを実行するように動作可能である。対応するリーダプリンタメモリ２４６と連動したリーダプリンタプロセッサ２４４は、例えば、実行可能コードの複数のスレッドを含むマルチタスキング方法を実行するように動作可能であってもよい。
【０２２５】
いくつかの実施形態では、リーダプリンタプロセッサ２４４は、セキュリティチェックポイント１０と関連した処理機能を実行するように動作可能である。いくつかの実施形態では、リーダプリンタプロセッサ２４４は、セキュリティチェックポイント１０のコントローラ５４と関連した処理機能の一部またはすべてを実行するように動作可能である。いくつかの実施形態では、リーダプリンタプロセッサ２４４は、セキュリティチェックポイント１０のプロセッサ５６と関連した処理機能の一部またはすべてを実行するように動作可能である。変形例では、プロセッサ５６およびリーダプリンタプロセッサ２４４は、互いに同一、類似、または異なっていてもよい。いくつかの実施形態では、リーダプリンタメモリ２４６は、セキュリティチェックポイント１０と関連したデータ記憶機能を実行するように動作可能である。いくつかの実施形態では、リーダプリンタメモリ２４６は、セキュリティチェックポイント１０のメモリ５８と関連したデータ記憶機能の一部またはすべてを実行するように動作可能である。変形例では、メモリ５８およびリーダプリンタメモリ２４６は、互いに同一、類似、または異なっていてもよい。
【０２２６】
第１リーダプリンタの実施形態では、リーダプリンタ２１０は、リーダプリンタ２１０の外部にある電子デバイスとの通信を行うように動作可能な通信システム２４８を含んでいる。いくつかのリーダプリンタの実施形態では、リーダプリンタ２１０は、ローカルエリアネットワーク（ＬＡＮ）、ワイドエリアネットワーク（ＷＡＮ）、プライベート通信ネットワーク、仮想プライベートネットワーク（ＶＰＮ）、安全な（すなわち、暗号化された）通信ネットワーク、インターネット、またはこれらの任意の組合せを介して、通信を行うように動作可能である。例えば、通信システム２４８は、リーダプリンタ２１０と、リーダプリンタ２１０にアクセス可能なデータベースを有する中央サーバを含む中央サーバ（不図示）などのリモートデバイスとの間の通信を提供するように動作可能であってもよい。リーダプリンタ２１０とリモートデバイスとの間の通信は、例えば、共有ユーザ制御を含むユーザ制御やログ記録のレポートの目的、他の目的、およびこれらの任意の組合せのための通信を含んでもよい。
【０２２７】
リーダプリンタ２１０の通信システム２４８は、さまざまなリーダプリンタの実施形態において、このような通信を行うための任意の数のデバイス（不図示）を含む。例として、通信システム２４８は、任意の汎用デジタルコンピュータを含む任意のタイプのコンピュータ、モデム、携帯通信デバイス、ファクシミリ装置、固定電話回線または携帯もしくは衛星電話などの無線電話を含む電話、送受信兼用の無線機を含む無線機、携帯情報端末、または電子通信に適したその他の装置ユニットを含んでもよい。さまざまなリーダプリンタの実施形態では、通信システム２４８は、例えば、銅線リンク、同軸ケーブルリンク、光ファイバ伝送リンク、無線機リンク、携帯電話リンク、衛星リンク、見通しの自由な光リンク、およびこれらの任意の組合せを含む、任意の有線または無線接続を介して電子通信を行うように動作可能であってもよい。通信システム２４８は、対応するリーダプリンタメモリ２４６と連動したリーダプリンタプロセッサ２４４によって制御されてもよい。追加的または代替的に、通信システム２４８は、独自の処理回路（不図示）および／または独自のメモリ回路（不図示）を有していてもよい。
【０２２８】
いくつかの実施形態では、リーダプリンタ２１０の通信システム２４８は、セキュリティチェックポイント１０と関連した通信機能を行うように動作可能である。いくつかの実施形態では、リーダプリンタ２１０の通信システム２４８は、セキュリティチェックポイント１０の通信コントローラ６４と関連した通信機能の一部またはすべてを行うように動作可能である。
【０２２９】
図８に示すように、リーダプリンタ２１０は、少なくともいくつかのリーダプリンタの実施形態において、リーダプリンタ２１０の位置を識別するための位置識別システム２５０を含んでいる。位置識別システム２５０は、リーダプリンタ２１０の位置を決定するように動作可能であり、リーダプリンタ２１０の位置を連続的または定期的に監視するように動作可能であってもよい。いくつかのリーダプリンタの実施形態では、位置識別システム２５０は、例えば、リーダプリンタ２１０の位置がユーザ定義可能な許可ゾーン内ではない場合、アラーム信号を作成するように動作可能である。このようなリーダプリンタの実施形態では、リーダプリンタ２１０は、例えば、通信システム２４８を使用してアラーム信号および／またはリーダプリンタ２１０の現在位置の識別をリモートデバイス（例えば、中央サーバ）に送信することによって、アラーム信号および／または現在位置を通信するように動作可能である。
【０２３０】
いくつかの実施形態では、リーダプリンタ２１０の位置識別システム２５０は、セキュリティチェックポイント１０と関連した位置（複数可）を決定するように動作可能である。
【０２３１】
図８に示すように、プリンタシステム２１６は、プリンタの取り入れ口２４０を介して冊子体２２８（図７）を受け入れ、印刷後に、プリンタの排出口２５２を介して冊子体２２８を解放する。いくつかの実施形態では、リーダプリンタ２１０のプリンタシステム２１６は、セキュリティチェックポイント１０と関連した印刷機能を実行するように動作可能である。いくつかの実施形態では、リーダプリンタ２１０のプリンタシステム２１６は、セキュリティチェックポイント１０のプリンタ１３６と関連した印刷機能の一部またはすべてを実行するように動作可能である。
【０２３２】
図９および図１０を参照すると、第１リーダプリンタの実施形態におけるリーダプリンタ２１０は、リーダプリンタ２１０による印刷中を含む、プリンタの取り入れ口２４０からプリンタの排出口２５２に冊子体２２８を搬送するための搬送システム２５４を含む。いくつかのリーダプリンタの実施形態では、リーダシステムの撮像デバイス（不図示）は、搬送システム２５４と冊子支持体２３０との間で搬送システム２５４の上に取り付けられている。いくつかのリーダプリンタの実施形態では、リーダシステムの撮像デバイス（不図示）は、搬送システム２５４の下に取り付けられ、この搬送システム２５４は、搬送システム２５４がこのように配置されたときに、見通しがリーダシステムの撮像装置から冊子支持体２３０の少なくとも一部に到達するように、寸法決めされ、位置決め可能である。
【０２３３】
いくつかのリーダプリンタの実施形態では、搬送システム２５４は、冊子体２２８や他の価値アイテムを支持するための、トレイ、コンベヤ、ローラなどの１つまたは複数を含んでいる。搬送システム２５４は、冊子体２２８を受け入れ、プリンタの取り入れ口２４０を介して冊子体２２８をリーダプリンタ筐体２１２内に搬送するために、このようなトレイ、コンベヤ、ローラなどをプリンタの取り入れ口２４０を介して外向きに拡張するように動作可能であってもよい。いくつかのリーダプリンタの実施形態では、搬送システム２５４は、プリンタの取り入れ口２４０を介してリーダプリンタ筐体２１２内に、ユーザによって押されている冊子体２２８を受け入れるように動作可能である。いくつかのリーダプリンタの実施形態では、搬送システム２５４は、自動フィーダ（不図示）から冊子体２２８を受け入れるように動作可能である。
【０２３４】
第１リーダプリンタの実施形態における搬送システム２５４は、搬送システム２５４により受け入れられた冊子体２２８（図７）を支持するためのプラテン２５６を含んでいる。
【０２３５】
第１リーダプリンタの実施形態では、プラテン２５６は、プリンタの取り入れ口２４０から搬送フレーム２６０に、長手方向（長手方向の矢印２５８で図９に示されている）に延在している。いくつかのリーダプリンタの実施形態では、プラテン２５６は、プリンタの取り入れ口２４０と搬送フレーム２６０の中間のみに延在している。いくつかのリーダプリンタの実施形態では、プラテン２５６は、搬送フレーム２６０の、図９に示す下部フレーム板２６２のような下部フレーム部材の上、および図９に示す上部フレーム板２６４のような上部フレーム部材の下の、搬送フレーム２６０によって画定された空間内に途中まで延在している。このようなリーダプリンタの実施形態では、プラテン２５６は、プラテン２５６の遠位端２６８（図９では完全には見えない）が、下部フレーム板２６２と上部フレーム板２６４との間で移動可能であるように、垂直方向（垂直方向の矢印２６６で図９に示されている）に沿って移動可能である。第１リーダプリンタの実施形態では、プラテン２５６は、プラテン２５６の垂直移動を行うために使用可能な１つまたは複数のプラテン柱２７０を含んでいる。
【０２３６】
また、第１リーダプリンタの実施形態では、搬送フレーム２６０は、図９に示すストッパゲート２７２のような障壁を含み、この障壁は、好ましくは、水平位置（図９に示されている）から垂直位置（不図示）に回転することができる。ストッパゲート２７２がその垂直位置にあるとき、ストッパゲート２７２は、冊子体２２８がストッパゲート２７２を過ぎてリーダプリンタ２１０に挿入されること、または搬送システム２５４によってプリンタの取り入れ口２４０からストッパゲート２７２を過ぎて長手方向２５８に搬送されることを妨げるために、機能することができる。
【０２３７】
第１リーダプリンタの実施形態では、リーダプリンタ２１０は、冊子体２２８の前縁（すなわち、プリンタの取り入れ口２４０で挿入されるべき冊子体２２８の最初の縁部）がストッパゲート２７２にその垂直位置で隣接または近接した状態である、完全に挿入された冊子体２２８の存在を感知するために、ストッパゲート２７２に近接して配置された１つまたは複数のプリンタセンサ（図９および図１０では直接見えない）を含んでいる。いくつかのリーダプリンタの実施形態では、リーダプリンタ２１０は、ストッパゲート２７２に近接した少なくとも１つのプリンタセンサ、およびプラテン２５６の対向側に沿って配置された少なくとも２つのプリンタセンサを含んでいる。
【０２３８】
冊子体２２８がリーダプリンタ２１０に挿入されたとき、および／またはストッパゲート２７２にその垂直位置で接触または近接するまでプラテン２５６の上に搬送されたとき、続いて、プラテン２５６の遠位端２６８と上部フレーム板２６４との間で、冊子体２２８をその一端で固定するために、リーダプリンタ２１０がプラテン２５６の上方移動を行うことができる。いくつかのリーダプリンタの実施形態では、冊子体２２８が完全に挿入された位置にあることの、１つまたは複数のプリンタセンサからの指標に応答して、場合によっては、３つのプリンタセンサのうちの少なくとも２つに応答して、プラテン２５６の上方移動が行われる。さまざまなリーダプリンタの実施形態では、リーダプリンタ２１０は、例えば、プラテン２５６の上方移動を行うための機械的駆動機構、プラテン２５６の上方移動を行うための電子作動機構、またはこれらの任意の組合せを含んでいる。複数のプラテン２５６板を有するリーダプリンタの実施形態では、搬送フレーム２６０の下部フレーム板２６２と上部フレーム板２６４との間に画定された空間内に長手方向に延在する固定プラテン２５６板は、これらのプラテン２５６板と上部フレーム板２６４との間で冊子体２２８の縁部を固定するために、垂直方向に移動される。追加的または代替的に、下部フレーム板２６２と上部フレーム板２６４との間に画定された空間内に長手方向に延在しない残りのプラテン２５６板の１つまたは複数も、固定プラテン２５６板と連動して垂直方向に移動されてもよい。
【０２３９】
第１リーダプリンタの実施形態では、リーダプリンタ２１０は、印字ヘッド２７４の動作による印刷のために固定された冊子体２２８の異なる部分を露出するために、プラテン２５６と搬送フレーム２６０を長手方向に一緒に移動させるように動作可能である。例えば、搬送システム２５４は、出力ギヤ（不図示）の回転がプラテン２５６および搬送フレーム２６０を歯付きレール（図９および図１０には示されていない）に沿って移動させるように、歯付きレールに噛み合わさった出力ギヤを駆動するためのモータ（不図示）を含んでもよい。
【０２４０】
複数のプラテン２５６板を有するリーダプリンタの実施形態では、固定プラテン２５６板は、搬送フレーム２６０と一緒に長手方向に移動する。追加的または代替的に、残りのプラテン２５６板の１つまたは複数も、固定プラテン２５６板と連動して長手方向に移動されてもよい。
【０２４１】
いくつかのリーダプリンタの実施形態では、搬送フレーム２６０は、プリンタの取り入れ口２４０から離れてプリンタの排出口２５２に向かう方向で、ストッパゲート２７２を過ぎて搬送フレーム２６０を出る際の冊子体２２８の方向付けを支援するための傾斜路（図９および図１０には図示されていない）を含んでいる。いくつかのリーダプリンタの実施形態では、傾斜路は、下部フレーム板２６２から上方に離れた角度で延在している。
【０２４２】
好ましくは、ストッパゲート２７２およびプラテン２５６は、ストッパゲート２７２が図９に示す水平位置にあるときに、重なることを妨げるような寸法にされている。図９に示す水平位置に追加的または代替的に、いくつかのリーダプリンタの実施形態におけるストッパゲート２７２は、出口位置（図９に示されていない）に回転可能であり、この出口位置は、下部フレーム板２６２から上方に離れて延伸する角度にあってもよい。このようなリーダプリンタの実施形態では、ストッパゲート２７２は、プリンタの取り入れ口２４０から離れて対向端のプリンタの排出口２５２に向かう方向で、角度の付いたストッパゲート２７２に沿って搬送フレーム２６０を出る際の冊子体２２８の方向付けを支援するための傾斜路として機能している。追加的または代替的に、このようなリーダプリンタの実施形態では、ストッパゲート２７２は、図９に示す水平位置に回転可能である必要はなく、ストッパゲート２７２が、ストッパゲート２７２を過ぎる冊子体２２８のさらなる長手方向の移動を阻止する位置に配置されるように動作可能であり、ストッパゲート２７２を過ぎてプリンタの取り入れ口２４０から離れる冊子体２２８のさらなる長手方向の移動を可能にする位置に配置されるように動作可能であるように、設けられている。
【０２４３】
図９に示す第１リーダプリンタの実施形態では、リーダプリンタ２１０は、印字ヘッド２７４に向かう方向と印字ヘッド２７４から離れる方向の一方はまたは両方を含む、プリンタの取り入れ口２４０からプリンタの排出口２５２（図８）の方向へ冊子体２２８を搬送するための搬送コンベヤ２７６を含んでいる。
【０２４４】
第１リーダプリンタの実施形態の搬送システム２５４は、プリンタの取り入れ口２４０を介して冊子体２２８（図９に示されていない）を受け入れるように動作可能である。変形例では、第１リーダプリンタの実施形態の搬送システム２５４は、搬送システム２５４のプリンタの取り入れ口２４０と同じ端部または対向端で冊子体２２８を解放または排出するように動作可能であってもよく、あるいは、第１リーダプリンタの実施形態の搬送システム２５４は、搬送システム２５４のプリンタの取り入れ口２４０と同じ端部および対向端の両方で冊子体２２８を解放または排出するように動作可能であってもよい。
【０２４５】
いくつかのリーダプリンタの実施形態では、印字ヘッド２７４は、市販の印字ヘッド２７４である。いくつかのリーダプリンタの実施形態では、プリンタシステム２１６は、例えば、印字ヘッド２７４の一部として磁場の磁気源を有する磁気プリンタであり、および／または印字ヘッド２７４に近接して取り付けられている。第１リーダプリンタの実施形態では、印字ヘッド２７４は、冊子体２２８などの文書の認証を支援するためのセキュリティ特徴を有するセキュリティインクを使用して印刷するように動作可能である。第１リーダプリンタの実施形態では、搬送コンベヤ２７６は、搬送コンベヤ２７６によって画定された搬送路に沿って長手方向２５８に冊子体２２８を押すためのコンベヤベルト２７８から突出した押板２８０を有するコンベヤベルト２７８を含んでいる。
【０２４６】
第１リーダプリンタの実施形態では、各搬送コンベヤ２７６は、コンベヤベルト２７８に沿って離れた位置でコンベヤベルト２７８から突出した一対の押板２８０を含んでおり、これにより、第１押板２８０が冊子体２２８を排出する役割を完了したときに、受入位置に第２押板２８０を提供するのが有効である。ただし、いくつかのリーダプリンタの実施形態では、ただ１つの押板２８０が、各コンベヤベルト２７８のために使用されている。プリンタシステム２１６は、一方向のみに搬送コンベヤ２７６を前進させるように動作可能であってもよく、あるいは、搬送コンベヤ２７６は、いずれかの対向方向に搬送コンベヤ２７６を選択可能に前進させるように動作可能であるプリンタシステム２１６を用いて、可逆的であってもよい。
【０２４７】
図９に示すいくつかのリーダプリンタの実施形態では、搬送コンベヤ２７６は、隣接するプリンタの取り入れ口２４０から搬送フレーム２６０に近接する地点に延在している。ただし、いくつかのリーダプリンタの実施形態では、搬送コンベヤ２７６は、プリンタの取り入れ口２４０と搬送フレーム２６０の中間のみに延在している。図９に示すいくつかのリーダプリンタの実施形態では、搬送コンベヤ２７６は、その上面がプラテン２５６の上面に隣接しているように、垂直方向に配置されている。搬送コンベヤ２７６は、任意の適切な長さを有していてもよい。
【０２４８】
第１リーダプリンタの実施形態では、プラテン２５６は、部分的であり、複数のプラテン部分２８２を含んでいる。ただし、いくつかのリーダプリンタの実施形態では、プラテン２５６は、部分的ではなく、ただ１つのプラテン部分２８２を含んでいる。他のリーダプリンタの実施形態では、プラテン２５６は、図９に示すように、左右一対のプラテン部分２８２を含んでいる。いくつかのリーダプリンタの実施形態では、リーダプリンタ２１０が図９に示す全部で４つのプラテン部分２８２を含むように、左右のプラテン部分２８２の一方または両方が、前後のプラテン部分２８２を含んでいる。左右のプラテン部分２８２を有することにより、搬送コンベヤ２７６がこの左右のプラテン部分２８２の間に配置されることを可能にするのが有効である。前後のプラテン部分２８２を有することにより、前後のプラテン部分２８２が、異なる高さで、場合によっては、例えば冊子体２２８の異なる半分の異なる厚さにより、弾力的に配置されることを可能にするのが有効である。
【０２４９】
第１リーダプリンタの実施形態では、リーダプリンタ２１０は、図９に示す第１送りローラ２８４およびより小さな第２送りローラ２８６などの、同じまたは異なる直径かつ同じまたは異なる長さの１つまたは複数の送りローラを含んでいる。図９に示すように、送りローラ２８４および２８６は、プラテン２５６の幅全体にわたって延伸している必要はない。第１リーダプリンタの実施形態では、送りローラ２８４および２８６は、プラテン２５６の長手方向端部２９０に延伸していないことが好ましく、プラテン２５６の長手方向端部２９０の２．５ｃｍ（１インチ）以内、およびこれに対応して冊子体２２８（図７）の側縁の２．５ｃｍ（１インチ）以内に延伸していないことが好ましい。第１リーダプリンタの実施形態では、第１送りローラ２８４は、冊子体２２８が第１送りローラ２８４の上に挿入されることを抑制することが好適であり、冊子体２２８の頁が逆に折れずに第２送りローラ２８６とプラテン２５６との間に広がるように冊子体２２８をガイドすることが好ましい。第２ローラ２８６は、印字ヘッド２７４の動作による冊子体２２８へのより良い印刷のために、プラテン２５６に対して冊子体２２８の頁の中央領域を保持するのが有効である。いくつかのリーダプリンタの実施形態では、送りローラ２８４および２８６の一方または両方が、リーダプリンタ筐体２１２に取り付けられている。いくつかのリーダプリンタの実施形態では、送りローラ２８４および２８６の一方または両方が、通常は、印字ヘッド軸（不図示）を介してリーダプリンタ筐体２１２に取り付けられている印字ヘッド２７４に取り付けられ、これにより、印字ヘッド２７４が横断方向（すなわち、長手方向に直交かつ垂直方向に直交）に摺動するように動作可能である。
【０２５０】
第１リーダプリンタの実施形態では、リーダプリンタ２１０は、プラテン２５６の長手方向端部２９０に隣接して垂直方向に延伸している端部ブラケット２８８を含んでいる。追加的または代替的に、端部ブラケット２８８は、片持ちブラケット部分２９２を含み、この片持ちブラケット部分２９２は、好適には、挿入された冊子体２２８をその側縁（不図示）で固定していない間に、挿入された冊子体２２８が上方に広がることを抑制する。通常は、端部ブラケット２８８は、リーダプリンタ筐体２１２に取り付けられている。いくつかのリーダプリンタの実施形態では、片持ちブラケット部分２９２は、水平に配置され、平坦である。追加的または代替的に、片持ちブラケット部分２９２は、図９に示すようなプリンタの取り入れ口２４０の方向を向いた傾斜部２９４を含んでもよい。いくつかのリーダプリンタの実施形態では、一対（図９では見えない）の端部ブラケット２８８が、プラテン２５６の両方の対向する長手方向端部２９０に隣接して配置されている。
【０２５１】
いくつかのリーダプリンタの実施形態では、端部ブラケット２８８は、Ｕ字型のブラケット（不図示）を形成するように、端部ブラケット２８８の対向する上端および下端に一対の上部および下部片持ちブラケット部分２９２を含んでいる。いくつかのリーダプリンタの実施形態では、端部ブラケット２８８は、プラテン２５６の一端または両端に沿ってＵ字型のチャネルを形成しながら長手方向に延伸している。
【０２５２】
第１リーダプリンタの実施形態では、プリンタシステム２１６は、マシンビジョンとヒューマンビジョンの検査の一方または両方の目的で、挿入され固定された冊子体２２８を撮像するための撮像システム（不図示）を含んでいる。プリンタシステム２１６によって冊子体２２８上に印刷する前、印刷中、または印刷後に、このような検査を行うことができる。撮像システムは、第１リーダプリンタの実施形態において、冊子体２２８の画像を作成するように動作可能であり、冊子体２２８の印刷可能領域で画像を作成してもよい。第１リーダプリンタの実施形態では、リーダプリンタ２１０は、ユーザによる閲覧のために撮像システムによってリーダプリンタディスプレイ２２２に作成された画像を表示するように動作可能である。いくつかのリーダプリンタの実施形態では、撮像システムは、印字ヘッド２７４に隣接してまたは近接して配置されたカメラなどの、プリンタシステムの撮像デバイスおよび／または品質保証の撮像デバイスを含み、場合により、この撮像デバイスは、印字ヘッド２７４とプリンタの取り入れ口２４０との間に含まれる。撮像システムは、例えば、静止画像、ビデオ画像、またはこれらの任意の組合せを作成するように動作可能であってもよい。いくつかのリーダプリンタの実施形態では、リーダプリンタ２１０は、例えば、リーダシステム２１４の選択された電磁放射源、プリンタシステム２１６の他の放射源、またはこれらの任意の組合せの動作によって、挿入された冊子体２２８に向けられる可視波長の照明をもたらすように動作可能である。いくつかのリーダプリンタの実施形態では、可視波長の照明は、撮像システムによる挿入された冊子体２２８の撮像中に、挿入された冊子体２２８に向けられる。可視波長の照明源は、例えば、リーダプリンタ筐体２１２内で印字ヘッド２７４の周りの１つまたは複数の側面に取り付けられてもよい。また、このような照明源は、冊子体２２８に印刷した後のインクの乾燥や硬化を助けるために使用されてもよい。
【０２５３】
いくつかのリーダプリンタの実施形態では、リーダプリンタ２１０は、印刷が行われるべき冊子体２２８の位置または領域を示すユーザ入力を受け取るように、および示された位置または領域に印刷するように動作可能である。タッチスクリーンの場合の例として、ユーザは、タッチスクリーンが冊子体２２８の印刷可能な頁を表示しているときに、ユーザの所望の位置に対応する位置でタッチスクリーンに触れることにより、印刷のための所望の位置を示すことを許可されてもよい。
【０２５４】
第１リーダプリンタの実施形態におけるリーダプリンタ２１０は、冊子体２２８を固定から解放するために、プラテン２５６の下方移動を引き起こすように動作可能であり、冊子体２２８への印刷および／または印刻が完了した後に冊子体２２８を解放することを含む。いくつかのリーダプリンタの実施形態では、リーダプリンタ２１０は、搬送システム２５４が指定可能な長手方向位置にある場合にのみ、冊子体２２８を解放するように動作可能である。
【０２５５】
図１０を参照すると、第１リーダプリンタの実施形態における搬送システム２５４は、プリンタの排出口２５２が、プリンタの取り入れ口２４０から搬送システム２５４の対向端に配置されている場合に、挿入された冊子体２２８をプリンタの排出口２５２でリーダプリンタ２１０から搬送するための出口コンベヤ２９６を含んでもよい。
【０２５６】
第１リーダプリンタの実施形態における出口コンベヤ２９６は、搬送フレーム２６０（長手方向の移動の遠位範囲で）とリーダプリンタ２１０の対向端のプリンタの排出口２５２との間の勾配３００に沿って配置された、複数のローラ２９８を含んでいる。図１０に示すように、プリンタの排出口２５２は、リーダプリンタ筐体２１２の壁３０２によって画定され、任意の適切な形状またはサイズを有していてもよい。第１リーダプリンタの実施形態では、搬送システム２５４は、冊子体をプリンタの排出口２５２に向かってガイドするための上部出口ガイド３０４を含んでいる。上部出口ガイド３０４は、冊子体２２８の側縁に沿ってのみ冊子体２２８に接触するような寸法であるのが好ましく、これにより、冊子体２２８の新しく印刷された領域と接触することを避けるのが有効である。いくつかのリーダプリンタの実施形態では、搬送システム２５４は、冊子体２２８の近接する対向側縁に取り付けられた一対の上部出口ガイド３０４を含んでいる。いくつかのリーダプリンタの実施形態では、対向する上部出口ガイド３０４間の距離が調整可能であり、場合により、例えば、冊子体２２８のリーダプリンタ２１０が撮像または感知することに応じて自動で調整可能および／または手動で調整可能である。第１リーダプリンタの実施形態では、上部出口ガイド３０４およびローラ２９８は、冊子体２２８を固定しないような寸法にされている。追加的または代替的に、搬送システム２５４は、プリンタの排出口２５２に向かう冊子体２２８の移動を支援するために、上部ローラ（不図示）を含んでもよい。このような上部ローラは、冊子体２２８の側縁に沿ってのみ冊子体２２８に接触するような寸法であるのが好ましく、これにより、冊子体２２８の新しく印刷された領域と接触することを避けるのが有効である。
【０２５７】
いくつかのリーダプリンタの実施形態では、上部出口ガイド３０４、上部ローラ、または上部出口ガイド３０４と上部ローラの両方が、対向端のプリンタの排出口２５２を介してリーダプリンタ２１０を出るために、開いた冊子体の半分が剛性であるように、ポリカーボネートシートなどの剛性材料で作られた少なくとも１つの頁を有する冊子体などの、剛性または半剛性材料で作られたカード状の文書を許可するような寸法にされている。例えば、搬送システム２５４は、対向端のプリンタの排出口２５２を介してリーダプリンタ２１０を出るために剛性頁を有する冊子体を許可するために、上部出口ガイド３０４と出口コンベヤ２９６との間に勾配３００の底部で十分な下部クリアランス３０６と、上部出口ガイド３０４と出口コンベヤ２９６との間に勾配３００の頂部で十分な上部クリアランス３０８とを提供するような寸法にされてもよい。いくつかのリーダプリンタの実施形態では、最小の下部クリアランス３０６は、１０ｃｍ（３．９４インチ）であり、最小の上部クリアランス３０８は、１．５ｃｍ（０．５９インチ）である。
【０２５８】
第１リーダプリンタの実施形態では、ユーザが、テーブル面付近でテーブルの横から冊子支持体２３０でリーダシステム２１４によって受け入れられるように冊子体２２８を配置することができ、テーブル面の下およびテーブル面に近接してテーブルの横からプリンタの取り入れ口２４０を介してプリンタシステム２１６によって受け入れられるように冊子体２２８を配置することができ、そして、テーブル面に載るようにプリンタの排出口２５２を出た後にテーブル面の上面から印刷された後に冊子体２２８を取ることができるように、リーダプリンタ２１０は、テーブル（不図示）の端部に近接してテーブル面の下に取り付けるのに適するような寸法にされている。リーダプリンタ２１０は、例えば、プリンタの取り入れ口２４０がテーブル（不図示）の前端と整列するような、冊子支持体２３０がテーブル（不図示）の前部に切り込むノッチ内に配置されるような、プリンタの排出口２５２がテーブル（不図示）のテーブル面を通る切り抜きまたはその他の開口に配置されるような、さまざまな取り付け方法、他の取り付け方法、またはこれらの任意の組合せを可能にするような寸法にされている。このような取り付け方法は、好適には、最小のテーブル面領域を占有しながら、冊子体２２８を認証のための読み取り、印刷することを可能にする。
【０２５９】
いくつかのリーダプリンタの実施形態では、出口コンベヤ２９６は、プリンタの排出口２５２に向かう冊子体２２８の移動を支援するように動作可能な出口コンベヤベルト３１０を含んでいる。このようなリーダプリンタの実施形態では、出口コンベヤベルト３１０は、冊子体２２８を勾配３００に沿って押すことを支援するため、およびリーダプリンタ２１０から冊子体２２８を押し出すために、出口の押板３１２を含んでもよい。出口コンベヤ２９６および出口コンベヤベルト３１０は、任意の適切な長さを有していてもよい。
【０２６０】
追加的または代替的に、搬送システム２５４は、冊子体２２８の後縁に接触し、プリンタの排出口２５２に向かって勾配３００を上る冊子体２２８を押すまたは押すことを支援するために、リーダプリンタ筐体２１２の頂部から下方に到達する１つまたは複数の出口アーム（不図示）を含んでもよい。
【０２６１】
追加的または代替的に、搬送システム２５４は、冊子体２２８をその前縁のみに沿って固定し、プリンタの排出口２５２に向かって勾配３００を上る冊子体２２８を引く、固定機構を含んでもよい。例えば、いくつかのリーダプリンタの実施形態では、搬送フレーム２６０は、冊子体２２８をプリンタの排出口２５２に引くために、場合により、リーダプリンタ２１０から冊子体２２８を引き出すために、勾配３００を上ってプリンタの排出口２５２に移動するように動作可能である。追加的または代替的に、いくつかのリーダプリンタの実施形態におけるリーダプリンタ２１０は、冊子体２２８をその前縁で固定して、冊子体２２８をプリンタの排出口２５２の方に引くための、場合によっては、リーダプリンタ２１０から冊子体２２８を引き出すための、手の指でつかむスタイルの固定アームを含む。
【０２６２】
図１０には示されていないが、いくつかのリーダプリンタの実施形態におけるリーダプリンタ２１０は、好適には、リーダプリンタ２１０への破片や他の物質の侵入を抑制しながら、出ていく冊子体２２８が通過することができるプリンタの排出口２５２に出口ドアまたは出口フラップを含んでいる。
【０２６３】
図１０は、リーダプリンタ筐体２１２の上部近くに配置されたプリンタの排出口２５２を示しているが、いくつかのリーダプリンタの実施形態では、プリンタの排出口２５２は、搬送フレーム２６０と実質的に同じ高さで、リーダプリンタ２１０の後方に配置されている。いくつかのリーダプリンタの実施形態では、搬送コンベヤ２７６は、リーダプリンタ筐体２１２の後方に向かって印字ヘッド２７４を過ぎて続いている。いくつかのリーダプリンタの実施形態では、出口コンベヤ２９６は、図１０に示すような傾斜位置と搬送コンベヤ２７６と実質的に同じ高さの水平位置との間で、回転可能である。
【０２６４】
図１０には示されていないが、いくつかのリーダプリンタの実施形態におけるリーダプリンタ２１０は、勾配３００に沿って延伸する、および／または端部ブラケット２８８を有して長手方向に延伸可能な、Ｕ字型のチャネルガイドを含んでいる。いくつかのリーダプリンタの実施形態では、このようなＵ字型のチャネルの内側の高さは、例えば、このＵ字型のチャネルの内側の高さを変化させて、全体に最小のクリアランスを設け、冊子体２２８の経路の曲がりで必要とされる最大のクリアランスを設けることによって、剛性または半剛性の文書が通過することができるために十分なクリアランスを提供するような寸法にされている。
【０２６５】
第２リーダプリンタの実施形態
図１１を参照すると、本発明の第２リーダプリンタの実施形態に係る搬送システム２５４が、１つの支持板４００と、支持板４００の両側に配置された平行に離間した一対のコンベヤ４０２を含んでいる。コンベヤ４０２は、任意の適切な長さを有していてもよい。
【０２６６】
リーダプリンタ筐体２１２の一部のみが、説明を容易にするために図１１に切欠きとして示されている。第２リーダプリンタの実施形態では、取り入れ口ガイド４０４が、プリンタの取り入れ口２４０を通過する冊子体２２８（図１１には示されていない）を支持板４００と第１送りローラ２８４および第２送りローラ２８６との間の空間に誘導するために、プリンタの取り入れ口２４０で筐体に取り付けられている。図１１では２つの取り入れ口ガイド４０４が見えるが、一般に、任意の数の取り入れ口ガイド４０４が使用されてもよい。例えば、プリンタの取り入れ口２４０の周囲の４つの側面すべてでプリンタの取り入れ口２４０から突出する、４つの取り入れ口ガイド４０４が使用されてもよい。変形例では、リーダプリンタ２１０は、プリンタの取り入れ口２４０の上下から突出する２つだけの取り入れ口ガイド４０４、プリンタの取り入れ口２４０の左右から突出する２つだけの取り入れ口ガイド４０４、任意の１つの端部でプリンタの取り入れ口２４０から突出する１つだけの取り入れ口ガイド４０４を含んでもよく、あるいは取り入れ口ガイド４０４が全く使用されなくてもよい。
【０２６７】
図１１に示す支持板４００はプラテン２５６（図９および図１０）と同様であるが、ただし、図１１に示す支持板４００は、印字ヘッド２７４（図１１に点線で示されている）の下の、印刷が行われる印刷ゾーンの範囲までは延伸していない。いくつかのリーダプリンタの実施形態では、支持板４００は、印字ヘッド２７４の下に全く延伸していない。ただし、他のリーダプリンタの実施形態では、支持板４００は、プラテンの方法で印刷中に支持面を形成するために、印刷が行われる印刷ゾーンの範囲までは延伸していてもよい。
【０２６８】
支持板４００は、柱４０６に取り付けられるものとして図１１に示されている。第２リーダプリンタの実施形態では、リーダプリンタ２１０は、支持板４００を送りローラ２８４および２８６に近づけたり離したりして位置決めされるように垂直方向に上下移動させるように動作可能である。一般に、垂直方向に支持板４００を移動させる任意の適切な方法が使用されてもよい。例えば、エレベータ型の機構が使用されてもよい。このようなエレベータ型の機構は、例えば、回転軸出力を有するモータ（不図示）、直動モータ（不図示）、変速機（不図示）、クランク軸（不図示）、他の構成要素、およびこれらの任意の組合せを含んでもよい。エレベータ型の機構は、例えば、コンピュータ制御されてもよく、電子制御されてもよく、電子的に作動されてもよく、機械的に作動されてもよく、機械的に駆動されてもよく、またはこれらの任意の組合せであってもよい。
【０２６９】
第２リーダプリンタの実施形態では、支持板４００と送りローラ２８４および２８６は、搬送システム２５４の長手方向中心軸の周りに中心に配置され、搬送システム２５４の長手方向中心軸の両側に横方向に延伸している。第２リーダプリンタの実施形態では、支持板４００、送りローラ２８４および２８６、または支持板４００と送りローラ２８４および２８６の両方は、上下側の取り入れ口ガイド４０４の位置の範囲まで横方向に延伸していない。第２リーダプリンタの実施形態では、送りローラ２８４および２８６は、支持板４００の幅全体にわたって延伸する必要はない。第２リーダプリンタの実施形態では、送りローラ２８４および２８６は、支持板４００の長手方向端部に延伸していないことが好ましく、支持板４００の長手方向端部の２．５ｃｍ（１インチ）以内、およびこれに対応して冊子体２２８（図７）の側縁の２．５ｃｍ（１インチ）以内に延伸していないことが好ましい。
【０２７０】
図１１および図１２を参照すると、固定フレーム４０８は、上部クランプ板４１０および下部クランプ板４１２を含んでいる。第２リーダプリンタの実施形態では、下部クランプ板４１２は、上部クランプ板４１０と下部クランプ板４１２との間で冊子体２２８の前縁４１４の固定をもたらすために、任意の適切な手段によって垂直方向に移動可能である。例えば、任意のエレベータ型の機構が使用されてもよく、この機構は、例えば、任意の適切な構成要素を含んでもよく、コンピュータ制御されてもよく、電子制御されてもよく、電子的に作動されてもよく、機械的に作動されてもよく、機械的に駆動されてもよく、またはこれらの任意の組合せであってもよい。追加的または代替的に、固定フレーム４０８は、上部クランプ板４１０と下部クランプ板４１２との間に磁気吸引力を作成するために、任意のタイプの１つまたは複数の磁石（不図示）を含んでもよい。例として、上部クランプ板４１０と下部クランプ板４１２の一方または両方に取り付けられた電磁石（不図示）が、上部クランプ板４１０に向かって垂直方向に下部クランプ板４１２を移動させるために使用されてもよい。追加的または代替的に、１つまたは複数の磁石は、上部クランプ板４１０と下部クランプ板４１２との間の固定力の強化を提供するために使用されてもよい。いくつかのリーダプリンタの実施形態では、１つまたは複数の永久磁石（不図示）が、上部クランプ板４１０と下部クランプ板４１２の一方に配置され、１つまたは複数の電磁石（不図示）は、上部クランプ板４１０と下部クランプ板４１２の他方に配置されている。動作時には、電磁石（不図示）は、固定のときにまたは固定の強化が望まれるときにオンされてもよい。
【０２７１】
図１１に示すように、固定フレーム４０８は、ピニオンギヤ（不図示）を介してレールまたはラック４１６に沿って長手方向に移動可能である。説明を容易にするために、ラック４１６に沿って長手方向に固定フレーム４０８を移動させるためのラックアンドピニオン式のリニア駆動システムのすべての構成要素は、図１１に示されていない。一般に、任意の直線運動システムは、例えば、任意の滑車システム、コンベヤシステム、ねじ駆動システム、他の同様のシステム、または、これらの任意の組合せを含み、長手方向に固定フレーム４０８を移動させるために使用されてもよい。第２リーダプリンタの実施形態では、ラック４１６は、図１１に示されたものよりも長く、一般に、任意の適切な長さであってもよい。
【０２７２】
第２リーダプリンタの実施形態の搬送システム２５４は、プリンタの取り入れ口２４０を介して冊子体２２８（図１１に示されていない）を受け入れるように動作可能である。変形例では、第２リーダプリンタの実施形態の搬送システム２５４は、搬送システム２５４のプリンタの取り入れ口２４０と同じ端部または対向端で冊子体２２８を解放または排出するように動作可能であってもよく、あるいは、第２リーダプリンタの実施形態の搬送システム２５４は、搬送システム２５４のプリンタの取り入れ口２４０と同じ端部および対向端の両方で冊子体２２８を解放または排出するように動作可能であってもよい。一例として、図１１は、プリンタの取り入れ口２４０の対向端にある搬送システム２５４のプリンタの排出口２５２を示している。
【０２７３】
図１１に示す第２のリーダプリンタの実施形態の出口傾斜路４１８は、コンベヤ４０２と固定フレーム４０８に隣接する近位端４２０を有し、プリンタの排出口２５２に遠位端４２２を有する。出口傾斜路４１８は、出口傾斜路４１８の一側端に沿って出口クランプ４２４を含んでいる。第２リーダプリンタの実施形態における出口クランプ４２４は、上部固定フィンガ４２６および下部固定フィンガ４２８を含んでいる。いくつかのリーダプリンタの実施形態では、下部固定フィンガ４２８は、出口傾斜路４１８のフロア部４３０自体によって実装されている。第２リーダプリンタの実施形態におけるリーダプリンタ２１０は、上部固定フィンガ４２６および下部固定フィンガ４２８を固定のために寄り合わせるように動作可能である。また、第２リーダプリンタの実施形態では、リーダプリンタ２１０は、例えば出口傾斜路４１８によって画定された勾配３００に沿って、出口傾斜路４１８に沿って出口クランプ４２４を長手方向に移動させるように動作可能である。図１１には示されていないが、出口傾斜路４１８に沿って出口クランプ４２４を直線運動させるための任意の適切な機構が使用さてもよく、この機構は、例えば、任意の滑車システム、コンベヤシステム、ねじ駆動システム、ラックアンドピニオンシステム、他の同様のシステム、または、これらの任意の組合せを含む。
【０２７４】
変形例では、出口クランプ４２４は、出口傾斜路４１８の両側に配置されてもよく、すなわち、例えば、各側に１つずつで２つの出口クランプ４２４があってもよい。いくつかのリーダプリンタの実施形態では、例えば、出口傾斜路４１８が十分に短い場所や十分に低い高さである場所では、出口クランプ４２４はリーダプリンタ２１０に含まれない。
【０２７５】
いくつかのリーダプリンタの実施形態（不図示）では、リーダプリンタ２１０は、冊子体２２８の前縁４１４を固定し、出口傾斜路４１８まで冊子体２２８を引っ張るように動作可能な固定機構を含んでいる。例として、固定フレーム４０８は、いくつかのリーダプリンタの実施形態において、出口傾斜路４１８に沿ってプリンタの排出口２５２に向かう長手方向の移動を継続するように動作可能である。いくつかのリーダプリンタの実施形態では、追加的または代替的に、冊子体２２８の前縁４１４を固定し、出口傾斜路４１８に沿ってプリンタの排出口２５２の方に冊子体２２８を引っ張るために、出口クランプ４２４などの１つまたは複数の指状クランプが、出口傾斜路４１８の長手方向中心軸（不図示）の中央に、および／または両側に配置されている。
【０２７６】
図１１に示す出口傾斜路４１８は、出口傾斜路４１８内におよび出口傾斜路４１８に沿って冊子体２２８をガイドするための、右側壁４３４と対向する左側壁４３２および張り出し部４３６を含んでいる。図１１に示すように、出口傾斜路４１８のフロア部４３０と張り出し部４３６との間の垂直距離は、コンベヤ４０２に近接している出口傾斜路４１８のエントリで最も大きく、これにより、好適には、一方または両方の半部が剛性または半剛性である冊子体２２８などの剛性または半剛性の冊子体２２８が、張り出し部４３６に対して詰まることなく固定フレーム４０８から出口傾斜路４１８への移行部で作成された曲げを経由して出口傾斜路４１８の頂部の方向に垂直角で固定フレーム４０８を通過することが可能になる。
【０２７７】
図１１に示すように、右側壁４３４は、出口傾斜路４１８の遠位端４２２まで延伸しておらず、出口傾斜路４１８のフロア部４３０の右側壁の一部は切り欠きされている。出口傾斜路４１８の切欠き４３８は、好適には、リーダプリンタ２１０から冊子体２２８を排出する際にユーザが冊子体２２８を把握するための自由空間を提供する。切欠き４３８は、出口傾斜路４１８の左側および右側の一方または両方に配置されてもよい。図１１は出口傾斜路４１８の長さの大部分に延伸している切欠き４３８を示しているが、いくつかのリーダプリンタの実施形態では、切欠き４３８は、出口傾斜路４１８の一方または両方の遠位の角部でのみ設けられている。
【０２７８】
いくつかのリーダプリンタの実施形態では、搬送システム２５４は、出口傾斜路４１８がその近位端４２０の周りを回転することを可能にするための１つまたは複数のヒンジ（不図示）を含み、これにより、冊子体２２８が選択可能な位置でリーダプリンタ２１０を出ることを可能にするのが有効である。例として、出口傾斜路４１８は、冊子体２２８が、水平に、場合によりリーダプリンタ２１０の後方に近接して水平に、垂直に、場合によりリーダプリンタ２１０の頂部または底部に近接して垂直に、またはその間の任意の角度で、リーダプリンタ２１０から完全に突出するまたは出るように回転可能であってもよい。いくつかのリーダプリンタの実施形態では、出口傾斜路４１８を、ユーザが手動で回転することができる。追加的または代替的に、搬送システム２５４は、モータ（不図示）または出口傾斜路４１８の回転を引き起こすための他のドライバを含んでもよい。
【０２７９】
いくつかのリーダプリンタの実施形態では、出口傾斜路４１８は入れ子式であり、これにより、好適には、プリンタの排出口２５２がプリンタの取り入れ口２４０から所望の距離に配置されることを可能にする。このようなリーダプリンタの実施形態では、出口傾斜路４１８は、手動で伸縮可能であってもよい。追加的または代替的に、搬送システム２５４は、モータまたは出口傾斜路４１８の入れ子式の伸長および／または収縮を引き起こすための他のドライバを含んでもよい。
【０２８０】
いくつかのリーダプリンタの実施形態では、出口傾斜路４１８は交換可能であり、勾配３００の異なるまたは勾配のない斜面を有する、および／または異なる長さを有する、さまざまな出口傾斜路によって出口傾斜路４１８を交換することができる。
【０２８１】
図１２では、プリンタシステム２１６は、プリンタの取り入れ口２４０を介して冊子体２２８を受け入れるための位置に示されている。プリンタシステム２１６のこのような受入位置では、固定フレーム４０８は、冊子体２２８の前縁４１４を受け入れるように配置され、印字ヘッド２７４の下またはプリンタの取り入れ口２４０の近くに配置されてもよい。第２リーダプリンタの実施形態では、プリンタシステム２１６がその受入位置にある場合、固定フレーム４０８は送りローラ２８４および２８６の近くに配置される。第２リーダプリンタの実施形態では、支持板４００は、固定フレーム４０８によって画定された空間内に延伸していない。プリンタシステム２１６の受入位置では、支持板４００が下げられた位置にあり、柱４０６が長さを縮小されることにより、支持板４００と送りローラ２８４および２８６との間に比較的大きな垂直方向の間隔が作成される。第２リーダプリンタの実施形態では、リーダプリンタ２１０は、前縁４１４が固定フレーム４０８のストッパゲート２７２（図１２では見えない）に隣接または近接している場合、挿入された冊子体２２８の前縁４１４の存在を検出するための１つまたは複数のプリンタセンサ（図１２では直接見えない）を含むことが好ましい。
【０２８２】
いくつかのリーダプリンタの実施形態では、固定フレーム４０８は、例えば、受け入れたオブジェクトがプリンタの取り入れ口２４０から逆に排出されているときに、プリンタの取り入れ口２４０と第２送りローラ２８６との間の位置に移動するように動作可能である。このようなリーダプリンタの実施形態では、固定フレーム４０８がプリンタの取り入れ口２４０に向かって移動するときに固定フレーム４０８が第２送りローラ２８６の下を通過することを可能にするために、固定フレーム４０８と第２送りローラ２８６の一方または両方は、垂直方向に移動するように動作可能であってもよい。ただし、いくつかのリーダプリンタの実施形態では、固定フレーム４０８は、受け入れたオブジェクトがプリンタの取り入れ口２４０から逆に排出されている場合でさえも、プリンタの取り入れ口２４０と第２送りローラ２８６との間の位置に移動することができない。いくつかのリーダプリンタの実施形態では、リーダプリンタ２１０は、プリンタの取り入れ口２４０から受け入れたオブジェクトを逆に排出するように動作可能ではない。
【０２８３】
ストッパゲート２７２でのプリンタセンサが固定フレーム４０８内の冊子体２２８の前縁４１４の存在を検出すると、プリンタシステム２１６は、上部クランプ板４１０および下部クランプ板４１２を寄り合わせるように動作可能である。第２リーダプリンタの実施形態では、下部クランプ板４１２は、冊子体２２８の前縁４１４の少なくとも一部に沿って間にある冊子体２２８を固定するために、静止した上部クランプ板４１０に向かって上方に移動する。また、プリンタシステム２１６は、支持板４００と少なくとも第２送りローラ２８６を寄り合わせるように動作可能である。第２リーダプリンタの実施形態では、支持板４００は、冊子体２２８が支持板４００と第２送りローラ２８６との間の冊子体２２８の非縁部領域で固定されるまで、静止した第２送りローラ２８６に向かって上方に移動する。追加的または代替的に、冊子体２２８は、支持板４００と第１送りローラ２８４との間で、または支持板４００と第１送りローラ２８４および第２送りローラ２８６の両方との間で、固定されてもよい。変形例では、任意の数の送りローラが使用されてもよく、任意のこのような送りローラが、支持板４００と連動して固定するために使用されもよい。ただし、いくつかのリーダプリンタの実施形態では、例えば、支持板４００が支持板４００と送りローラ２８４および２８６のいずれかとの間で冊子体２２８を固定するために十分に上方に移動されないため、冊子体２２８は、支持板４００と任意の送りローラとの間で固定されない。
【０２８４】
図１３は、冊子体２２８に印刷するための印刷位置でのプリンタシステム２１６を示している。このような印刷位置では、冊子体２２８の印刷可能領域４４０の少なくとも一部が、印字ヘッド２７４の直接下にある。プリンタシステム２１６は、冊子体２２８の異なる線または領域に印刷することを許可するために、固定フレーム４０８をラック４１６に沿って長手方向に移動させるように動作可能である。固定フレーム４０８が長手方向に移動されるにつれて、固定フレーム４０８は冊子体２２８を長手方向でプリンタの取り入れ口２４０から離して引っ張る。冊子体２２８がプリンタの取り入れ口２４０から遠くに移動されるにつれて、冊子体２２８は、延伸されている柱４０６を有して高くした位置にある支持板４００と送りローラ２８４および２８６との間を長手方向に摺動する。冊子体２２８の摺動動作が、第１送りローラ２８４および第２送りローラ２８６の１つまたは両方を回転させてもよい。第２リーダプリンタの実施形態では、第１送りローラ２８４および第２送りローラ２８６は、自由に回転する。追加的または代替的に、第１送りローラ２８４および第２送りローラ２８６の１つまたは両方は、冊子体２２８を押すことによってプリンタシステム２１６を通る冊子体２２８の移動を支援するために、電動であってもよい。
【０２８５】
第２リーダプリンタの実施形態では、冊子体２２８と支持板４００との間の摺動摩擦が、好適には、印刷中に印刷可能領域４４０で冊子体２２８をまっすぐにするように機能する。支持板４００の表面の材料と支持板４００と送りローラ２８４および２８６との間に印加される固定圧が、冊子体２２８に適当であり過度でない摺動摩擦を提供するように最適化されてもよい。
【０２８６】
代替のリーダプリンタの実施形態（不図示）では、支持板４００は、送りローラ２８４および２８６とほぼ横方向に整列した、一連の平行な離間したローラとして実装されてもよい。
【０２８７】
図１４は、リーダプリンタ２１０によって冊子体２２８に印刷した後に、冊子体２２８を排出するための排出位置でのプリンタシステム２１６を示している。このような排出位置では、固定フレーム４０８は出口傾斜路４１８に隣接して配置され、ストッパゲート２７２（図１４では直接見えない）は低くなっている。第２リーダプリンタの実施形態では、支持板４００は、プリンタシステム２１６がその排出位置にあるときに低くなっているが、一般に、支持板４００は、プリンタシステム２１６がその排出位置にあるときに任意の垂直位置にあってもよい。プリンタシステム２１６は、コンベヤ４０２の押板４４２に冊子体２２８をその後縁４４４でプリンタの排出口２５２に向かって押させるように動作可能である。第２リーダプリンタの実施形態では、プリンタシステム２１６は、出口クランプ４２４に冊子体２２８をその側縁で固定させるように動作可能である。
【０２８８】
図１４は、直線的に突出した板であるものとして、それぞれの例示的な押板４４２を示しているが、一般に、一方または両方の押板４４２（および第１リーダプリンタの実施形態の押板２８０）が、任意の適切な形状を有していてもよく、この任意の形状は、例えば、円弧状に延伸すること、コンベヤ４０２から遠位の押板４４２の端部にリップを形成するために曲げを有すること、Ｌ字状の突出部を形成するために曲げを有すること、他の形状、およびこれらの任意の組合せを含む。
【０２８９】
プリンタシステム２１６は、出口クランプ４２４に冊子体２２８の印刷領域の外側の冊子体２２８の綴じ部４４６に近接して冊子体２２８を固定させるように動作可能であることが好ましく、これにより、冊子体２２８の新しく印刷された領域と接触することを避けるのが有効である。第２リーダプリンタの実施形態では、プリンタシステム２１６は、出口クランプ４２４に近接して綴じ部４４６を置く位置に押板４４２を長手方向に移動させるように動作可能であり、この位置は既知の冊子体２２８タイプの標準寸法に基づいている。追加的または代替的に、プリンタシステム２１６は、いくつかのリーダプリンタの実施形態において、既知の冊子体２２８タイプの標準寸法に基づく出口傾斜路４１８に沿った適切な距離で、前縁４１４を検出するための１つまたは複数のセンサ（図１４では見えない）を含む。いくつかのリーダプリンタの実施形態では、プリンタシステム２１６は、ユーザが選択できるおよび／またはリーダプリンタ２１０が検出できる、複数の冊子体２２８タイプの寸法をプログラム可能である。
【０２９０】
本発明の第２リーダプリンタの実施形態では、各コンベヤ４０２は、コンベヤ４０２のベルトに沿って対向する位置でコンベヤ４０２のベルトから突出した一対の押板４４２を含んでもよく、これにより、第１押板４４２が冊子体２２８を排出する役割を完了したときに、受入位置に第２押板４４２を提供するのが有効である。ただし、いくつかのリーダプリンタの実施形態では、ただ１つの押板４４２が、各コンベヤ４０２のベルトのために使用されている。プリンタシステム２１６は、一方向のみにコンベヤ４０２を前進させるように動作可能であってもよく、あるいは、コンベヤ４０２は、いずれかの対向方向にコンベヤ４０２を選択可能に前進させるように動作可能であるプリンタシステム２１６を用いて、可逆的であってもよい。
【０２９１】
第２リーダプリンタの実施形態に係るリーダプリンタ２１０は端部ブラケット２８８を含み、この端部ブラケット２８８は、図１４に示すように、片持ちブラケット部分２９２を含んでもよい。端部ブラケット２８８の数、配置、および形状の変化が可能であり、第１および第２実施形態の端部ブラケット２８８は、例えば、同じであってもよく、あるいは互いに異なっていてもよい。
【０２９２】
第３リーダプリンタの実施形態
図１５を参照すると、本発明の第３リーダプリンタの実施形態に係る搬送システム２５４が、搬送フレーム２６０内に画定された空間内に延伸する１つのプラテン２５６を含み、搬送路の対向側に沿って延伸する一対の平行な離間したコンベヤ４０２を含んでいる。また、２つの平行な離間したストッパゲート２７２が、図１５に示されている。
【０２９３】
第３の実施形態の搬送システム２５４は、プリンタの取り入れ口２４０を介して冊子体２２８（図１５に示されていない）を受け入れるように動作可能である。変形例では、第３の実施形態の搬送システム２５４は、搬送システム２５４のプリンタの取り入れ口２４０と同じ端部または対向端で冊子体２２８を解放または排出するように動作可能であってもよく、あるいは、図１５に示す搬送システム２５４は、搬送システム２５４のプリンタの取り入れ口２４０と同じ端部および対向端の両方で冊子体２２８を解放または排出するように動作可能であってもよい。図１５に示す搬送システム２５４は、例えば、コンベヤ２９６（図１０）、出口傾斜路４１８（図１１から図１４）、出口クランプ４２４（図１１から図１４）、またはこれらの任意の組合せを含んでもよい。搬送システム２５４がプリンタの取り入れ口２４０のみで冊子体２２８を受け入れて、逆に排出または解放するために使用される実施形態では、搬送システム２５４は、コンベヤ４０２を含む必要はない。
【０２９４】
一般に、第１および第２リーダプリンタの実施形態に関して説明した特徴は、第３リーダプリンタの実施形態に適用可能な範囲に組み込まれている。
【０２９５】
リーダプリンタ機器の第４実施形態
図１６から図２４を参照すると、本発明の第４リーダプリンタの実施形態に係るリーダプリンタ２１０（図７）の搬送システム２５４のさらなる変形例が、示されている。第４リーダプリンタの実施形態の搬送システム２５４は、上部フレーム板２６４の下で搬送フレーム２６０内に画定された空間内に長手方向に延伸するプラテン２５６を含んでいる。第４リーダプリンタの実施形態では、プリンタの排出口２５２がプリンタの取り入れ口２４０と一致するため、第４リーダプリンタの実施形態の搬送システム２５４は、プリンタの取り入れ口２４０で、冊子体２２８（図１６から図２４には示されていない）などのオブジェクトを受け入れかつ解放するように動作可能である。第４リーダプリンタの実施形態では、搬送システム２５４は、搬送コンベヤ、押板、出口コンベヤ、または出口傾斜路を含む必要がない。
【０２９６】
図１６から図２４は、対応する搬送システム２５４の特徴が明確に改善されたことを表すために冊子体２２８を示していないが、本明細書での冊子体２２８、その前縁４１４、後縁４４４、および／または綴じ部４４６への言及は、このような冊子体２２８が搬送システム２５４と関連して存在する場合の特徴に関係している。
【０２９７】
第４リーダプリンタの実施形態では、搬送システム２５４は、ヒンジ接続部４５０で搬送システム２５４の残りの部分に回転可能に連結された入口フィーダ４４８を含んでいる。ヒンジ接続部４５０の軸４５２は、図２１に最もよく見られる。また、第１送りローラ２８４および第２送りローラ２８６が図２１に見られる。第４リーダプリンタの実施形態では、第１送りローラ２８４および第２送りローラ２８６のそれぞれが、通常はすべて同じサイズの軸方向に並んだローラ部材のセットで作られている。第１送りローラ２８４は、第２送りローラ２８６よりもプリンタの取り入れ口２４０の近くにある。図２１に最もよく見られるように、第１送りローラ２８４および第２送りローラ２８６は、一般に、互いに同じサイズと横方向の長さを有する。第４リーダプリンタの実施形態の第１送りローラ２８４および第２送りローラ２８６は、冊子体２２８の側縁付近での冊子体２２８との接触を妨げるような寸法にされている。第４リーダプリンタの実施形態の搬送システム２５４は、入口フィーダ４４８の上方への回転を制限する入口フィーダのストッパ４５４を含んでいる。
【０２９８】
図１６および図１７を参照すると、第４リーダプリンタの実施形態のプリンタシステム２１６（図２）が、その受入位置で示されており、ここで、ユーザがプリンタの取り入れ口２４０で冊子体２２８をリーダプリンタ２１０に長手方向２５８に挿入すると、リーダプリンタ２１０は冊子体２２８を受け入れるように動作可能である。
【０２９９】
プリンタシステム２１６が受入位置にあるとき、プラテン２５６は、プラテン２５６の表面が下部取り入れ口ガイド４０４の表面とほぼ整列する、下げられた位置にある。また、プリンタシステム２１６が受入位置にあるとき、入口フィーダ４４８は、例えば重力によって、下向きの回転の限界に達するまで、入口フィーダ４４８が下がることができるように回転可能に解放されている。第４リーダプリンタの実施形態では、ヒンジ接続部４５０は、入口フィーダ４４８の下向きの回転を制限する。ただし、一般に、搬送システム２５４は、機械式ストッパ、電気機械式ストッパ、電気機械式であるヒンジ接続部４５０、調節可能なストッパ、他の技術、またはこれらの任意の組合せを有することを含む、入口フィーダ４４８の上向きの回転を制限するための任意の適切な機構を含んでもよい。いくつかのリーダプリンタの実施形態では、入口フィーダ４４８の下向きの回転は、例えば、プラテン２５６に接触する第２送りローラ２８６による、入口フィーダ４４８とプラテン２５６との間の接触によって制限される。
【０３００】
いくつかのリーダプリンタの実施形態では、プリンタシステム２１６は、プリンタの取り入れ口２４０に入る冊子体２２８の存在を感知するための、１つまたは複数の入口センサ（図１６および図１７では見えない）を含んでいる。入口センサは、例えば、レーザ、ＬＥＤ、マイクロ波または赤外線の存在センサ、動き検出器、近接検出器、同様の検出センサ、超音波センサ、機械センサ、またはこれらの任意の組合せの、任意の適切なセンサであってもよい。特定の例として、入口フィーダ４４８に対する機械的圧力が、入口センサによって感知されてもよい。入口センサを有するリーダプリンタの実施形態では、プリンタシステム２１６は、プリンタの取り入れ口２４０への冊子体２２８の挿入を感知する際に、またはプリンタの取り入れ口２４０でまたは近くでオブジェクトの存在を感知する際に、それ自体を受入位置に持っていくように動作可能である。プリンタシステム２１６を受入位置に持っていくことは、例えば、プラテン２５６および／または搬送フレーム２６０を長手方向に移動させること、垂直方向２６６にプラテン２５６を移動させること、入口フィーダ４４８を回転させること、入口フィーダ４４８の回転を許可するために入口フィーダ４４８を解放すること、搬送システム２５４の他の動作、またはこれらの任意の組合せを含んでもよい。特定の例として、搬送システム２５４は、いくつかのリーダプリンタの実施形態において、オブジェクトが搬送フレーム２６０に向かってプラテン２５６の上でプリンタの取り入れ口２４０を介してさらに挿入されることを可能にするために、プリンタの取り入れ口２４０でオブジェクトの存在を感知することに応答してプラテン２５６を下げるように動作可能である。
【０３０１】
第４リーダプリンタの実施形態の搬送フレーム２６０は、冊子体２２８が搬送フレーム２６０を過ぎて押されることを防ぐための逆転防止装置４５６を含み、プリンタシステム２１６は、逆転防止装置４５６に隣接または近接している冊子体２２８の前縁４１４（図１６から図２４には示されていない）の存在を感知するための逆転防止装置４５６のセンサ（図では直接見えない）を含んでいる。逆転防止装置４５６のセンサは、例えば、レーザ、ＬＥＤ、マイクロ波または赤外線の存在センサ、動き検出器、近接検出器、同様の検出センサ、超音波センサ、機械センサ、またはこれらの任意の組合せの、任意の適切なセンサであってもよい。特定の例として、逆転防止装置４５６は、逆転防止装置４５６を押圧する冊子体２２８の前縁４１４の機械的圧力が逆転防止装置４５６のセンサによって（例えば、逆転防止装置４５６のセンサの電気的な接触が閉じることによって）感知されるように、逆転防止装置のばね４５８（図２１）によって搬送フレーム２６０に弾力的に連結されてもよい。
【０３０２】
図１８および図１９を参照すると、プリンタシステム２１６は、逆転防止装置４５６に近接したオブジェクト（例えば、冊子体２２８の前縁４１４）の存在を検出することに応答してその受け入れ完了位置に移動するように動作可能である。図１８および図１９に示す受け入れ完了位置では、プラテン２５６の遠位端２６８（図１６）は、上部フレーム板２６４に対して固定されている。通常の使用において、プリンタシステム２１６がその受け入れ完了位置にあるとき、前縁４１４は、通常、プラテン２５６と上部フレーム板２６４との間の搬送フレーム２６０によって固定されている。第４リーダプリンタの実施形態では、前縁４１４を固定することは、固定が発生するまでプラテン２５６を上げることを含む。第４リーダプリンタの実施形態では、プラテン２５６は、図１９に最もよく見られるように、プラテン柱２７０の垂直移動を行うことによって上げられる。ただし、一般に、上部フレーム板２６４に対するプラテン２５６の移動を行うための任意の適切な機構が使用されてもよい。通常の状況では、プラテン２５６を上げることにより、通常は入口フィーダ４４８が上向きに回転させられる。第４リーダプリンタの実施形態では、第２送りローラ２８６と、場合によっては第１送りローラ２８４も、冊子体２２８の非縁部領域に載ることによって冊子体２２８と接触するように、入口フィーダ４４８は重力下での制限内で自由に回転するように動作可能である。ただし、いくつかのリーダプリンタの実施形態では、搬送システム２５４は、入口フィーダ４４８に冊子体２２８の非縁部領域に下向きの固定力を発揮させるように動作可能である。
【０３０３】
図２０を参照すると、プリンタシステム２１６がその撮像位置にある場合の搬送システム２５４が示されている。少なくとも第４リーダプリンタの実施形態のリーダプリンタ２１０は、撮像デバイス４６０を有する撮像システムを含み、この撮像デバイス４６０は、例えばカメラであってもよい。
【０３０４】
プリンタシステム２１６がその撮像位置にあるとき、搬送システム２５４は、冊子体２２８の印刷可能領域４４０（図１６から図２４では見えない）が撮像デバイス４６０の視野内であるように配置されることが好ましい。撮像デバイス４６０を使用するいくつかのリーダプリンタの実施形態では、リーダプリンタ２１０は、ユーザによる閲覧のために撮像デバイス４６０によってリーダプリンタディスプレイ２２２に作成された印刷可能領域４４０の画像を表示するように動作可能である。追加的または代替的に、マシンビジョン処理が、印刷可能領域４４０のまたはその一部の自動画像解析を行うために使用されてもよい。変形例では、撮像デバイス４６０は、静止画像、ビデオ画像、または静止画像とビデオ画像の両方を作成するように動作可能であってもよい。いくつかのリーダプリンタの実施形態では、撮像デバイス４６０は、画像を作成する際に照明を作成するように動作可能である。
【０３０５】
いくつかのリーダプリンタの実施形態では、リーダプリンタ２１０は、通常、印刷可能領域４４０の画像をリーダプリンタディスプレイ２２２に提示することに応答して印刷が行われるべきときに、印刷可能領域４４０のサブ領域を示すユーザ入力を受け取るように動作可能である。タッチスクリーンのリーダプリンタディスプレイ２２２の場合の例として、ユーザは、タッチスクリーンのリーダプリンタディスプレイ２２２が印刷可能領域４４０を表示しているときに、ユーザの所望の位置に対応する位置でタッチスクリーンに触れることにより、印刷のための所望の位置を示すことを許可されてもよい。
【０３０６】
第４リーダプリンタの実施形態のプリンタシステム２１６は、冊子体２２８を完全に固定した後に、プラテン２５６および搬送フレーム２６０を受け入れ完了位置から撮像位置に長手方向に一緒に移動させるように動作可能である。第４リーダプリンタの実施形態では、プラテン２５６および搬送フレーム２６０は、モータ駆動のピニオンギヤ（不図示）によってレールまたはラック４１６の長手方向の移動を伴って、長手方向に移動する。一般に、任意の適切な直線運動システムが使用されてもよい。
【０３０７】
図２１は、冊子体２２８に印刷するための印刷開始位置でのプリンタシステム２１６を示している。このような印刷開始位置では、冊子体２２８の前縁４１４に最も近い印刷可能領域４４０の部分が、第２送りローラ２８６と上部フレーム板２６４との間に配置されている。説明を明確にするために、冊子体２２８は図２１に示されておらず、プリンタシステム２１６がその印刷開始位置にあるときに、露出した印刷可能領域４４０に対応するプラテン２５６の一部が示されている。第４および他のリーダプリンタの実施形態によれば、第２送りローラ２８６は、前縁４１４から離れて冊子体２２８と接触し、さらに上部フレーム板２６４と接触する。図２１には示されていないが、印字ヘッド２７４は、印刷可能領域４４０の露出部分内の印刷ラインで印刷するように配置されている。
【０３０８】
図２２は印刷終了位置のプリンタシステム２１６を示しており、ここで、冊子体２２８の後縁４４４に最も近い印刷可能領域４４０の部分は、印字ヘッド２７４（不図示）の真下に最も近い印刷可能領域４４０の部分である。
【０３０９】
図２１および図２２を参照すると、第４リーダプリンタの実施形態のプリンタシステム２１６は、プラテン２５６および搬送フレーム２６０を、印刷開始位置から印刷終了位置に向かって長手方向に一緒に移動させるように動作可能であり、一方で、印字ヘッド２７４は、印刷可能領域４４０内の任意の所望の位置で冊子体２２８に印刷するために使用される。プリンタシステム２１６の印刷位置は、印刷開始位置から印刷終了位置に広がっている。いくつかのリーダプリンタの実施形態では、プリンタシステム２１６は、印刷が行われる場所に関係なく冊子体２２８に印刷する前の印刷開始位置に配置され、これにより、印刷開始位置で印字ヘッド２７４に対して冊子体２２８を位置合わせするのが有効である。ただし、いくつかのリーダプリンタの実施形態では、プリンタシステム２１６は、その撮像位置から印刷が始まる印刷位置に沿った地点にのみ移動され、これにより、プラテン２５６および搬送フレーム２６０の長手方向の移動を最小化するのが有効である。第４リーダプリンタの実施形態の印字ヘッド２７４は、例えば、第１から第３のリーダプリンタの実施形態またはこれらの任意の組合せの任意の印字ヘッドと同様であってもよく、あるいは異なっていてもよい。第４リーダプリンタの実施形態では、第１送りローラ２８４および第２送りローラ２８６ならびにヒンジ接続部４５０は、プリンタシステム２１６が印刷開始位置から印刷終了位置に移動する際に冊子体２２８がその前縁４１４によって引っ張られるにつれて自由に回転するように動作可能であり、これにより、印刷中に冊子体２２８の非縁部領域に重力誘導される下向きの圧力を印加するのが有効である。変形例では、第１送りローラ２８４および第２送りローラ２８６ならびにヒンジ接続部の任意の１つまたは複数は、例えば、電動であってもよい。
【０３１０】
図２３は、解放位置でのプリンタシステムを示している。第４リーダプリンタの実施形態では、プリンタシステム２１６がその解放位置にあるときのプラテン２５６および搬送フレーム２６０の長手方向位置は、一般に、プリンタシステム２１６がその印刷終了位置にある場合と同じである。解放位置では、プラテン２５６は、冊子体２２８を固定から解放するために十分に下げられている。さらに、入口フィーダ４４８は、好適には、プリンタシステム２１６が図２４に示すその解放位置から排出位置に移動されると、冊子体２２８の新しく印刷された領域と接触することを避けるために、上向きに回転される。入口フィーダ４４８を上向きに回転させることは、例えば、ソレノイド駆動または他の電磁駆動のプランジャ、電気機械式であるヒンジ接続部４５０、調整可能なプランジャ、他の技術、またはこれらの任意の組合せを含む、任意の適切な機構によって行われてもよい。
【０３１１】
さらに図２４を参照すると、プラテン２５６および搬送フレーム２６０は、ユーザ（不図示）が冊子体２２８をその後縁４４４（図１６から図２４には示されていない）で把握して、プリンタの排出口２５２を通じてリーダプリンタ２１０の外に冊子体２２８を引っ張ることができるように、入口フィーダ４４８に向かって長手方向に移動される。いくつかのリーダプリンタの実施形態では、プリンタシステム２１６は、搬送システム２５４からの冊子体２２８の取り除きを感知するための１つまたは複数の排出センサ（不図示）を含んでいる。排出センサは、例えば、入口センサと同じタイプや、場合によっては同じセンサであることを含む、任意のタイプのものであってもよい。排出センサを有するリーダプリンタの実施形態では、プリンタシステム２１６は、冊子体２２８の取り除きを感知後に入口フィーダが重力下で下がることを可能にするために、入口フィーダ４４８を解放するように動作可能であってもよい。追加的または代替的に、プリンタシステム２１６は、冊子体２２８の取り除きを感知後にプラテン２５６が上がることを可能にするように、または強制するように動作可能であってもよい。いくつかのリーダプリンタの実施形態では、プリンタシステム２１６は、冊子体２２８の取り除きを感知後に受入位置（図１６および図１７）に移動するように動作可能である。いくつかのリーダプリンタの実施形態では、プリンタシステム２１６の排出位置および受入位置は、互いに一致している。
【０３１２】
第１ローラ２８４および第２ローラ２８６は、第１および第２リーダプリンタの実施形態に関して本明細書に記載され説明され、入口フィーダ４４８は、第４リーダプリンタの実施形態に関して本明細書に特に記載されているが、例えば、任意の組合せでの第１ローラ２８４、第２ローラ２８６、および入口フィーダ４４８のいずれかが、第３リーダプリンタの実施形態を含む任意のリーダプリンタの実施形態において適切に使用されてもよい。
【０３１３】
いくつかの実施形態では、任意のリーダプリンタの一実施形態による、またはリーダプリンタの実施形態の組合せによる、リーダプリンタ２１０の搬送システム２５４は、セキュリティチェックポイント１０と関連する搬送機能を実行するように動作可能である。
【０３１４】
モジュールのシステム
図２５を参照すると、リーダプリンタ２１０は、冊子体２２８などの価値アイテムを処理するためのモジュールシステム４４８の一部を形成していてもよい。リーダプリンタ２１０に追加で、モジュールシステム４４８は、以下の追加のモジュールのうちの任意の１つまたは複数を含んでもよい。
（ａ）白紙の冊子体２２８およびシート状の文書を含む冊子体２２８をリーダプリンタ２１０に送るためスタッキングフィーダ４５０
（ｂ）例えば、温度および／または湿度制御された環境でインクまたは他の物質が乾燥またはキュアすることを可能にすることを含む、リーダプリンタ２１０によって冊子体２２８に印刷されるインクまたは任意の他の化学および／もしくは有機物質が乾燥またはキュアすることを可能にすることによって、冊子体２２８をキュアするためのキュアリングステーション４５２
（ｃ）ＲＦＩＤ（無線周波数識別）技術あるいはＲＦＩＤ関連処理のタスクを実行することに関連して、冊子体２２８の一部に取り付けられたまたは一部を形成しているハードウェア構成要素を初期化するためのＲＦＩＤステーション４５４
（ｄ）印刷された冊子体２２８の画像を生成して、自動画像処理または他の故障検出処理を実行するなどの、品質保証処理を実行するための品質保証ステーション４５６
（ｅ）冊子体２２８の１つまたは複数の頁をラミネートし、例えば、レーザ穿孔、任意の他の仕上げ工程、またはこれらの任意の組合せによって冊子体２２８を穿孔するなどの、冊子体２２８の最終処理を行うための仕上げステーション４５８
（ｆ）新たに発行された冊子体２２８を読み取り、セキュリティ署名を生成し、冊子体２２８の将来の認証のためにセキュリティ署名を格納するための、場合によっては、冊子体２２８に取り付けられたまたは冊子体２２８の一部を形成するＲＦＩＤチップにセキュリティ署名を格納するための、リーダステーション４６０
（ｇ）引き渡しのための準備中に完了した冊子体２２８を受け取るための、場合によってはスタッキングするための、引き渡しステーション４６２
【０３１５】
さまざまなリーダプリンタの実施形態では、リーダプリンタ２１０（例えば、キュアリングステーション４５２）の直後のモジュールは、リーダプリンタ筐体２１２の後ろ側に配置されたプリンタの排出口２５２を介してリーダプリンタ２１０から冊子体２２８を受け入れてもよい。追加的または代替的に、このようなモジュールは、リーダプリンタ筐体２１２の頂部に配置され得たプリンタの排出口２５２を介して冊子体２２８を受け入れてもよい。
【０３１６】
一般に、モジュールシステム４４８のモジュール４５０からモジュール４６２の任意の２つ以上が相互接続可能であり、この相互接続は、プリンタの取り入れ口２４０および／またはプリンタの排出口２５２でのリーダプリンタ２１０をモジュールシステム４４８の任意のモジュール４５０からモジュール４６２に相互接続することを含む。例えば、スタッキングフィーダ４５０およびリーダプリンタ２１０は、プリンタの取り入れ口２４０に近接して互いに接続されるための寸法にされてもよい。さらなる例として、リーダプリンタ２１０およびキュアリングステーション４５２は、プリンタの排出口２５２に近接して互いに接続されるための寸法にされてもよい。いくつかのリーダプリンタの実施形態では、リーダプリンタ２１０は、引き渡しのため、場合によりスタッキングのために、引き渡しステーション４６２に直接に冊子体２２８を排出するように動作可能である。一般に、リーダプリンタ２１０ならびに任意の数および選択のモジュール４５０からモジュール４６２が、任意の順序で構成されてもよい。１つまたは複数のモジュール４５０からモジュール４６２と相互接続されているかどうかにかかわりなく、リーダプリンタ２１０は、一体型のリーダプリンタ２１０として、またはリーダシステム２１４がそこから取り除かれたプリンタ専用バージョンとして、構成されてもよい。
【０３１７】
リーダステーション４６０は、自動化手段による冊子体２２８の受け入れを含む、リーダプリンタ２１０または他のモジュール４５０から４５８とモジュール４６２の任意の１つから冊子体２２８を受け入れるような寸法にされてもよい。リーダステーション４６０は、冊子体２２８がエンクロージャ（不図示）内で受け入れられるように、エンクロージャ（不図示）を含んでもよい。リーダステーション４６０は、例えば、レーザ放射、Ｘ線放射、紫外線放射、可視光放射、赤外線放射、他の放射、およびこれらの任意の組合せを作成するように動作可能な電磁放射源を含んでもよい。
【０３１８】
本明細書で上述したモジュールに加えて、リーダプリンタ２１０は、温度および／または湿度が制御された環境などの制御された環境内で動作可能である。いくつかの実施形態では、リーダプリンタ２１０は、例えば、暖房、換気、および／または空調（ＨＶＡＣ）用の外部モジュール（不図示）に環境制御信号を通信することによって、その環境を制御するように動作可能であってもよい。リーダプリンタ２１０がその内部環境を測定するように動作可能な実施形態では、リーダプリンタ２１０は、外部ＨＶＡＣモジュール（不図示）に測定値を通信するように動作可能であってもよい。
【０３１９】
このように、オブジェクトを読み取り、オブジェクトに印刷するための機器が提供され、この機器は、（ａ）オブジェクトの固有の特徴を表すデジタル署名を取得するために、オブジェクトを読み取るためのリーダシステム、および（ｂ）デジタル署名がオブジェクトに関連する照合用のデジタル署名と一致する場合、オブジェクトに印刷するためのプリンタシステム、を備える。
【０３２０】
リーダプリンタの動作の方法
図２６を参照すると、本発明の第１から第４リーダプリンタの実施形態を含むリーダプリンタの実施形態に係るリーダプリンタ２１０のリーダプリンタメモリ２４６（図８）が、５００で一般に示される方法のステップを実行するために、リーダプリンタプロセッサ２４４（図８）に指示するためのコンピュータ実行可能な命令を含むコードのブロックを含んでいる。追加的または代替的に、このようなコードのブロックは、例えば、記録可能なコンピュータ可読媒体または信号伝送タイプの媒体であり得る信号担持媒体で実施されるコンピュータ実行可能命令を含むコンピュータプログラム製品の一部を形成してもよい。
【０３２１】
電力がリーダプリンタプロセッサ２４４およびリーダプリンタメモリ２４６に供給されているとき、リーダプリンタプロセッサ２４４は、ブロック５０２の命令の実行を開始するように指示される。
【０３２２】
ブロック５０２は、リーダプリンタ２１０にユーザを識別させるように、リーダプリンタプロセッサ２４４に指示する。
【０３２３】
図２７は、本発明のリーダプリンタの実施形態に係るブロック５０２（図２６）を実行するための例示的な方法５０４を示している。方法５０４は、ブロック５０６を実行することによって開始する。
【０３２４】
ブロック５０６は、生体スキャナ２２０（図７）でオブジェクトの存在を検出するように、リーダプリンタプロセッサ２４４に指示する。生体スキャナ２２０でオブジェクトの存在を検出するステップは、例えば、レーザ、マイクロ波または赤外線の存在センサ、動き検出器、同様の検出センサ、またはこれらの任意の組合せである、存在センサ（図には示されていない）からのセンサ出力をリーダプリンタプロセッサ２４４によって受け取るステップを含んでもよい。追加的または代替的に、生体スキャナ２２０でオブジェクトの存在を検出するステップは、押しボタン２２６（図７）の１つまたは同様のものなどの、リーダプリンタ２１０のボタンまたはキーからの信号を受け取るステップを含んでもよい。ブロック５０６が実行された後、リーダプリンタプロセッサ２４４は、ブロック５０８を実行するように指示される。
【０３２５】
ブロック５０８は、走査結果を作成するために生体スキャナ２２０に生体走査を実行させるように、リーダプリンタプロセッサ２４４に指示する。生体スキャナ２２０によってオブジェクトを走査するステップは、生体スキャナ２２０に生体スキャナ窓２１８でオブジェクトを走査させるステップを含んでもよい。
【０３２６】
次に、ブロック５１０は、ブロック５０８によって得られた走査結果が格納されている生体プロファイルと一致するかどうかを判定するように、リーダプリンタプロセッサ２４４に指示する。例えば、生体スキャナ２２０は、走査された指紋を生成するための指紋スキャナであってもよく、格納されている生体プロファイルは、認証されたユーザの事前に走査された指紋であってもよい。
【０３２７】
走査結果が格納されている生体プロファイルと一致しない場合、次に、リーダプリンタプロセッサ２４４は、ブロック５０６に戻るように指示される。また、さまざまなリーダプリンタの実施形態では、エラーメッセージが表示されてもよく、失敗した試みが記録されてもよく、その他のエラー処理機能が実行されてもよい。
【０３２８】
走査結果が格納されている生体プロファイルと一致する場合、次に、リーダプリンタプロセッサ２４４は、ブロック５１２を実行するように指示される。
【０３２９】
ブロック５１２は、パスコードをユーザに要求するようにリーダプリンタプロセッサ２４４に指示する。一般に、パスコードは、任意の適切なパスワード、パスフレーズなどであってもよい。ブロック５１２が実行された後、リーダプリンタプロセッサ２４４は、ブロック５１４を実行するように指示される。
【０３３０】
ブロック５１４は、ユーザ入力としてパスコードを受け取るようにリーダプリンタプロセッサ２４４に指示する。パスコードが受け取られた後、リーダプリンタプロセッサ２４４は、ブロック５１６を実行するように指示される。
【０３３１】
ブロック５１６は、受け取ったパスコードがリーダプリンタメモリ２４６（図８）などのメモリに関連しているかどうかを、ブロック５１０で一致したと判定された生体プロファイルを用いて判定するように、リーダプリンタプロセッサ２４４に指示する。
【０３３２】
受け取ったパスコードが判定された生体プロファイルと関連しない、または一致しない場合、次に、リーダプリンタプロセッサ２４４は、ブロック５０６に戻るように指示される。ブロック５０６に戻るステップは、エラーメッセージを生成するステップ、またはコードの他のエラー処理ブロックを実行するステップを含んでもよい。
【０３３３】
受け取ったパスコードが判定された生体プロファイルと関連している、または一致する場合、次に、リーダプリンタプロセッサ２４４は、方法５００（図２６）のブロック５１８に戻るように指示される。
【０３３４】
いくつかのリーダプリンタの実施形態では、ブロック５１２から５１６が任意であって含まれていなくてもよく、または含まれているが無効であってもよい。いくつかのリーダプリンタの実施形態では、ユーザは、ブロック５１２から５１６の実行を選択可能に無効または有効にすることを許可されている。ブロック５１２から５１６を無効にするために、ユーザは、例えば、ユーザまたは管理者権限の強化レベルを必要とする場合がある。追加的または代替的に、さまざまなリーダプリンタの実施形態におけるブロック５０６から５１０および／またはブロック５１２から５１６は、リーダプリンタ２１０の初期化ルーチンの一部を形成し、すなわち一度も実行されなくてもよい。
【０３３５】
再度図２６を参照すると、ブロック５１８は、例えば、リーダプリンタ２１０のさまざまな機能を有効にすることによって、リーダプリンタ２１０のユーザによる使用を許可するように、リーダプリンタプロセッサ２４４に指示する。例えば、リーダシステム２１４とプリンタシステム２１６の一方または両方が、有効にされてもよい。リーダプリンタ２１０の機能を有効にするステップは、有効になっているリーダプリンタ２１０の関連する機能的特徴を示すために、フラグまたはレジスタ値を設定するステップを含んでもよい。
【０３３６】
次に、ブロック５２０は、ユーザがリーダシステム２１４に冊子体２２８を提示したときに、リーダシステム２１４に冊子体２２８を認証させるように、リーダプリンタプロセッサ２４４に指示する。冊子体２２８を認証するステップは、冊子体２２８の検証を実行するステップを含んでもよい。冊子体２２８を検証するステップは、国内または国際基準に従って冊子体２２８に現れている情報またはコード化されている情報が、冊子体２２８の改ざんが発生したことを示しているかどうかを判定するステップを含んでもよい。
【０３３７】
図２８は、本発明のリーダプリンタの実施形態に係るブロック５２０（図２６）を実行するための例示的な方法５２２を示している。方法５２２は、ブロック５２４を実行することによって開始する。
【０３３８】
ブロック５２４は、リーダプリンタ２１０に冊子支持体２３０（図７）でのオブジェクトの存在を感知させるように、リーダプリンタプロセッサ２４４に指示する。冊子支持体２３０でのオブジェクトの存在を感知するステップは、リーダプリンタプロセッサ２４４によって、オブジェクトが冊子支持体２３０で存在することを示すリーダセンサ２３６の出力を受け取るステップを含んでもよい。追加的または代替的に、冊子支持体２３０でのオブジェクトの存在を感知するステップは、押しボタン２２６（図７）の１つまたは同様のものなどの、リーダプリンタ２１０のボタンまたはキーからの出力信号を受け取るステップを含んでもよい。ブロック５２４が実行された後、リーダプリンタプロセッサ２４４は、ブロック５２６を実行するように指示される。
【０３３９】
ブロック５２６は、オブジェクトが有効なタイプの冊子体であるかどうかを判定するように、リーダプリンタプロセッサ２４４に指示する。オブジェクトが有効な冊子体タイプであるかどうかを判定するステップは、オブジェクトが冊子体２２８の許可されたタイプと一致するかどうかを判定するステップを含んでもよい。説明のために、各リーダプリンタ２１０は、１つまたは複数の異なるタイプの冊子体２２８を認証し、これに印刷するために、構成されおよび／またはプログラムされてもよい。例えば、あるリーダプリンタ２１０は、パスポート冊子２２８にビザスタンプを印刷するために構成されプログラムされていてもよく、一方で、異なるリーダプリンタ２１０は、新たに発行されたパスポート冊子２２８の識別情報を印刷するために構成されプログラムされていてもよい。新たに発行された公式紙、カード、証明書、または文書を認証しおよび／またはこれらに印刷すること、任意の公式紙、カード、証明書、または他の文書に承認スタンプなどを認証しおよび／またはこれらに印刷すること、任意の製品ラベルまたは製品を認証しおよび／またはこれらに証明マークを印刷すること、他の使用またはこれらの任意の組合せを含む、他の例が可能である。任意のリーダプリンタの実施形態は、価値アイテムの１つまたは複数のタイプへの印刷を制限するようにプログラムされてもよい。
【０３４０】
オブジェクトが許可された冊子体２２８のタイプと一致するかどうかを判定するステップは、１つまたは複数のリーダセンサ２３６の出力に応じて、オブジェクトの１つまたは複数の寸法の測定値を決定するステップを含んでもよい。追加的または代替的に、オブジェクトが許可された冊子体２２８のタイプと一致するかどうかを判定するステップは、例えば、リーダプリンタ筐体２１２内に取り付けられたリーダシステム２１４の撮像デバイスによって取り込まれ得る、オブジェクトの画像を受け取るステップを含んでもよい。いくつかのリーダプリンタの実施形態では、オブジェクトのタイプを示すオブジェクトの１つまたは複数の寸法の測定値を決定するため、冊子体２２８に印刷された識別情報または任意の他の既知のマーキングをオブジェクト上の予想される位置で見つけることができるかどうかを決定するため、またはこれらの任意の組合せのために、リーダプリンタプロセッサ２４４は、画像処理アルゴリズムおよび技術を使用するように指示される。
【０３４１】
リーダプリンタプロセッサ２４４がブロック５２６で、オブジェクトが有効な冊子体２２８タイプと一致しないと判定した場合、次に、リーダプリンタプロセッサ２４４は、ブロック５２４に戻るように指示される。ブロック５２４に戻るステップは、エラーメッセージを生成するステップ、またはコードの他のエラー処理ブロックを実行するステップを含んでもよい。
【０３４２】
リーダプリンタプロセッサ２４４がブロック５２６で、オブジェクトが有効な冊子体２２８タイプと一致すると判定した場合、次に、リーダプリンタプロセッサ２４４は、ブロック５２８を実行するように指示される。
【０３４３】
ブロック５２８は、冊子体２２８を読み取り、セキュリティ署名を作成するように、リーダプリンタプロセッサ２４４に指示する。いくつかのリーダプリンタの実施形態において、ブロック５２８は、Ｔａｌｗｅｒｄｉらにより２０１０年１２月１４に発行された米国特許第７，８５０，０７７号明細書、およびＴａｌｗｅｒｄｉにより２０１０年３月２５日に公開された米国特許出願公開第２０１０／００７３１２８号明細書に、より詳細に説明された動作を実行するように、リーダプリンタプロセッサ２４４に指示し、これら両方の開示は参照により本明細書に組み込まれている。
【０３４４】
追加的または代替的に、冊子体２２８を読み取るステップは、冊子体２２８が冊子支持体２３０によって受け入れられているときに、冊子体２２８の画像を取り込むステップを含んでもよく、このステップは、赤外線、可視光、および紫外線範囲などの電磁スペクトルの１つまたは複数の帯域の波長を有する電磁放射に冊子体２２８が露出されているときに冊子体２２８の画像を取り込むステップを含む。追加的または代替的に、冊子体２２８を読み取るステップは、ブロック５２６で事前に取り込まれた冊子体２２８の画像を使用するステップを含んでもよい。取り込まれた冊子体２２８の画像に応じてセキュリティ署名を生成するステップは、冊子体２２８のセキュリティ特徴の材料特性のデジタル表現を生成するステップを含んでもよい。追加的または代替的に、取り込まれた冊子体２２８の画像に応じてセキュリティ署名を生成するステップは、一致する可能性があるセキュリティ特徴の比較を含む、法医学分析または他の目的のためにセキュリティ署名を生成するステップを含んでもよい。ブロック５２８の動作は、より具体的には、作成されるセキュリティ署名の特定の使用に対処するためにさまざまなリーダプリンタの実施形態で構成可能であってもよく、複数の構成が、任意の所与のリーダプリンタの実施形態で実行するために利用可能であってもよく、この実施形態は、ユーザによる選択のための所与のリーダプリンタの実施形態で利用可能な複数の構成を有することを含む。特定の構成を選択すると、例えば、強化されたユーザまたは管理者権限を必要とする可能性がある。ブロック５２８が実行された場合、リーダプリンタプロセッサ２４４は、ブロック５３０を実行するように指示される。
【０３４５】
ブロック５３０は、ブロック５２６で作成された（生成された）セキュリティ署名が事前に生成され格納されたセキュリティ署名と一致するかどうかを判定するように、リーダプリンタプロセッサ２４４に指示する。格納されたセキュリティ署名は、例えば、本明細書に上述した方法でリーダステーション４６０の使用により事前に格納されていてもよく、または他の方法で事前に格納されていてもよい。作成されたセキュリティ署名が格納されているセキュリティ署名と一致するかどうかを判定するステップは、例えば、格納されているセキュリティ署名をリーダプリンタメモリ２４６から検索するステップおよび作成されたセキュリティ署名を検索したセキュリティ署名と比較するステップ、通信システム２４８を使用することによって格納されたセキュリティ署名を受け取るステップおよび作成されたセキュリティ署名を受け取ったセキュリティ署名と比較するステップ、通信システム２４８によって作成されたセキュリティ署名を遠隔の目的地（例えば、中央サーバ）に送信するステップおよび作成されたセキュリティ署名が格納されているセキュリティ署名と一致するかどうかを特定するメッセージまたは他の指標をこの遠隔の目的地から受け取るステップ、またはこれらの任意の組合せを含んでもよい。
【０３４６】
リーダプリンタプロセッサ２４４がブロック５３０で、作成されたセキュリティ署名が格納されているセキュリティ署名と一致しないと判定した場合、次に、リーダプリンタプロセッサ２４４は、ブロック５２４に戻るように指示される。ブロック５２４に戻るステップは、エラーメッセージを生成するステップ、またはコードの他のエラー処理ブロックを実行するステップを含んでもよい。
【０３４７】
リーダプリンタプロセッサ２４４がブロック５３０で、作成されたセキュリティ署名が格納されているセキュリティ署名と一致すると判定した場合、次に、リーダプリンタプロセッサ２４４は、方法５００（図２６）のブロック５３２に戻るように指示される。
【０３４８】
再度図２６を参照すると、ブロック５３２は、プリンタシステム２１６へのアクセスを許可するようにリーダプリンタプロセッサ２４４に指示する。取り入れ口フラップ２４２を解放すなわちロック解除し、まだオンでない場合にプリンタシステム２１６をオンにし、まだ有効でない場合にプリンタシステム２１６を有効にすることによって、アクセスを許可してもよい。また、アクセスを許可するステップは、プリンタシステムの構成要素がまだそれぞれの受入位置にない場合に、この構成要素を受入位置に移動させるステップを含んでもよい。
【０３４９】
いくつかのリーダプリンタの実施形態では、ブロック５２０が任意であって含まれている必要はなく、または含まれているが無効であってもよい。いくつかのリーダプリンタの実施形態では、ユーザは、ブロック５２０の実行を選択可能に無効または有効にすることを許可されている。ブロック５２０を無効にするために、ユーザは、例えば、ユーザまたは管理者権限の強化レベルを必要とする場合がある。ブロック５２０がバイパスされると、ブロック５３２は、リーダプリンタ２１０の初期化中に１回だけ実行されてもよく、あるいはアクセスがすべての条件の下で許可されているものとして一度も実行されない場合がある。
【０３５０】
次に、ブロック５３４は、リーダプリンタ２１０にプリンタシステム２１６により印刷するための印刷領域を決定させるように、リーダプリンタプロセッサ２４４に指示する。通常、冊子体２２８の印刷領域は、印刷可能領域４４０（図１３）内に限られている。
【０３５１】
図２９は、本発明のリーダプリンタの実施形態に係るブロック５３４（図２６）を実行するための例示的な方法５３６を示している。方法５３６は、ブロック５３８を実行することによって開始する。
【０３５２】
ブロック５３８は、ユーザがプリンタの取り入れ口２４０（図７、図１１、図１５、および図１６から図１７）に挿入しているオブジェクトをプリンタシステム２１６が受け入れるように、リーダプリンタプロセッサ２４４に指示する。ブロック５３８が実行されるとき、プリンタシステムは受入位置にあることが好ましい。プリンタの取り入れ口２４０を通じてオブジェクトを受け入れるステップは、例えば、取り入れ口フラップ２４２がまだ解放されていない場合に、これを解放すなわちロック解除するステップを含んでもよい。
【０３５３】
図３０は、本発明のリーダプリンタの実施形態に係るブロック５３８（図２９）を実行するための例示的な方法５４０を示している。方法５４０は、ブロック５４２を実行することによって開始する。
【０３５４】
ブロック５４２は、搬送システム２５４（図９から図１０、図１１から図１４、図１５、および図１６から図２４）にプリンタの取り入れ口２４０に近接するオブジェクトの存在を感知させるように、リーダプリンタプロセッサ２４４に指示する。プリンタの取り入れ口２４０に近接するオブジェクトの存在を感知するステップは、プリンタの取り入れ口２４０にまたはプリンタの取り入れ口２４０でもしくは近くで挿入されている冊子体２２８の前縁４１４（図１２）であり得るオブジェクトの存在を示す、１つまたは複数のプリンタの取り入れ口２４０のセンサ（不図示）からの信号を受け取るステップを含んでもよい。
【０３５５】
次に、ブロック５４４は、搬送システム２５４にプリンタの取り入れ口２４０とストッパとの間の長手方向の経路をブロック解除させるように、リーダプリンタプロセッサ２４４に指示し、このストッパは、第１から第３リーダプリンタの実施形態ではストッパゲート２７２（図９、図１２、および図１５）であり、第４の実施形態では逆転防止装置４５６（図１６から図２４）である。プリンタの取り入れ口２４０とストッパとの間の長手方向の経路をブロック解除するステップは、例えば、プリンタシステム２１６をその受入位置に移動させるステップ、プラテン２５６を下げられた位置に移動させるステップ、支持板４００を下げられた位置に移動させるステップ、プラテン柱２７０の１つまたは複数を縮小させるステップ、柱４０６の１つまたは複数を縮小させるステップ、取り入れ口フラップ２４２をロック解除するステップ、取り入れ口フラップ２４２を開くステップ、他の動作を実行するステップ、またはこれらの組合せを含んでもよい。
【０３５６】
いくつかの実施形態では、例えば、プリンタシステム２１６が既に印刷位置にある場合、またはプリンタの取り入れ口２４０とストッパとの間の長手方向の経路が既に他の方法でブロック解除されている場合、ブロック５４４またはブロック５４２および５４４が、方法５４０の開始後に実行されない。
【０３５７】
次に、ブロック５４６は、搬送システム２５４にストッパに近接しているオブジェクトの存在を感知させるように、リーダプリンタプロセッサ２４４に指示し、このストッパは、第１から第３リーダプリンタの実施形態ではストッパゲート２７２（図９、図１２、および図１５）であり、第４の実施形態では逆転防止装置４５６（図１６から図２４）である。ストッパゲート２７２に近接するオブジェクトの存在を感知するステップは、１つまたは複数のプリンタのセンサ（不図示）から、ストッパに隣接または近接する挿入された冊子体２２８の前縁４１４（図１２）であり得るオブジェクトの存在を示す信号を受け取るステップを含んでもよい。例えば、第４実施形態の搬送システム２５４は、本明細書に上述の逆転防止装置４５６のセンサによって冊子体２２８の前縁４１４の存在を感知する。
【０３５８】
次に、ブロック５４８は、搬送システム２５４にオブジェクトをその前縁４１４で固定させるように、リーダプリンタプロセッサ２４４に指示する。第１、第３、および第４リーダプリンタの実施形態では、オブジェクトをその前縁４１４で固定するステップは、プラテン２５６と搬送フレーム２６０の上部フレーム板２６４との間で冊子体２２８などのオブジェクトを固定するために、プラテン２５６（図９から図１０、図１５、および図１８）を上向きに移動させるステップを含む。第２リーダプリンタの実施形態では、オブジェクトをその前縁４１４で固定するステップは、固定フレーム４０８の下部クランプ板４１２と上部クランプ板４１０との間で冊子体２２８などのオブジェクトをその前縁４１４で固定するために、下部クランプ板４１２（図１１）を上向きに移動させるステップを含む。冊子体２２８などのオブジェクトの前縁４１４を固定するための他の変形例が可能であり、本発明の意図する範囲内である。
【０３５９】
また、第１から第３リーダプリンタの実施形態では、オブジェクトをその前縁４１４で固定するステップは、プラテン２５６または支持板４００と第２送りローラ２８６との間のオブジェクトの非縁部領域で、冊子体２２８などのオブジェクトを場合により接触またはさらに固定するために、プラテン２５６（第１および第３リーダプリンタの実施形態）および支持板４００（第２リーダプリンタの実施形態）を上向きに移動させるステップを含む。また、プラテン２５６または支持板４００と第２送りローラ２８６との間で冊子体２２８を固定するステップは、第１送りローラ２８６を冊子体２２８の非縁部領域でその上面と接触させてもよい。ただし、変形例では、プラテン２５６または支持板４００は、オブジェクトがその前縁４１４で固定されている場合、上向きに移動される必要がない。ブロック５４８を実行することによってオブジェクトがその前縁で固定された場合、方法はブロック５５０に進む。
【０３６０】
ブロック５５０は、オブジェクトをプリンタシステム２１６の撮像位置に長手方向に移動させるように、リーダプリンタプロセッサ２４４に指示する。撮像位置は、価値アイテムとプリンタシステム２１６の撮像デバイス４６０（図２０）との間で見通しが達成される場合、搬送フレーム２６０（図９から図１０、図１５、および図１６から図２４）または固定フレーム４０８（図１１から図１４）の長手方向位置として画定されてもよい。いくつかのリーダプリンタの実施形態では、撮像デバイス４６０は、リーダプリンタ筐体２１２内に取り付けられ、冊子体２２８の印刷可能領域が通常配置されている冊子体２２８の表面の方に向けられる。オブジェクトを撮像位置に長手方向に移動させるステップは、好適には、プリンタシステム２１６が撮像デバイス４６０を使用してオブジェクトの画像を取り込むことを可能にする。
【０３６１】
第１、第３、および第４リーダプリンタの実施形態では、オブジェクトを撮像位置に長手方向に移動させるステップは、例えば、ラック４１６（例えば、図２０）を長手方向に移動することによって、搬送フレーム２６０およびプラテン２５６を一緒に長手方向に移動させるステップを含む。第２リーダプリンタの実施形態では、オブジェクトを撮像位置に長手方向に移動させるステップは、固定フレーム４０８（図１１から図１４）をラック４１６（図１１から図１４）と共に移動させるステップを含む。
【０３６２】
第１から第３リーダプリンタの実施形態では、ブロック５５０は任意であり、例えば、プリンタシステム２１６の受入位置は、搬送システム２５４がブロック５４６の実行直後に冊子体２２８の撮像を許可する位置に既にあるような、リーダプリンタ２１０の寸法にされている場合、ブロック５５０は実行されなくてもよい。いくつかのリーダプリンタの実施形態では、ブロック５４６の実行後すぐに撮像が可能である。
【０３６３】
さまざま実施形態では、任意のブロック５４６から５５０の実行中に、プリンタの取り入れ口２４０を介して同時に複数のオブジェクトが挿入されるのを防ぐために、リーダプリンタプロセッサ２４４が、取り入れ口フラップ２４２を閉位置にロックするように指示されることも可能である。
【０３６４】
方法５４０が完了すると、処理は、方法５３６（図２９）のブロック５５２に戻る。
【０３６５】
再度図２９を参照すると、ブロック５５２は、オブジェクトの画像を表示するようにリーダプリンタプロセッサ２４４に指示する。オブジェクトの画像を表示するステップは、撮像デバイス４６０により冊子体２２８の画像、場合により画像のストリーミンビデオを取り込むステップ、および取り込んだ画像をリーダプリンタディスプレイ２２２（図７）や、接続されたコンピュータもしくはリーダプリンタ２１０と有線または無線通信する他のコンピューティングデバイスのディスプレイ（不図示）に表示するステップを含んでもよい。
【０３６６】
次に、ブロック５５４は、オブジェクトが印刷に適しているかどうかを判定するように、リーダプリンタプロセッサ２４４に指示する。いくつかのリーダプリンタの実施形態では、オブジェクトが印刷に適しているかどうかを判定するステップは、ブロック５５２で取り込まれた画像が、ブロック５３０（図２８）で事前に判定されたような認証された冊子体２２８と一致するかどうかを判定するステップを含む。追加的または代替的に、オブジェクトが印刷に適しているかどうかを判定するステップは、オブジェクトに現れている文書識別コードなどの視覚的特徴が事前に格納された文書識別などの予期される視覚的特徴と一致するかどうかを判定するために、ブロック５５２で取り込まれた画像の自動画像解析を実行するステップを含んでもよい。追加的または代替的に、オブジェクトが印刷に適しているかどうかを判定するステップは、オブジェクトの視覚的特徴が既知の冊子体２２８タイプの印刷可能領域に対応するかどうかを判定するために、ブロック５５２で取り込まれた画像の自動画像解析を実行するステップを含んでもよい。追加的または代替的に、オブジェクトが印刷に適しているかどうかを判定するステップは、ブロック４４８で表示された画像がユーザに受け入れ可能であることの指標を、例えば押しボタン２２６のキーストロークまたは作動などのユーザ入力として受け取るステップを含んでもよい。例えば、正しい冊子体２２８がプリンタの取り入れ口２４０を通って挿入されたかどうか、挿入された冊子体２２８が適切に挿入されたかどうか（例えば、正しい頁で、正しい方法で向けられ、上下逆さまでなく、等）、挿入された冊子体２２８が適切に固定され、場合によりプリンタシステム２１６によって移動されたかどうか（例えば、プリンタの紙詰まりがなく）、露出した印刷可能領域が適切な寸法であるかどうか（例えば、他の既存のスタンプまたは既に冊子体２２８に現れている他のマーキングと重ならないで、スタンプまたは他のマーキングを印刷するための印刷可能領域内の十分な空白スペース）、他のエラーチェック、またはこれらの任意の組合せを判定するために、他のチェックが実行されてもよい
【０３６７】
ブロック５５４がオブジェクトは印刷に適していないと判定した場合、リーダプリンタプロセッサ２４４は、ブロック５５６を実行するように指示される。
【０３６８】
ブロック５５６は、印刷に適していないようなオブジェクトを排出するように、リーダプリンタプロセッサ２４４に指示する。オブジェクトを排出するステップは、オブジェクトに印刷するステップをとばしながら、出口傾斜路４１８（図１０、および図１１から１４）を介してオブジェクトを排出するステップを含んでもよい。あるいは、プリンタシステム２１６は、プリンタの取り入れ口２４０（図７、図１０、図１４、図１５、および図２０）からオブジェクトを逆に排出するように動作可能であってもよい。また、オブジェクトを排出すステップは、エラーメッセージを生成するステップ、またはコードの他のエラー処理ブロックを実行するステップを含んでもよい。
【０３６９】
ブロック５５６を実行した後、処理はブロック５３８に戻る。ブロック５３８に戻るステップがある場合、取り入れ口フラップ２４２または排出口フラップ（不図示）を再度ロックするステップを含んでもよい。
【０３７０】
ブロック５５４がオブジェクトは印刷に適していると判定した場合、リーダプリンタプロセッサ２４４は、ブロック５５８を実行するように指示される。
【０３７１】
ブロック５５８は、ユーザ入力として印刷領域を受け取るようにリーダプリンタプロセッサ２４４に指示する。いくつかのリーダプリンタの実施形態では、ユーザ入力として印刷領域を受け取るステップは、画像の一部またはすべてに対応する表示位置（例えば、ピクセル座標）および／または幾何形状（例えば、矩形、円、等）を画定するユーザ入力を受け取るステップを含み、この画像は、通常、ディスプレイ上に表示されているブロック５５２で表示された画像であり、このディスプレイは、いくつかの実施形態では、リーダプリンタディスプレイ２２２である。印刷領域は、タッチスクリーンディスプレイ、コンピュータマウス、トラックボール、キーボードもしくは押しボタン２２６のエントリ、音声コマンド、その他のユーザ入力デバイスもしくは技術、またはこれらの任意の組合せの操作によって作成されるユーザ入力によって画定されてもよい。追加的または代替的に、印刷領域は、ブロック５５２で得られた画像などの画像の自動画像解析を実行することによって、リーダプリンタプロセッサ２４４によって決定されてもよい。いくつかのリーダプリンタの実施形態では、ブロック５５８が実行されない。
【０３７２】
ブロック５５８を実行した後、処理は方法５００（図２６）のブロック５６０に戻る。
【０３７３】
再度図２６を参照すると、ブロック５６０は、印刷領域内で、認証された冊子体２２８（図７）に印刷するようにリーダプリンタプロセッサ２４４に指示する。印刷領域内で印刷するステップは、通常、ブロック５５８（図２９）でユーザ入力として受け取った印刷領域内で印刷するステップを含む。印刷するステップは、通常、任意の適切な方法で印字ヘッド２７４（図９、図１１から図１４、および図１５）を動作させるステップを含み、場合により、印字ヘッド２７４を印字ヘッドガイド（不図示）に沿って横方向に移動させる。
【０３７４】
いくつかのリーダプリンタの実施形態では、印刷するステップは、プリンタシステム２１６の撮像位置からプリンタシステム２１６の印刷開始位置または他の印刷位置にプリンタシステム２１６および冊子体２２８を最初に移動させるステップを含む。例えば、いくつかのリーダプリンタの実施形態では、撮像位置は、冊子体２２８を印刷位置と異なる垂直高さ２６６（図９）に配置する。いくつかのリーダプリンタの実施形態では、冊子体２２８は、印刷位置から一部の距離を離れるように移動された後、印刷位置に向かって冊子体２２８を移動させる。
【０３７５】
第１、第３、および第４リーダプリンタの実施形態では、異なる印刷行に印刷するステップは、例えば、プリンタの取り入れ口２４０から離れる方向、プリンタの排出口２５２に向かう方向、またはプリンタの取り入れ口２４０から離れるのとプリンタの排出口２５２に向かうのと両方であり得る方向で、プラテン２５６および搬送フレーム２６０の長手方向の移動を行うことによって、前縁４１４で固定された冊子体２２８を引っ張るステップを含む。第２リーダプリンタの実施形態では、異なる印刷行に印刷するステップは、例えば、プリンタの取り入れ口２４０から離れる方向、プリンタの排出口２５２に向かう方向、またはプリンタの取り入れ口２４０から離れるのとプリンタの排出口２５２に向かうのと両方であり得る方向で、固定フレーム４０８（図１１）の長手方向の移動を行うことによって、前縁４１４（図１１）で固定された冊子体２２８を引っ張るステップを含む。
【０３７６】
プラテン２５６および搬送フレーム２６０または固定フレーム４０８の長手方向の移動は、場合により本明細書に上述の機構および技術を含む、任意の適切な直線運動システムによって行われてもよい。例えば、プリンタシステム２１６は、固定フレーム４０８をラック４１６と共に長手方向に移動させるように動作可能であってもよい。
【０３７７】
第１から第４リーダプリンタの実施形態では、印刷動作そのものの結果として冊子体２２８が排出位置に来ている場合（例えば、印刷可能領域４４０内の最後の利用可能な印刷行に印刷が行われ、その結果の印刷終了位置がプリンタシステム２１６の排出位置と一致している場合）を除いて、すべての所望の印刷が完了した後、冊子体２２８がリーダプリンタ２１０からの後続の冊子体２２８の排出に適しているプリンタシステム２１６の排出位置に来るまで、冊子体２２８を引っ張り続けるために、プリンタシステム２１６が動作可能である。
【０３７８】
ブロック５６０を実行することにより印刷が完了すると、方法はブロック５６２に進む。
【０３７９】
ブロック５６２は、プリンタシステム２１６に印刷された冊子体２２８を解放させるように、リーダプリンタプロセッサ２４４に指示する。印刷された冊子体２２８を解放するステップは、冊子体２２８がプリンタシステム２１６の排出位置にまだない場合に、冊子体２２８をプリンタシステム２１６の排出位置に長手方向に移動させるステップを含む。
【０３８０】
図３１は、本発明の第１から第３リーダプリンタの実施形態に係るブロック５６２（図２６）を実行するための例示的な方法５６４を示している。方法５６４は、ブロック５６６を実行することによって開始する。
【０３８１】
ブロック５６６は、搬送システム２５４に印刷された冊子体２２８を固定解除させるように、リーダプリンタプロセッサ２４４に指示する。
【０３８２】
第１および第３リーダプリンタの実施形態では、印刷された冊子体２２８を固定解除するステップは、印刷された冊子体２２８がプラテン２５６と搬送フレーム２６０（図９および図１５）との間でもはや固定されていないように、プラテン２５６（図９および図１５）を下げるステップを含む。
【０３８３】
第２リーダプリンタの実施形態では、印刷された冊子体２２８を固定解除するステップは、印刷された冊子体２２８が下部クランプ板４１２と上部クランプ板４１０（図１１から図１４）との間でもはや固定されていないように、下部クランプ板４１２（図１１から図１４）を下げるステップを含む。また、第２リーダプリンタの実施形態では、下部クランプ板４１２が下げられているときに、冊子支持体４００（図１１から図１４）が下げられてもよいが、いくつかの状況では、冊子体２２８が固定解除されるために、冊子支持体４００を下げる必要はないかもしれない。一般に、冊子支持体４００は、次のオブジェクトの前縁４１４が上部クランプ板４１０と下部クランプ板４１２との間に画定された空間に挿入される前に、任意の時点で下げられてもよい。ブロック５６６が実行された後、リーダプリンタプロセッサ２４４は、ブロック５６８を実行するように指示される。
【０３８４】
ブロック５６８は、ストッパゲート２７２（図９、図１１から図１４、および図１５）が開かれるように、リーダプリンタプロセッサ２４４に指示する。ストッパゲート２７２を開くステップは、ストッパゲート２７２と搬送フレーム２６０（第１および第３リーダプリンタの実施形態）または固定フレーム４０８（第２リーダプリンタの実施形態）との間のヒンジ接続部を中心にストッパゲート２７２を回転させるステップを含んでもよい。第１から第３リーダプリンタの実施形態では、ストッパゲート２７２を開くステップは、ストッパゲート２７２を下げて、ストッパゲート２７２を冊子体２２８からプリンタの排出口２５２に向かって移動させるために、ヒンジ接続部を中心にストッパゲート２７２を回転させるステップを含む。さまざまなリーダプリンタの実施形態では、ストッパゲート２７２は、９０度の垂直停止位置から、０度の水平位置に、プリンタの排出口２５２に向かう冊子体２２８の取り除きを支援するための傾斜路を形成するために高い角度位置（例えば、０度と９０度の間）に、または低い角度位置（０度未満）に、回転されてもよい。いくつかのリーダプリンタの実施形態では、ストッパゲート２７２を回転させるステップは、例えば、ヒンジ接続部がストッパゲート２７２の上端に配置されている場合に、ストッパゲート２７２を上げるステップを含む。ストッパゲート２７２を実装するための他の機構も可能である。例えば、ストッパゲート２７２の直線上下運動により、ストッパゲート２７２を開閉してもよい。
【０３８５】
図３１はブロック５６６の直後に実行されるブロック５６８を示しているが、ブロック５６８は、冊子体２２８が固定された後の任意の時点（例えば、図３０のブロック５４８を実行した後の任意の時点）で、および本明細書で後述されるブロック５７０を実行する前の任意の時点で実行されてもよい。いくつかのリーダプリンタの実施形態では、ストッパゲート２７２は、方法５００の実行中に、異なる時点で複数の開いた位置に移動される。ブロック５６８が実行された後、リーダプリンタプロセッサ２４４は、ブロック５７０を実行するように指示される。
【０３８６】
ブロック５７０は、印刷された冊子体２２８（図７）が搬送コンベヤの押板の動作によって長手方向に移動されるように、リーダプリンタプロセッサ２４４に指示し、例えば、この押板は、第１リーダプリンタの実施形態の押板２８０（図９）であってもよく、第２および第３リーダプリンタの実施形態の押板４４２（図１４および図１５）の一方または両方であってもよい。印刷された冊子体２２８を長手方向に移動させるステップは、通常、印刷された冊子体２２８をその後縁で押板２８０によってまたは押板４４２の一方もしくは両方によって押すステップを含む。また、印刷された冊子体２２８を長手方向に移動させるステップは、通常、搬送フレーム２６０（図９）または固定フレーム４０８（図１１から図１４）を介して印刷された冊子体２２８を移動させるステップを含む。好ましくは、搬送フレーム２６０および固定フレーム４０８は、冊子体２２８を固定していないときに、冊子体２２８が冊子体２２８の印刷された面と接触することなく搬送フレーム２６０または固定フレーム４０８を通過することができるように、十分な垂直方向のクリアランスを提供するような寸法にされ、これにより、新しく印刷されたインクのスマッジングの可能性を回避するのが有効である。印刷された冊子体２２８の長手方向の移動は、場合により本明細書に上述の機構および技術を含む、任意の適切な直線運動システムによって行われてもよい。ブロック５７０が実行された後、リーダプリンタプロセッサ２４４は、ブロック５７２を実行するように指示される。
【０３８７】
ブロック５７２は、印刷された冊子体２２８（図７）がプリンタの排出口２５２（図８）に向かって移動されるように、リーダプリンタプロセッサ２４４に指示する。印刷された冊子体２２８をプリンタの排出口２５２に向かって移動させるステップは、印刷された冊子体２２８を搬送システム２５４（図９から図１０、図１１から図１４、および図１５）から部分的または完全に排出するステップ、またはプリンタシステム２１６をその排出位置に配置するために任意の他の動作を実行するステップを含んでもよい。第１から第３リーダプリンタの実施形態では、印刷された冊子体２２８をプリンタの排出口２５２に向かって移動させるステップは、出口コンベヤ２９６（図１０）の動作によって印刷された冊子体２２８を勾配３００に沿って搬送するステップを含み、場合により、出口の押板３１２（図１０）によって印刷された冊子体２２８をその後縁で押すステップを含む。第２または第３リーダプリンタの実施形態では、印刷された冊子体２２８をプリンタの排出口２５２に向かって移動させるステップは、印刷された冊子体２２８を出口クランプ４２４（図１１から図１４）によって固定するステップ、および出口クランプ４２４を出口傾斜路４１８（図１１から図１４）に沿って長手方向に移動させるステップを含む。本明細書に上述の機構および技術を含む、他の排出システムが可能である。いくつかのリーダプリンタの実施形態では、印刷された冊子体２２８をプリンタの排出口２５２から排出するステップは、印刷された冊子体２２８をプリンタの排出口２５２に向かって移動させる前に、または移動させるときに、排出口フラップ（不図示）をロック解除および／または開くステップを含む。追加的または代替的に、印刷された冊子体２２８をプリンタの排出口２５２から排出するステップは、例えば、プリンタの排出口２５２を過ぎて印刷された冊子体２２８を移動させた後に、またはユーザが引っ張ってプリンタの排出口２５２を過ぎた印刷された冊子体２２８を感知した後に、排出口フラップ（不図示）を再度ロックするおよび／または再度閉じるステップを含んでもよい。
【０３８８】
いくつかのリーダプリンタの実施形態では、例えば、リーダプリンタ筐体２１２が、例えば単にブロック５７０を実行することによって印刷された冊子体２２８がプリンタの排出口２５２でユーザにアクセス可能になるような寸法にされている場合、ブロック５７０は実行される必要がない。
【０３８９】
ブロック５７２が実行された後、方法はブロック５７４に進む。
【０３９０】
ブロック５７４は、プリンタシステム２１６（図８）をその受入位置に戻すように、リーダプリンタプロセッサ２４４に指示する。
【０３９１】
第１リーダプリンタの実施形態では、プリンタシステム２１６をその受入位置に戻すステップは、（ａ）プラテン２５６（図９）および搬送フレーム２６０（図９）を、次に挿入される冊子体２２８の前縁が搬送フレーム２６０に到達することができるようなプリンタの取り入れ口２４０に近い位置に長手方向に移動させるステップ、（ｂ）搬送フレーム２６０をその固定解除された位置に戻すステップ、（ｃ）例えば、ストッパゲート２７２を垂直方向に向くように回転させることによってストッパゲート２７２を閉じるステップ、（ｄ）１つの押板２８０（図９）が、次の冊子体２２８の挿入を妨げる位置ではなく、プリンタの排出口２５２に近づくようにコンベヤベルト２７８（図９）を移動させるステップ、および（ｅ）１つの出口の押板３１２が、搬送フレーム２６０を通過している次の冊子体２２８を妨げる位置ではなく、プリンタの排出口２５２から遠ざかるように、出口コンベヤ２９６（図１０）を移動させるステップ、がまだ行われていない場合、これらのいずれかの動作を含む。
【０３９２】
第２リーダプリンタの実施形態では、プリンタシステム２１６をその受入位置に戻すステップは、（ａ）固定フレーム４０８（図１１から図１４）を、次に挿入される冊子体２２８の前縁４１４が固定フレーム４０８に到達することができるようなプリンタの取り入れ口２４０に近い位置に長手方向に移動させるステップ、（ｂ）固定フレーム４０８をその固定解除された位置に戻すステップ、（ｃ）例えば、ストッパゲート２７２を垂直方向に向くように回転させることによってストッパゲート２７２を閉じるステップ、（ｄ）コンベヤ４０２ごとに１つの押板４４２が、次の冊子体２２８の挿入を妨げる位置ではなく、プリンタの排出口２５２に近づくようにコンベヤ４０２を移動させるステップ、および（ｅ）出口クランプ４２４を固定解除して、プリンタの排出口２５２から遠ざかるように移動させるステップ、がまだ行われていない場合、これらのいずれかの動作を含む。
【０３９３】
第３リーダプリンタの実施形態では、プリンタシステム２１６をその受入位置に戻すステップは、例えば、第１リーダプリンタの実施形態、第２リーダプリンタの実施形態、または第１および第２リーダプリンタの実施形態の両方に従って、プリンタシステム２１６をその受入位置に戻すステップに関して本明細書に上述の任意のアプリケーション動作を含んでもよい。
【０３９４】
例えば、ロックされたもしくはロック解除された位置に、または開いたもしくは閉じた位置に、もしあれば、取り入れ口フラップ２４２および排出口フラップを設定するなどの他の動作が可能である。
【０３９５】
ブロック５７４が実行された後、処理は方法５００（図２６）を終了するために戻る。いくつかのリーダプリンタの実施形態では、方法５００を終了するステップは、ブロック５０２に処理を戻すステップを含む。あるいは、方法５００を終了するステップは、ユーザがそれぞれの新たな印刷のために再度識別される必要なく、ブロック５０６（図２７）に処理を戻すステップを含んでもよい。
【０３９６】
図３２は、本発明の第４リーダプリンタの実施形態に係るブロック５６２（図２６）を実行するための例示的な方法５７６を示している。方法５７６は、ブロック５７８を実行することによって開始する。
【０３９７】
ブロック５７８は、プラテン２５６を下げることによって搬送システム２５４に印刷された冊子体２２８を固定解除させるように、リーダプリンタプロセッサ２４４に指示する。ブロック５７８は、例えば、第１および第３リーダプリンタの実施形態に関して、ブロック５６６の実行と同一、同様または類似した方法で実行されてもよい。
【０３９８】
次に、ブロック５８０は、搬送システム２５４に入口フィーダ４４８を上げさせるように、リーダプリンタプロセッサ２４４に指示する。入口フィーダ４４８を上げるステップは、例えば、結果として入口フィーダ４４８と入口フィーダのストッパ４５４との間で接触するように、ソレノイド駆動のプランジャ（図では見えない）を作動させるステップを含んでもよい。入口フィーダ４４８を上げるステップは、冊子体２２８が搬送システム２５４によってプリンタの取り入れ口２４０に向かって搬送されているときに、冊子体２２８と第１ローラ２８４および第２ローラ２８６との間の接触を低減または除去するのが好適であり、このプリンタの取り入れ口２４０は、第４実施形態ではプリンタの排出口２５２でもある。
【０３９９】
次に、ブロック５８２は、搬送システム２５４にプリンタシステム２１６をその排出位置に移動させるように、リーダプリンタプロセッサ２４４に指示する。プリンタシステム２１６をその排出位置に移動させるステップは、場合により本明細書に上述のラック４１６と共に長手方向に移動させるような機構および技術を含む、任意の直線運動システムによってプラテン２５６および搬送フレーム２６０を長手方向に移動させるステップを含んでもよい。第４リーダプリンタの実施形態では、プリンタシステム２１６をその排出位置に移動させるステップは、冊子体２２８の少なくとも一部が上げられた入口フィーダ４４８の下を通過する間、逆転防止装置４５６が冊子体２２８の後縁を押すように、プラテン２５６および搬送フレーム２６０をプリンタの取り入れ口２４０に向かって長手方向に移動させるステップを含む。ブロック５８２が実行された後、リーダプリンタプロセッサ２４４は、ブロック５８４を実行するように指示される。
【０４００】
ブロック５８４は、印刷された冊子体２２８が搬送システム２５４から取り除かれたかどうかを判別するように、リーダプリンタプロセッサ２４４に指示する。印刷された冊子体２２８が搬送システム２５４から取り除かれたかどうかを判別するステップは、１つまたは複数の排出センサ（不図示）によって搬送システム２５４からまたはリーダプリンタ２１０から完全に冊子体２２８が取り除かれたことを感知するステップを含んでもよい。印刷された冊子体２２８が搬送システム２５４から取り除かれたかどうかを判別するステップは、１つまたは複数の排出センサから、冊子体２２８が取り除かれたことの指標を受け取るステップを含んでもよい。いくつかの実施形態では、印刷された冊子体２２８が搬送システム２５４から取り除かれたかどうかを判別するステップは、入口センサから、冊子体２２８が取り除かれたことの指標を受け取るステップを含む。
【０４０１】
ブロック５８４で、リーダプリンタプロセッサ２４４が冊子体２２８は取り除かれていないと判別した場合、リーダプリンタプロセッサ２４４は、ブロック５８４の始まりに戻るように指示され、これにより、待ちループを形成する。
【０４０２】
ブロック５８４で、リーダプリンタプロセッサ２４４が冊子体２２８は取り除かれたと判別した場合、リーダプリンタプロセッサ２４４は、ブロック５８６を実行するように指示される。
【０４０３】
ブロック５８６は、搬送システム２５４にプラテン２５６を上げさせるように、リーダプリンタプロセッサ２４４に指示する。プラテン２５６を上げるステップは、例えば、プリンタシステム２１６をデフォルト位置に移動するために、プラテン柱２７０が任意の適切な機構によって延伸することを可能にするステップを含んでもよい。いくつかの実施形態では、プラテン２５６を上げるステップは、電力消費を低減し、プラテン２７０を下げるときにプラテン柱２７０を縮小させるための電気機械モータなどの搬送システム２５４の電気機械的な構成要素の寿命を延ばすのが有効である。また、いくつかの実施形態では、ブロック５８６は、取り入れ口フラップ２４２を閉じるおよび／またはロックするステップを含む。いくつかの実施形態では、ブロック５８６が実行されない。ブロック５８６が実行されない実施形態では、ブロック５８４も実行されない場合がある。いくつかの実施形態では、プリンタシステム２１６は、方法５７６の終了時にその排出位置に残っている。追加的または代替的に、プリンタシステム２１６は、方法５７６の終了時にその受入位置に戻されていてもよい。いくつかの実施形態では、排出位置と受入位置が一致する。
【０４０４】
ブロック５８６が実行された後、方法５００（図２６）を終了するために処理を戻し、例えば、ブロック５０２（図２６）、ブロック５０６（図２７）、またはブロック５２０（図２６）に処理を戻すステップを含んでもよい。
【０４０５】
図には示されていないが、リーダプリンタプロセッサ２４４は、一般に、少なくともいくつかのリーダプリンタの実施形態において、例えば、リーダプリンタメモリ２４６にそれぞれのステップを記録することによって、リーダプリンタ２１０によって行われたそれぞれのステップを記録するように動作可能である。追加的または代替的に、リーダプリンタ２１０は、例えば、通信システム２４８（図８）を介して通信することによって、中央サーバ（不図示）に記録されたステップのログを通信するように動作可能であってもよい。いくつかのリーダプリンタの実施形態では、リーダプリンタプロセッサ２４４は、例えば、ブロック５０２を実行することによって得られたユーザ識別などの、選択された動作のみを記録するように指示される。いくつかのリーダプリンタの実施形態では、ユーザを識別するためのブロック５０２が、リーダプリンタプロセッサ２４４のコードの特徴を修理および保守するためのアクセスを許可するために実行される必要があり、リーダプリンタ２１０を保守するための各試みが記録されてもよい。
【０４０６】
一般に、指定されたクォンティティの比較（例えば、図２７のブロック５１０およびブロック５１６、図２８のブロック５２６およびブロック５３０、ならびに図２９のブロック５５４）を含むコードの任意のブロックを実行するステップは、リーダプリンタプロセッサ２４４によって、および／またはリーダプリンタプロセッサ２４４を用いて、例えば通信システム２４８を介した電子通信でリモートデバイス（例えば、中央サーバ）によって、指定されたクォンティティを比較するステップを含んでもよい。また、格納されているクォンティティの検索（図２７のブロック５１０、ならびに図２８のブロック５２６およびブロック５３０）を含むコードの任意のブロックを実行するステップは、リーダプリンタメモリ２４６から格納されているクォンティティを検索するステップ、および／または通信システム２４８を介してリモートデバイスから格納されているクォンティティを検索するステップを含んでもよい。
【０４０７】
このように、オブジェクトを読み取り、オブジェクトに印刷する方法が提供され、この方法は、（ａ）リーダプリンタのリーダシステムによってオブジェクトを読み取るステップと、（ｂ）オブジェクトの固有の特徴を表すデジタル署名をリーダプリンタによって取得するステップと、（ｃ）デジタル署名がオブジェクトに関連する照合用のデジタル署名と一致する場合、リーダプリンタのプリンタシステムによってオブジェクトに印刷するステップと、を含む。
【０４０８】
リーダプリンタ機能を有するセキュリティチェックポイント
図１から図３２を参照すると、本発明のいくつかの実施形態に係るセキュリティチェックポイント１０は、リーダプリンタ２１０の任意の組合せの１つまたは複数の実施形態に従って、リーダプリンタ２１０、またはリーダプリンタ２１０の一部を含んでいる。例えば、任意の実施形態に係る、生体スキャナ２２０、リーダプリンタディスプレイ２２２、リーダシステム２１４、リーダプリンタ２１０の電力管理システム、リーダプリンタプロセッサ２４４、リーダプリンタメモリ２４６、通信システム２４８、位置識別システム２５０、プリンタシステム２１６、および搬送システム２５４の任意の１つまたは複数が、セキュリティチェックポイント１０に組み込まれていてもよい。
【０４０９】
さらなる具体的な例として、いくつかの実施形態では、セキュリティチェックポイント１０の指紋スキャナ４０は、リーダプリンタ２１０の生体スキャナ２２０の走査機能の一部またはすべてを実行するように動作可能であり、いくつかの実施形態では、セキュリティチェックポイント１０の掌紋スキャナは、リーダプリンタ２１０の生体スキャナ２２０の走査機能の一部またはすべてを実行するように動作可能であり、いくつかの実施形態では、セキュリティチェックポイント１０のディスプレイ３８は、リーダプリンタ２１０のリーダプリンタディスプレイ２２２の表示機能の一部またはすべてを実行するように動作可能であり、いくつかの実施形態では、セキュリティチェックポイント１０の文書スキャナ４２は、リーダプリンタ２１０のリーダシステム２１４の走査機能の一部またはすべてを実行するように動作可能であり、いくつかの実施形態では、セキュリティチェックポイント１０のパスポートリーダ１３４は、リーダプリンタ２１０のリーダシステム２１４の読み取り機能の一部またはすべてを実行するように動作可能であり、いくつかの実施形態では、セキュリティチェックポイント１０のコントローラ５４は、リーダプリンタプロセッサ２４４と関連した処理機能の一部またはすべてを実行するように動作可能であり、いくつかの実施形態では、セキュリティチェックポイント１０のプロセッサ５６は、リーダプリンタプロセッサ２４４と関連した処理機能の一部またはすべてを実行するように動作可能であり、いくつかの実施形態では、セキュリティチェックポイント１０のメモリ５８は、リーダプリンタメモリ２４６と関連したデータ記憶機能の一部またはすべてを実行するように動作可能であり、いくつかの実施形態では、セキュリティチェックポイント１０の通信コントローラ６４は、リーダプリンタ２１０の通信システム２４８と関連した通信機能の一部またはすべてを実行するように動作可能であり、いくつかの実施形態では、セキュリティチェックポイント１０のプリンタ１３６は、リーダプリンタ２１０のプリンタシステム２１６と関連した印刷機能の一部またはすべてを実行するように動作可能である。
【０４１０】
さらにいくつかの実施形態では、セキュリティチェックポイント１０は、モジュールシステム４４８のモジュール４５０からモジュール４６２のうちの１つまたは複数を任意の組合せで含んでいる。変形例では、セキュリティチェックポイント１０は、任意の組合せのリーダプリンタ２１０およびモジュール４５０からモジュール４６２の１つまたは複数を含んでもよい。
【０４１１】
非限定的な例として、いくつかの実施形態におけるセキュリティチェックポイント１０は、ＲＦＩＤ要素（不図示）含むあるいはＲＦＩＤ要素と関連するＲＦＩＤ技術を有する文書および他の価値アイテムを処理するためのリーダプリンタ２１０およびＲＦＩＤステーション４５４を含んでいる。
【０４１２】
ただし、一般に、任意の実施形態に係るセキュリティチェックポイント１０は、任意の実施形態に係るリーダプリンタ２１０に関して本明細書に上述の１つまたは複数の機能を実行するように動作可能であってもよく、任意の実施形態に係るリーダプリンタ２１０に関して本明細書に上述の１つまたは複数の構成要素を含んでもよい。
【０４１３】
本発明の実施形態を説明し図示してきたが、このような実施形態は、単に本発明の例示と見なされるべきである。本発明は、本明細書において詳細に説明または図示されていない変形を含んでもよい。したがって、本明細書に説明され図示された実施形態は、添付の特許請求の範囲に従って解釈されるため、本発明を限定すると見なされるべきではない。
【図１】
0006314332.tif 000002
【図２】
0006314332.tif 000003
【図３】
0006314332.tif 000004
【図４】
0006314332.tif 000005
【図５】
0006314332.tif 000006
【図６】
0006314332.tif 000007
【図７】
0006314332.tif 000008
【図８】
0006314332.tif 000009
【図９】
0006314332.tif 000010
【図１０】
0006314332.tif 000011
【図１１】
0006314332.tif 000012
【図１２】
0006314332.tif 000013
【図１３】
0006314332.tif 000014
【図１４】
0006314332.tif 000015
【図１５】
0006314332.tif 000016
【図１６】
0006314332.tif 000017
【図１７】
0006314332.tif 000018
【図１８】
0006314332.tif 000019
【図１９】
0006314332.tif 000020
【図２０】
0006314332.tif 000021
【図２１】
0006314332.tif 000022
【図２２】
0006314332.tif 000023
【図２３】
0006314332.tif 000024
【図２４】
0006314332.tif 000025
【図２５】
0006314332.tif 000026
【図２６】
0006314332.tif 000027
【図２７】
0006314332.tif 000028
【図２８】
0006314332.tif 000029
【図２９】
0006314332.tif 000030
【図３０】
0006314332.tif 000031
【図３１】
0006314332.tif 000032
【図３２】
0006314332.tif 000033